(57)【要約】スロットスケジューリング方法および装置がもたらされる。決定されるスロットは第１のスロットを含み、第１のスロットは第１のアイドル時間を含み、第１のアイドル時間の開始時点と、第１のスロットの開始時点との間の時間間隔は予め設定された時間間隔閾値以下であり、または第１のアイドル時間の開始時点と、第１のスロット内にあり、制御シグナリングを送信するために用いられる、少なくとも１つのＯＦＤＭシンボルの終了時点との間の時間間隔は予め設定された時間間隔閾値以下である。第１のサービスは第１のアイドル時間内にスケジューリングされず、それによって第２のサービスのための送信機会をもたらす。さらに、第１のサービスおよび第２のサービスの、アップリンク送信およびダウンリンク送信の時間領域位置は重複せず、それによって相互干渉を回避する。
2020504478.tif 000002
【特許請求の範囲】
【請求項１】
スロットスケジューリング方法であって、
第１のスロットを決定するステップであって、前記第１のスロットは第１のアイドル時間を備え、前記第１のアイドル時間の開始時点と、前記第１のスロットの開始時点との間の時間間隔は予め設定された時間間隔閾値以下であり、または前記第１のアイドル時間の開始時点と、前記第１のスロット内にあり、制御シグナリングを送信するために用いられる、少なくとも１つのＯＦＤＭシンボルの終了時点との間の時間間隔は予め設定された時間間隔閾値以下である、ステップと、
前記スロットを送るステップと
を含む方法。
【請求項２】
第２のスロットを決定し、送るステップであって、前記第２のスロットは第２のアイドル時間を備える、ステップをさらに含み、
前記第２のアイドル時間の開始時点と、前記第２のスロットの開始時点との間の時間間隔は予め設定された時間間隔閾値以下であり、または前記第２のアイドル時間の開始時点と、前記第２のスロット内にあり、制御シグナリングを送信するために用いられる、少なくとも１つのＯＦＤＭシンボルの終了時点との間の時間間隔は予め設定された時間間隔閾値以下であり、
前記第２のアイドル時間の前記開始時点と、前記第１のアイドル時間の前記開始時点との間の時間間隔は予め設定された時間間隔閾値以下であり、または前記第２のアイドル時間の前記開始時点と、前記第１のアイドル時間の終了時点との間の時間間隔は予め設定された時間間隔閾値以下であり、または前記第２のアイドル時間の終了時点と、前記第１のアイドル時間の前記開始時点との間の時間間隔は予め設定された時間間隔閾値以下であり、または前記第２のアイドル時間の終了時点と、前記第１のアイドル時間の終了時点との間の時間間隔は予め設定された時間間隔閾値以下である
請求項１に記載の方法。
【請求項３】
前記第１のスロットは７個のＯＦＤＭシンボルを備え、前記第１のスロット内のＮ番目のＯＦＤＭシンボルは、前記７個のＯＦＤＭシンボル内にあり、アップリンクデータを送信するために用いられるＯＦＤＭシンボルであり、（Ｎ−１）番目または（Ｎ−２）番目のＯＦＤＭシンボルは前記第１のアイドル時間または前記第２のアイドル時間に属する請求項２に記載の方法。
【請求項４】
前記第１のスロットは７個のＯＦＤＭシンボルを備え、前記第１のスロット内のＮ番目のＯＦＤＭシンボルは、前記７個のＯＦＤＭシンボル内にあり、ダウンリンクデータを送信するために用いられるＯＦＤＭシンボルであり、（Ｎ＋１）番目または（Ｎ＋２）番目のＯＦＤＭシンボルは前記第１のアイドル時間または前記第２のアイドル時間に属する請求項２に記載の方法。
【請求項５】
前記第１のスロットは、第２のアイドル時間および第２の送信時間をさらに備え、
前記第２のアイドル時間の開始時点と、前記第２の送信時間の開始時点との間の時間間隔は予め設定された時間間隔閾値以下であり、または前記第２のアイドル時間の開始時点と、前記第２の送信時間の終了時点との間の時間間隔は予め設定された時間間隔閾値以下であり、
前記第２のアイドル時間の前記開始時点と、前記第１のアイドル時間の前記開始時点との間の時間間隔は予め設定された時間間隔閾値以下であり、または前記第２のアイドル時間の前記開始時点と、前記第１のアイドル時間の終了時点との間の時間間隔は予め設定された時間間隔閾値以下であり、または前記第２のアイドル時間の終了時点と、前記第１のアイドル時間の前記開始時点との間の時間間隔は予め設定された時間間隔閾値以下であり、または前記第２のアイドル時間の終了時点と、前記第１のアイドル時間の終了時点との間の時間間隔は予め設定された時間間隔閾値以下である
請求項１に記載の方法。
【請求項６】
前記第１のスロットは１４個のＯＦＤＭシンボルを備え、前記第１のスロット内のＮ番目のＯＦＤＭシンボルは前記第１のスロット内の第１から第６のＯＦＤＭシンボルの１つであり、
前記第１のアイドル時間は、前記第１のスロット内にあるＮ番目のＯＦＤＭシンボル、（Ｎ＋１）番目のＯＦＤＭシンボル、（Ｎ＋７）番目のＯＦＤＭシンボル、および（Ｎ＋８）番目のＯＦＤＭシンボルの少なくとも１つのＯＦＤＭシンボルを備える
請求項５に記載の方法。
【請求項７】
前記第１のスロットは１４個のＯＦＤＭシンボルを備え、前記第１のスロット内の前記Ｎ番目のＯＦＤＭシンボルは、前記１４個のＯＦＤＭシンボル内にあり、アップリンクデータを送信するために用いられるＯＦＤＭシンボルであり、前記第１のスロット内にある（Ｎ−２）番目のＯＦＤＭシンボル、（Ｎ−１）番目のＯＦＤＭシンボル、（Ｎ−８）番目のＯＦＤＭシンボル、および（Ｎ−７）番目のＯＦＤＭシンボルの少なくとも１つのＯＦＤＭシンボルは、前記第１のアイドル時間または前記第２のアイドル時間に属する請求項５または６に記載の方法。
【請求項８】
前記第１のスロットは１４個のＯＦＤＭシンボルを備え、前記第１のスロット内の前記Ｎ番目のＯＦＤＭシンボルは、前記１４個のＯＦＤＭシンボル内にあり、ダウンリンクデータを送信するために用いられるＯＦＤＭシンボルであり、前記第１のスロット内にある（Ｎ＋１）番目のＯＦＤＭシンボル、（Ｎ＋２）番目のＯＦＤＭシンボル、（Ｎ＋７）番目のＯＦＤＭシンボル、および（Ｎ＋８）番目のＯＦＤＭシンボルの少なくとも１つのＯＦＤＭシンボルは、前記第１のアイドル時間または前記第２のアイドル時間に属する請求項５または６に記載の方法。
【請求項９】
前記第１のスロットもしくは前記第２のスロットまたは両方は、周波数領域内の少なくとも２つの周波数帯域を占有し、前記少なくとも２つの周波数帯域は、第１の周波数帯域および第２の周波数帯域を備え、前記第１のアイドル時間または前記第２のアイドル時間は、前記第１の周波数帯域内にあり、
前記第１の周波数帯域内にあり、かつ前記第１のアイドル時間内に備えられるＯＦＤＭシンボル、前記第２のアイドル時間内に備えられるＯＦＤＭシンボル、またはＮ番目のＯＦＤＭシンボル以外の、別のＯＦＤＭシンボル内で送信されるデータの通信方向は、前記第１のアイドル時間内に含まれ、前記ＯＦＤＭシンボルは前記第２のアイドル時間内に含まれ、または前記Ｎ番目のＯＦＤＭシンボルは、前記Ｎ番目のＯＦＤＭシンボル内で送信されるデータの通信方向とは反対方向であり、前記通信方向は、アップリンク通信方向およびダウンリンク通信方向を備え、
前記第２の周波数帯域内にあり、時間領域シンボル位置において、前記第１の周波数帯域内にある前記第１のアイドル時間および前記第２のアイドル時間に対応する、ＯＦＤＭシンボル内で送信されるデータの通信方向は、前記Ｎ番目のシンボル内で送信される前記データの前記通信方向と同じであり、
前記第２の周波数帯域内にあり、時間領域シンボル位置において、前記第１の周波数帯域内にある前記第１のアイドル時間および前記第２のアイドル時間に対応する、前記ＯＦＤＭシンボル以外の別のＯＦＤＭシンボル内で送信されるデータの通信方向は、前記Ｎ番目のシンボル内で送信される前記データの前記通信方向とは反対方向である
請求項２乃至８のいずれか一項に記載の方法。
【請求項１０】
前記第１のスロットは、第１の送信時間をさらに備え、
前記第１の送信時間内に含まれるＯＦＤＭシンボルの少なくとも１つは、第１のサービスを送信するために用いられ、前記第１のアイドル時間内に含まれるＯＦＤＭシンボルの少なくとも１つは、第２のサービスを送信するために用いられる
請求項１乃至９のいずれか一項に記載の方法。
【請求項１１】
第１のスロットを決定する前記ステップの後に、前記方法は、
インジケーション情報を送るステップであって、前記インジケーション情報は、前記第１のアイドル時間内にあり、前記第２のサービスを送信するために用いられる少なくとも１つのＯＦＤＭシンボルを示すために用いられ、および／または少なくとも１つ第１の送信時間内にあり、前記第１のサービスを送信するために用いられる少なくとも１つのＯＦＤＭシンボルを示すために用いられる、ステップ
をさらに含む請求項１０に記載の方法。
【請求項１２】
前記インジケーション情報は、無線リソース制御シグナリングまたはダウンリンク制御シグナリングを用いることによって送られる請求項１１に記載の方法。
【請求項１３】
前記第１のアイドル時間内にあり、第２のサービスデータを送信するために用いられる少なくとも１つのＯＦＤＭシンボルは、予め規定される請求項１０に記載の方法。
【請求項１４】
第１のサービスデータの送信は取り消される、または前記第１のアイドル時間内にスケジューリングされない請求項１０乃至１３のいずれか一項に記載の方法。
【請求項１５】
前記第１のスロットもしくは前記第２のスロットまたは両方は、受信／送信遷移のために用いられるアイドルＯＦＤＭシンボルをさらに備え、受信／送信遷移のために用いられる少なくとも２つのアイドルＯＦＤＭシンボルが存在する請求項２乃至１４のいずれか一項に記載の方法。
【請求項１６】
前記予め設定された時間間隔閾値は、１ミリ秒以下である請求項１乃至１５のいずれか一項に記載の方法。
【請求項１７】
スロットスケジューリング装置であって、
第１のスロットを決定するように構成された処理ユニットであって、前記第１のスロットは第１のアイドル時間を備え、前記第１のアイドル時間の開始時点と、前記第１のスロットの開始時点との間の時間間隔は予め設定された時間間隔閾値以下であり、または前記第１のアイドル時間の開始時点と、前記第１のスロット内にあり、制御シグナリングを送信するために用いられる、少なくとも１つのＯＦＤＭシンボルの終了時点との間の時間間隔は予め設定された時間間隔閾値以下である、処理ユニットと、
前記第１のスロットを送るように構成された通信ユニットと
を備える装置。
【請求項１８】
前記処理ユニットは、
第２のスロットを決定するようにさらに構成され、前記第２のスロットは第２のアイドル時間を備え、
前記第２のアイドル時間の開始時点と、前記第２のスロットの開始時点との間の時間間隔は予め設定された時間間隔閾値以下であり、または前記第２のアイドル時間の開始時点と、前記第２のスロット内にあり、制御シグナリングを送信するために用いられる、少なくとも１つのＯＦＤＭシンボルの終了時点との間の時間間隔は予め設定された時間間隔閾値以下であり、
前記第２のアイドル時間の前記開始時点と、前記第１のアイドル時間の前記開始時点との間の時間間隔は予め設定された時間間隔閾値以下であり、または前記第２のアイドル時間の前記開始時点と、前記第１のアイドル時間の終了時点との間の時間間隔は予め設定された時間間隔閾値以下であり、または前記第２のアイドル時間の終了時点と、前記第１のアイドル時間の前記開始時点との間の時間間隔は予め設定された時間間隔閾値以下であり、または前記第２のアイドル時間の終了時点と、前記第１のアイドル時間の終了時点との間の時間間隔は予め設定された時間間隔閾値以下であり、
前記通信ユニットは、前記第２のスロットを送るようにさらに構成される
請求項１７に記載の装置。
【請求項１９】
前記第１のスロットは７個のＯＦＤＭシンボルを備え、前記第１のスロット内のＮ番目のＯＦＤＭシンボルは、前記７個のＯＦＤＭシンボル内にあり、アップリンクデータを送信するために用いられるＯＦＤＭシンボルであり、（Ｎ−１）番目または（Ｎ−２）番目のＯＦＤＭシンボルは前記第１のアイドル時間または前記第２のアイドル時間に属する請求項１８に記載の装置。
【請求項２０】
前記第１のスロットは７個のＯＦＤＭシンボルを備え、前記第１のスロット内のＮ番目のＯＦＤＭシンボルは、前記７個のＯＦＤＭシンボル内にあり、ダウンリンクデータを送信するために用いられるＯＦＤＭシンボルであり、（Ｎ＋１）番目または（Ｎ＋２）番目のＯＦＤＭシンボルは前記第１のアイドル時間または前記第２のアイドル時間に属する請求項１８に記載の装置。
【請求項２１】
前記第１のスロットは、第２のアイドル時間および第２の送信時間をさらに備え、
前記第１のアイドル時間の前記開始時点と、前記第１のスロットの前記開始時点との間の前記時間間隔は前記予め設定された時間間隔閾値以下であり、または前記第１のアイドル時間の前記開始時点と、前記第１のスロット内にあり、前記制御シグナリングを送信するために用いられる、少なくとも１つのＯＦＤＭシンボルの前記終了時点との間の前記時間間隔は前記予め設定された時間間隔閾値以下であり、または前記第２のアイドル時間の開始時点と、前記第２の送信時間の開始時点との間の時間間隔は予め設定された時間間隔閾値以下であり、または前記第２のアイドル時間の開始時点と、前記第２の送信時間の終了時点との間の時間間隔は予め設定された時間間隔閾値以下であり、
前記第２のアイドル時間の前記開始時点と、前記第１のアイドル時間の前記開始時点との間の時間間隔は予め設定された時間間隔閾値以下であり、または前記第２のアイドル時間の前記開始時点と、前記第１のアイドル時間の終了時点との間の時間間隔は予め設定された時間間隔閾値以下であり、または前記第２のアイドル時間の終了時点と、前記第１のアイドル時間の前記開始時点との間の時間間隔は予め設定された時間間隔閾値以下であり、または前記第２のアイドル時間の終了時点と、前記第１のアイドル時間の終了時点との間の時間間隔は予め設定された時間間隔閾値以下である
請求項１７に記載の装置。
【請求項２２】
前記第１のスロットは１４個のＯＦＤＭシンボルを備え、前記第１のスロット内のＮ番目のＯＦＤＭシンボルは前記第１のスロット内の第１から第６のＯＦＤＭシンボルの１つであり、
前記第１のアイドル時間は、前記第１のスロット内にある前記Ｎ番目のＯＦＤＭシンボル、（Ｎ＋１）番目のＯＦＤＭシンボル、（Ｎ＋７）番目のＯＦＤＭシンボル、および（Ｎ＋８）番目のＯＦＤＭシンボルの少なくとも１つのＯＦＤＭシンボルを備える
請求項２１に記載の装置。
【請求項２３】
前記第１のスロットは１４個のＯＦＤＭシンボルを備え、前記第１のスロット内の前記Ｎ番目のＯＦＤＭシンボルは、前記１４個のＯＦＤＭシンボル内にあり、アップリンクデータを送信するために用いられるＯＦＤＭシンボルであり、前記第１のスロット内にある（Ｎ−２）番目のＯＦＤＭシンボル、（Ｎ−１）番目のＯＦＤＭシンボル、（Ｎ−８）番目のＯＦＤＭシンボル、および（Ｎ−７）番目のＯＦＤＭシンボルの少なくとも１つのＯＦＤＭシンボルは、前記第１のアイドル時間または前記第２のアイドル時間に属する請求項２１または２２に記載の装置。
【請求項２４】
前記第１のスロットは１４個のＯＦＤＭシンボルを備え、前記第１のスロット内の前記Ｎ番目のＯＦＤＭシンボルは、前記１４個のＯＦＤＭシンボル内にあり、ダウンリンクデータを送信するために用いられるＯＦＤＭシンボルであり、前記第１のスロット内にある（Ｎ＋１）番目のＯＦＤＭシンボル、（Ｎ＋２）番目のＯＦＤＭシンボル、（Ｎ＋７）番目のＯＦＤＭシンボル、および（Ｎ＋８）番目のＯＦＤＭシンボルの少なくとも１つのＯＦＤＭシンボルは、前記第１のアイドル時間または前記第２のアイドル時間に属する請求項２１または２２に記載の装置。
【請求項２５】
前記第１のスロットもしくは前記第２のスロットまたは両方は、周波数領域内の少なくとも２つの周波数帯域を占有し、前記少なくとも２つの周波数帯域は、第１の周波数帯域および第２の周波数帯域を備え、前記第１のアイドル時間または前記第２のアイドル時間は、前記第１の周波数帯域内にあり、
前記第１の周波数帯域内にあり、かつ前記第１のアイドル時間内に備えられるＯＦＤＭシンボル、前記第２のアイドル時間内に備えられるＯＦＤＭシンボル、またはＮ番目のＯＦＤＭシンボル以外の、別のＯＦＤＭシンボル内で送信されるデータの通信方向は、前記第１のアイドル時間内に含まれ、前記ＯＦＤＭシンボルは前記第２のアイドル時間内に含まれ、または前記Ｎ番目のＯＦＤＭシンボルは、前記Ｎ番目のＯＦＤＭシンボル内で送信されるデータの通信方向とは反対方向であり、前記通信方向は、アップリンク通信方向およびダウンリンク通信方向を備え、
前記第２の周波数帯域内にあり、時間領域シンボル位置において、前記第１の周波数帯域内にある前記第１のアイドル時間および前記第２のアイドル時間に対応する、ＯＦＤＭシンボル内で送信されるデータの通信方向は、前記Ｎ番目のシンボル内で送信される前記データの前記通信方向と同じであり、
前記第２の周波数帯域内にあり、時間領域シンボル位置において、前記第１の周波数帯域内にある前記第１のアイドル時間および前記第２のアイドル時間に対応する、前記ＯＦＤＭシンボル以外の別のＯＦＤＭシンボル内で送信されるデータの通信方向は、前記Ｎ番目のシンボル内で送信される前記データの前記通信方向とは反対方向である
請求項１８乃至２４のいずれか一項に記載の装置。
【請求項２６】
前記第１のスロットは、第１の送信時間をさらに備え、
前記第１の送信時間内に含まれるＯＦＤＭシンボルの少なくとも１つは、第１のサービスを送信するために用いられ、前記第１のアイドル時間内に含まれるＯＦＤＭシンボルの少なくとも１つは、第２のサービスを送信するために用いられる
請求項１７乃至２５のいずれか一項に記載の装置。
【請求項２７】
前記通信ユニットは、
前記処理ユニットが前記スロットを決定した後、インジケーション情報を送るようにさらに構成され、
前記インジケーション情報は、前記第１のアイドル時間内にあり、前記第２のサービスを送信するために用いられる少なくとも１つのＯＦＤＭシンボルを示すために用いられ、および／または少なくとも１つ第１の送信時間内にあり、前記第１のサービスを送信するために用いられる少なくとも１つのＯＦＤＭシンボルを示すために用いられる
請求項２６に記載の装置。
【請求項２８】
前記通信ユニットは、無線リソース制御シグナリングまたはダウンリンク制御シグナリングを用いることによって、前記インジケーション情報を送る請求項２７に記載の装置。
【請求項２９】
前記第１のアイドル時間内にあり、第２のサービスデータを送信するために用いられる少なくとも１つのＯＦＤＭシンボルは、予め規定される請求項２６に記載の装置。
【請求項３０】
第１のサービスデータの送信は取り消される、または前記第１のアイドル時間内にスケジューリングされない請求項２６乃至２９のいずれか一項に記載の装置。
【請求項３１】
前記第１のスロットもしくは前記第２のスロットまたは両方は、受信／送信遷移のために用いられるアイドルＯＦＤＭシンボルをさらに備え、受信／送信遷移のために用いられる少なくとも２つのアイドルＯＦＤＭシンボルが存在する請求項１８乃至３０のいずれか一項に記載の装置。
【請求項３２】
前記予め設定された時間間隔閾値は、１ミリ秒以下である請求項１７乃至３１のいずれか一項に記載の装置。
【発明の詳細な説明】
【技術分野】
【０００１】
本出願は、参照によりその全体が本明細書に組み込まれている、２０１６年１１月４日に出願した「ＮＥＷ  ＴＲＡＮＳＭＩＳＳＩＯＮ  ＭＯＤＥ  ＳＵＰＰＯＲＴＩＮＧ  ＶＡＲＩＯＵＳ  ＳＥＲＶＩＣＥ  ＴＹＰＥＳ」という名称の特許出願第２０１６１０９６６０２４．１号の優先権を主張する。
【０００２】
本発明は、通信技術の分野に関し、具体的にはスロットスケジューリング方法および装置に関する。
【背景技術】
【０００３】
通信システムの発展とともに、第５世代（５Ｇ）新無線（Ｎｅｗ  Ｒａｄｉｏ、ＮＲ）通信システムが研究されている。
【０００４】
５Ｇ  ＮＲにおいて、エンハンストモバイルブロードバンド（ｅｎｈａｎｃｅｄ  ｍｏｂｉｌｅ  ｂｒｏａｄｂａｎｄ、ｅＭＢＢ）サービス、および超高信頼性低遅延通信（ｕｌｔｒａ−ｒｅｌｉａｂｌｅ  ａｎｄ  ｌｏｗ−ｌａｔｅｎｃｙ  ｃｏｍｍｕｎｉｃａｔｉｏｎｓ、ＵＲＬＬＣ）サービスなどの複数のサービスがサポートされる。ｅＭＢＢは、既存のモバイルブロードバンドサービスの強化であり、より高帯域幅のサービス、たとえば４ｋビデオ送信、および仮想現実（Ｖｉｒｔｕａｌ  Ｒｅａｌｉｔｙ、ＶＲ）ゲームレンダリングなどのサービスをサポートする。超高信頼性低遅延通信サービスは、極めて高い信頼性の観点では９９．９９９％までの正しい復調レートをサポートし、極めて低い遅延の観点では０．５ｍｓ以内のエンドツーエンド時間遅れをサポートする。主要なＵＲＬＬＣアプリケーションシナリオは、信頼性および遅延に対する高い要件を有する自動運転車およびネットワーキングドローンなどのアプリケーションを含む。
【０００５】
前述の２つサービスの説明から、異なるサービスは異なる遅延および帯域幅要件を有することが学ばれることができる。それに対応して、キャリアスペーシングが異なることもある。ニューメロロジーとは、サブキャリアスペーシングおよびシンボル持続時間などを含む送信タイプを意味する。ネットワークデバイスまたは端末が特定のニューメロロジーを用いるとき、送信は、ニューメロロジーにおけるサブキャリアスペーシングを用いることによって行われる。ネットワークデバイスまたは端末は、１５ｋＨ、３０ｋＨ、および６０ｋＨの異なるサブキャリアスペーシングを含むニューメロロジーなど、複数のニューメロロジーを用いてよく、図１に示されるように、周波数領域内の隣接周波数帯域における送信（隣接周波数モード送信）を行い得る。あるいは、ネットワークデバイスまたは端末は、図２に示されるように、複数のニューメロロジーを用いて同じ周波数帯域における送信（イントラ周波数モード送信）を行い得る。
【０００６】
現在、隣接周波数モードを用いるか、イントラ周波数モードを用いるかに関わらず、アップリンクデータ送信とダウンリンクデータ送信との間で、干渉が生じ得る。たとえば、イントラ周波数モード送信の間、１４個のシンボルを含んだダウンリンク優位スロットにおいて、各１ｍｓサブフレーム内のダウンリンクデータ送信は、０．８ｍｓ以上の間継続し得る。周波数帯域がダウンリンクデータ送信によって長時間占有される場合、同じ周波数帯域内のＵＲＬＬＣアップリンクデータ送信において、０．５ｍｓのエンドツーエンド時間遅れは実装されることができない。同様に、アップリンク優位サブフレームにおいて、周波数帯域がアップリンクデータ送信によって長時間占有される場合、同じ周波数帯域内のＵＲＬＬＣダウンリンク送信において、０．５ｍｓのエンドツーエンド時間遅れは実装されることができない。他の例に対して、隣接周波数モード送信の間、１つのネットワークデバイスが２つの隣接周波数帯域において異なるサービスをサポートするとき、１つの周波数帯域が０．８ｍｓの間継続するｅＭＢＢサービスダウンリンク送信をサポートする場合、隣接周波数帯域の隣接周波数漏洩によって引き起こされる干渉により、他方の周波数帯域はＵＲＬＬＣアップリンク送信サービスをサポートすることができない。したがって、高信頼性要件は満たされることができない。同様に、ｅＭＢＢアップリンク送信が一方の周波数帯域内で行われ、ＵＲＬＬＣダウンリンク送信が他方の周波数帯域内で用いられる場合、ｅＭＢＢアップリンク送信も隣接周波数漏洩により影響を受ける。異なるネットワークデバイスがそれぞれｅＭＢＢおよびＵＲＬＬＣサービスをサポートし、２つのネットワークデバイスが隣接周波数において動作するとき、アップリンクデータ送信とダウンリンクデータ送信との間の干渉は依然として存在する。
【発明の概要】
【０００７】
本発明の実施形態は、アップリンクデータ送信とダウンリンクデータ送信との間の干渉を回避するための、スロットスケジューリング方法および装置をもたらす。
【０００８】
第１の態様によれば、スロットスケジューリング方法がもたらされる。方法において、ｅＮＢはスロットを決定して送り、ＵＥはｅＮＢによって送られたスロットを受信し、スロット構造に基づいてデータを送信する。ｅＮＢによって決定されるスロットは第１のスロットを含み、第１のスロットは第１のアイドル時間を含み、第１のアイドル時間の開始時点と、第１のスロットの開始時点との間の時間間隔は予め設定された時間間隔閾値以下であり、または第１のアイドル時間の開始時点と、第１のスロット内にあり、制御シグナリングを送信するために用いられる、少なくとも１つのＯＦＤＭシンボルの終了時点との間の時間間隔は予め設定された時間間隔閾値以下である。予め設定された時間間隔閾値は、サービスが実際に送信されるために必要な最小遅延の要件に基づいて決定され得る。通常、予め設定された時間間隔閾値は１ミリ秒以下である。たとえば、第１のアイドル時間がＵＲＬＬＣサービスのためのアップリンクデータまたはダウンリンクデータを送信するために用いられる場合、予め設定された時間間隔閾値は０．５ミリ秒でよい。
【０００９】
本発明の実施形態において、スロットがスケジューリングされるとき、送信時間およびアイドル時間がスロット内で設定され、送信時間およびアイドル時間はそれぞれ、イントラ周波数モードまたは隣接周波数モードにおける異なるサービスの間の干渉を回避するために、イントラ周波数モードまたは隣接周波数モードにおいて異なるサービスを送信するように用いられる。
【００１０】
可能な実装において、スロットは第２のスロットをさらに含み、第２のスロットは第２のアイドル時間を含む。第２のアイドル時間の開始時点と、第２のスロットの開始時点との間の時間間隔は予め設定された時間間隔閾値以下であり、または第２のアイドル時間の開始時点と、第２のスロット内にあり、制御シグナリングを送信するために用いられる、少なくとも１つのＯＦＤＭシンボルの終了時点との間の時間間隔は予め設定された時間間隔閾値以下である。第２のアイドル時間の開始時点と、第１のアイドル時間の開始時点との間の時間間隔は予め設定された時間間隔閾値以下であり、または第２のアイドル時間の開始時点と、第１のアイドル時間の終了時点との間の時間間隔は予め設定された時間間隔閾値以下であり、または第２のアイドル時間の終了時点と、第１のアイドル時間の開始時点との間の時間間隔は予め設定された時間間隔閾値以下であり、または第２のアイドル時間の終了時点と、第１のアイドル時間の終了時点との間の時間間隔は予め設定された時間間隔閾値以下である。
【００１１】
第１のスロットは７個のＯＦＤＭシンボルを含み、第１のスロット内のＮ番目のＯＦＤＭシンボルは、７個のＯＦＤＭシンボル内にあり、アップリンクデータを送信するために用いられるＯＦＤＭシンボルであり、（Ｎ−１）番目または（Ｎ−２）番目のＯＦＤＭシンボルは第１のアイドル時間または第２のアイドル時間に属する。
【００１２】
第１のスロットは７個のＯＦＤＭシンボルを含み、第１のスロット内のＮ番目のＯＦＤＭシンボルは、７個のＯＦＤＭシンボル内にあり、ダウンリンクデータを送信するために用いられるＯＦＤＭシンボルであり、（Ｎ＋１）番目または（Ｎ＋２）番目のＯＦＤＭシンボルは第１のアイドル時間または第２のアイドル時間に属する。
【００１３】
他の可能な実装において、第１のスロットは、第１の送信時間、第１のアイドル時間、第２のアイドル時間、および第２の送信時間を含む。
【００１４】
第２のアイドル時間の開始時点と、第２の送信時間の開始時点との間の時間間隔は予め設定された時間間隔閾値以下であり、または第２のアイドル時間の開始時点と、第２の送信時間の終了時点との間の時間間隔は予め設定された時間間隔閾値以下である。
【００１５】
第２のアイドル時間の開始時点と、第１のアイドル時間の開始時点との間の時間間隔は予め設定された時間間隔閾値以下であり、または第２のアイドル時間の開始時点と、第１のアイドル時間の終了時点との間の時間間隔は予め設定された時間間隔閾値以下であり、または第２のアイドル時間の終了時点と、第１のアイドル時間の開始時点との間の時間間隔は予め設定された時間間隔閾値以下であり、または第２のアイドル時間の終了時点と、第１のアイドル時間の終了時点との間の時間間隔は予め設定された時間間隔閾値以下である。
【００１６】
第１のスロットは１４個のＯＦＤＭシンボルを含み、第１のスロット内のＮ番目のＯＦＤＭシンボルは第１のスロット内の第１から第６のＯＦＤＭシンボルの１つである。第１のアイドル時間は、スロット内にあるＮ番目のＯＦＤＭシンボル、（Ｎ＋１）番目のＯＦＤＭシンボル、（Ｎ＋７）番目のＯＦＤＭシンボル、および（Ｎ＋８）番目のＯＦＤＭシンボルの少なくとも１つを含む。
【００１７】
第１のスロットは１４個のＯＦＤＭシンボルを含み、第１のスロット内のＮ番目のＯＦＤＭシンボルは、１４個のＯＦＤＭシンボル内にあり、アップリンクデータを送信するために用いられるＯＦＤＭシンボルであり、第１のスロット内にある（Ｎ−２）番目のＯＦＤＭシンボル、（Ｎ−１）番目のＯＦＤＭシンボル、（Ｎ−８）番目のＯＦＤＭシンボル、および（Ｎ−７）番目のＯＦＤＭシンボルの少なくとも１つは、第１のアイドル時間または第２のアイドル時間に属する。
【００１８】
第１のスロットは１４個のＯＦＤＭシンボルを含み、第１のスロット内のＮ番目のＯＦＤＭシンボルは、１４個のＯＦＤＭシンボル内にあり、ダウンリンクデータを送信するために用いられるＯＦＤＭシンボルであり、第１のスロット内にある（Ｎ＋１）番目のＯＦＤＭシンボル、（Ｎ＋２）番目のＯＦＤＭシンボル、（Ｎ＋７）番目のＯＦＤＭシンボル、および（Ｎ＋８）番目のＯＦＤＭシンボルの少なくとも１つは、第１のアイドル時間または第２のアイドル時間に属する。
【００１９】
他の可能な実装において、第１のスロットおよび／または第２のスロットは、周波数領域内の少なくとも２つの周波数帯域を占有し、少なくとも２つの周波数帯域は、第１の周波数帯域および第２の周波数帯域を含み、第１のアイドル時間または第２のアイドル時間は、第１の周波数帯域内にある。第１の周波数帯域内にあり、第１のアイドル時間内に含まれるＯＦＤＭシンボル、第２のアイドル時間内に含まれるＯＦＤＭシンボル、およびＮ番目のＯＦＤＭシンボル以外の、別のＯＦＤＭシンボル内で送信されるデータの通信方向は、Ｎ番目のＯＦＤＭシンボル内で送信されるデータの通信方向とは反対方向であり、通信方向は、アップリンク通信方向およびダウンリンク通信方向を含む。第２の周波数帯域内にあり、時間領域シンボル位置において、第１の周波数帯域内の第１のアイドル時間および第２のアイドル時間に対応する、ＯＦＤＭシンボル内で送信されるデータの通信方向は、Ｎ番目のシンボル内で送信されるデータの通信方向と同じである。第２の周波数帯域内にあり、時間領域シンボル位置において、第１の周波数帯域内の第１のアイドル時間および第２のアイドル時間に対応する、ＯＦＤＭシンボル以外の別のＯＦＤＭシンボル内で送信されるデータの通信方向は、Ｎ番目のシンボル内で送信されるデータの通信方向とは反対方向である。
【００２０】
可能な実装において、第１のスロットは第１の送信時間および第１のアイドル時間を含む。第１の送信時間内に含まれるＯＦＤＭシンボルの少なくとも１つは、第１のサービスを送信するために用いられ、第１のアイドル時間内に含まれるＯＦＤＭシンボルの少なくとも１つは、第２のサービスを送信するために用いられる。
【００２１】
ｅＮＢが、第１の送信時間内にあり、第１のサービスを送信するために用いられるＯＦＤＭシンボル、および第１のアイドル時間内にあり、第２のサービスを送信するために用いられるＯＦＤＭシンボルを決定して、ＵＥをスケジューリングするとき、実装において、ｅＮＢはインジケーション情報をＵＥに送ってよく、インジケーション情報は、第１のアイドル時間内にあり、第２のサービスを送信するために用いられる少なくとも１つのＯＦＤＭシンボルを示すために用いられ、および／または少なくとも１つ第１の送信時間内にあり、第１のサービスを送信するために用いられる少なくとも１つのＯＦＤＭシンボルを示すために用いられる。インジケーション情報は、ダウンリンク制御情報（Ｄｏｗｎｌｉｎｋ  Ｃｏｎｔｒｏｌ  Ｉｎｆｏｒｍａｔｉｏｎ、ＤＣＩ）、無線リソース制御（Ｒａｄｉｏ  Ｒｅｓｏｕｒｃｅ  Ｃｏｎｔｒｏｌ、ＲＲＣ）情報などを用いることによって送られ得る。他の実装において、第１のアイドル時間内にあり、第２のサービスデータを送信するために用いられる少なくとも１つのＯＦＤＭシンボルを規定するために、予め規定されたやり方も用いられ得る。
【００２２】
他の可能な実装において、第１のサービスをスケジューリングするとき、ｅＮＢは第１のアイドル時間内の第１のサービスデータの送信を取り消す、またはスケジューリングしなくてよい。ｅＮＢは第１のサービスデータの送信を取り消す、またはスケジューリングしないので、ＵＥは第１のアイドル時間内に第１のサービスデータを送信しない。
【００２３】
ダウンリンク専用スロットにおいて、第１のサービスは第６のＯＦＤＭシンボルまたは第１３のＯＦＤＭシンボル内では行われない。第１のサービスが行われないＯＦＤＭシンボルは、第１のアイドル時間および第２のアイドル時間内のＯＦＤＭシンボルである。７個のＯＦＤＭシンボルを含んだダウンリンク優位スロットにおいて、第１のサービスのアップリンク送信が開始するＯＦＤＭシンボルの番号がＮである場合、第１のサービスは（Ｎ−２）番目または（Ｎ−１）番目のＯＦＤＭシンボル内では行われない。１４個のＯＦＤＭシンボルを含んだダウンリンク優位スロットにおいて、第１のサービスのアップリンク送信が開始するＯＦＤＭシンボルの番号がＮである場合、第１のサービスは（Ｎ−２）番目、（Ｎ−１）番目、（Ｎ−８）番目、または（Ｎ−７）番目のＯＦＤＭシンボル内では行われない。
【００２４】
アップリンク専用スロットにおいて、第１のサービスは第２のＯＦＤＭシンボルおよび第９のＯＦＤＭシンボル内では行われない。７個のＯＦＤＭシンボルを含んだアップリンク優位スロットにおいて、第１のサービスのダウンリンク送信が終了するＯＦＤＭシンボルの番号がＮである場合、第１のサービスは（Ｎ＋１）番目または（Ｎ＋２）番目のＯＦＤＭシンボル内では行われない。１４個のＯＦＤＭシンボルを含んだアップリンク優位スロットにおいて、第１のサービスのダウンリンク送信が終了するＯＦＤＭシンボルの番号がＮである場合、第１のサービスは（Ｎ＋１）番目、（Ｎ＋２）番目、（Ｎ＋７）番目、または（Ｎ＋８）番目のＯＦＤＭシンボル内では行われない。
【００２５】
ダウンリンク専用スロットにおいて、第１のサービスは第６または第１３のＯＦＤＭシンボル内では行われない。１４個のＯＦＤＭシンボルを含んだダウンリンク優位スロットにおいて、第１のサービスのアップリンク送信が開始するＯＦＤＭシンボルの番号がＮである場合、第１のサービスは（Ｎ−１）番目または（Ｎ−８）番目のＯＦＤＭシンボル内では行われない。
【００２６】
アップリンク専用スロットにおいて、第１のサービスは第１のＯＦＤＭシンボルまたは第８のＯＦＤＭシンボル内では行われない。７個のＯＦＤＭシンボルを含んだアップリンク優位スロットにおいて、第１のサービスのダウンリンク送信が終了するＯＦＤＭシンボルの番号がＮである場合、第１のサービスは（Ｎ＋１）番目のＯＦＤＭシンボル内では行われない。１４個のＯＦＤＭシンボルを含んだアップリンク優位スロットにおいて、第１のサービスのダウンリンク送信が終了するＯＦＤＭシンボルの番号がＮである場合、第１のサービスは（Ｎ＋１）番目または（Ｎ＋８）番目のＯＦＤＭシンボル内では行われない。
【００２７】
ダウンリンク専用スロットにおいて、第１のサービスは第７または第１４のＯＦＤＭシンボル内では行われない。１４個のＯＦＤＭシンボルを含んだダウンリンク優位スロットにおいて、第１のサービスのアップリンク送信が開始するＯＦＤＭシンボルの番号がＮである場合、第１のサービスは（Ｎ−７）番目のＯＦＤＭシンボル内では行われない。
【００２８】
アップリンク専用スロットにおいて、第１のサービスは第１のＯＦＤＭシンボルまたは第８のＯＦＤＭシンボル内では行われない。１４個のＯＦＤＭシンボルを含んだアップリンク優位スロットにおいて、第１のサービスのダウンリンク送信が終了するＯＦＤＭシンボルの番号がＮである場合、第１のサービスは（Ｎ＋７）番目のＯＦＤＭシンボル内では行われない。
【００２９】
ダウンリンク専用スロットにおいて、第１のサービスは第７または第１４のＯＦＤＭシンボル内では行われない。１４個のＯＦＤＭシンボルを含んだダウンリンク優位スロットにおいて、第１のサービスのアップリンク送信が開始するＯＦＤＭシンボルの番号がＮである場合、第１のサービスは（Ｎ−７）番目のＯＦＤＭシンボル内では行われない。
【００３０】
アップリンク専用スロットにおいて、第１のサービスは第１のＯＦＤＭシンボルまたは第８のＯＦＤＭシンボル内では行われない。１４個のＯＦＤＭシンボルを含んだアップリンク優位スロットにおいて、第１のサービスのダウンリンク送信が終了するＯＦＤＭシンボルの番号がＮである場合、第１のサービスは（Ｎ＋７）番目のＯＦＤＭシンボル内では行われない。
【００３１】
他の可能な実装において、第１のスロットおよび／または第２のスロットが、受信／送信遷移のために用いられるアイドルＯＦＤＭシンボルを含む場合、第１のサービスの送信と、第２のサービスの送信との間の遷移を実装するために十分な時間を予約するように、受信／送信遷移のために用いられる少なくとも２つのアイドルＯＦＤＭシンボルが設定され得る。
【００３２】
第２の態様によれば、スロットスケジューリング装置がもたらされる。スロットスケジューリング装置は、第１の態様におけるスロットスケジューリングを実装する機能を有する。機能はハードウェアによって実装されてよく、または対応するソフトウェアを実行するハードウェアによって実装されてよい。ハードウェアまたはソフトウェアは、前述の機能に対応する１つまたは複数のモジュールを含む。モジュールは、ソフトウェアおよび／またはハードウェアでよい。
【００３３】
可能な設計において、スロットスケジューリング装置は、処理ユニットおよび通信ユニットを含み、処理ユニットおよび通信ユニットの機能は、方法ステップに対応し得る。さらに、処理ユニットによって決定されるスロットは、第１の態様における任意のスロット構造を有する。詳細は、本明細書において再び述べられない。
【００３４】
第３の態様によれば、ネットワークデバイスがもたらされ、ネットワークデバイスは、プロセッサ、メモリ、受信器、および送信器を含む。
【００３５】
メモリは、命令を記憶するように構成される。プロセッサは、受信器および送信器を制御して信号を受信するおよび送るために、メモリに記憶された命令を実行するように構成される。プロセッサが、メモリに記憶された命令を実行するとき、ネットワークデバイスは、第１の態様において述べられる任意のスロットスケジューリング方法を完了するように構成される。
【００３６】
本発明の実施形態によれば、アイドル時間はスロット内の特定の位置において設定される。第１のサービスはアイドル時間内にスケジューリングされず、それによって第２のサービスのための送信機会をもたらす。さらに、第１のサービスおよび第２のサービスの、アップリンク送信およびダウンリンク送信の時間領域位置は重複せず、それによって相互干渉を回避する。
【図面の簡単な説明】
【００３７】
【図１】現在の隣接周波数モード送信の概略図である。
【図２】現在のイントラ周波数モード送信の概略図である。
【図３】本発明の実施形態によるスロットスケジューリング方法が適用されるワイヤレス通信システムのアーキテクチャ図である。
【図４】自己完結型の（ｓｅｌｆ−ｃｏｎｔａｉｎｅｄ）サブフレーム構造の概略図である。
【図５】１５ｋＨｚのサブキャリアスペーシングを有するサブフレーム構成の概略図である。
【図６】本発明の実施形態によるスロットスケジューリング方法のフローチャートである。
【図７】本発明の実施形態によるスロット構造の概略図である。
【図８】本発明の実施形態によるスロット構造の他の概略図である。
【図９】本発明の実施形態によるスロット構造の他の概略図である。
【図１０】ｅＭＢＢダウンリンク送信およびＵＲＬＬＣアップリンク送信をスケジューリングするためのＯＦＤＭシンボルの番号位置の概略図である。
【図１１】ｅＭＢＢアップリンク送信およびＵＲＬＬＣダウンリンク送信をスケジューリングするためのＯＦＤＭシンボルの番号位置の概略図である。
【図１２】ｅＭＢＢダウンリンク送信およびＵＲＬＬＣアップリンク送信をスケジューリングするためのＯＦＤＭシンボルの番号位置の他の概略図である。
【図１３】ｅＭＢＢアップリンク送信およびＵＲＬＬＣダウンリンク送信をスケジューリングするためのＯＦＤＭシンボルの番号位置の他の概略図である。
【図１４】ｅＭＢＢダウンリンク送信およびＵＲＬＬＣアップリンク送信をスケジューリングするためのＯＦＤＭシンボルの番号位置の他の概略図である。
【図１５】ｅＭＢＢアップリンク送信およびＵＲＬＬＣダウンリンク送信をスケジューリングするためのＯＦＤＭシンボルの番号位置の他の概略図である。
【図１６】ｅＭＢＢダウンリンク送信およびＵＲＬＬＣアップリンク送信をスケジューリングするためのＯＦＤＭシンボルの番号位置の他の概略図である。
【図１７】ｅＭＢＢアップリンク送信およびＵＲＬＬＣダウンリンク送信をスケジューリングするためのＯＦＤＭシンボルの番号位置の他の概略図である。
【図１８】本発明の実施形態によるスロットスケジューリング装置の概略構造図である。
【図１９】本発明の実施形態によるネットワークデバイスの概略構造図である。
【発明を実施するための形態】
【００３８】
以下は、添付の図面を参照しながら、本発明の実施形態について説明する。
【００３９】
最初に、本出願におけるいくつかの用語は、当業者がより良い理解をもつのを助けるために説明される。
【００４０】
（１）無線アクセスネットワーク（Ｒａｄｉｏ  Ａｃｃｅｓｓ  Ｎｅｔｗｏｒｋ、ＲＡＮ）デバイスと呼ばれることがあるネットワークデバイスは、端末とワイヤレスネットワークを接続し、限定するものではないが、進化型ＮｏｄｅＢ（ｅｖｏｌｖｅｄ  ＮｏｄｅＢ、ｅＮＢ）、無線ネットワークコントローラ（Ｒａｄｉｏ  Ｎｅｔｗｏｒｋ  Ｃｏｎｔｒｏｌｌｅｒ、ＲＮＣ）、ＮｏｄｅＢ（ＮｏｄｅＢ、ＮＢ）、基地局コントローラ（Ｂａｓｅ  Ｓｔａｔｉｏｎ  Ｃｏｎｔｒｏｌｌｅｒ、ＢＳＣ）、基地トランシーバ局（Ｂａｓｅ  Ｔｒａｎｓｃｅｉｖｅｒ  Ｓｔａｔｉｏｎ、ＢＴＳ）、ホーム基地局（たとえば、Ｈｏｍｅ  ｅｖｏｌｖｅｄ  ＮｏｄｅＢまたはＨｏｍｅ  ＮｏｄｅＢ、ＨＮＢ）、ベースバンドユニット（ＢａｓｅＢａｎｄ  Ｕｎｉｔ、ＢＢＵ）、ワイヤレスフィデリティ（Ｗｉｒｅｌｅｓｓ  Ｆｉｄｅｌｉｔｙ、Ｗｉ−Ｆｉ）アクセスポイント（Ａｃｃｅｓｓ  Ｐｏｉｎｔ、ＡＰ）、送信ポイント（ｔｒａｎｓｍｉｓｓｉｏｎ  ａｎｄ  ｒｅｃｅｉｖｅｒ  ｐｏｉｎｔ、ＴＲＰまたはｔｒａｎｓｍｉｓｓｉｏｎ  ｐｏｉｎｔ、ＴＰ）などを含むデバイスである。
【００４１】
（２）端末は、音声および／もしくはデータ接続性をユーザに提供し、ワイヤレス通信機能をもつ、ハンドヘルドデバイス、車載デバイス、ウェアラブルデバイス、もしくはコンピューティングデバイス、ワイヤレスモデムに接続された別の処理デバイス、または移動局（Ｍｏｂｉｌｅ  Ｓｔａｔｉｏｎ、ＭＳ）、端末デバイス（Ｔｅｒｍｉｎａｌ  Ｅｑｕｉｐｍｅｎｔ）、送信ポイント（ｔｒａｎｓｍｉｓｓｉｏｎ  ａｎｄ  ｒｅｃｅｉｖｅｒ  ｐｏｉｎｔ、ＴＲＰまたはｔｒａｎｓｍｉｓｓｉｏｎ  ｐｏｉｎｔ、ＴＰ）などを含む、種々の形をしたユーザ機器（Ｕｓｅｒ  Ｅｑｕｉｐｍｅｎｔ、ＵＥ）を含んでよいデバイスである。
【００４２】
（３）相互作用：本出願における相互作用は、２つの相互作用関係者が互いに情報を転送するプロセスを意味する。本明細書における転送される情報は、同じであってもよいし、異なってもよい。たとえば、２つの相互作用関係者は基地局１および基地局２であり、基地局１は、基地局２に情報を要求することがあり、基地局２は、基地局１によって要求された情報を基地局１に提供する。確実に、基地局１および基地局２は、互いに情報を要求し得る。本明細書における要求される情報は、同じであってもよいし、異なってもよい。
【００４３】
（４）「複数の」は、２つ、または３つ以上を指す。「および／または」という用語は、関連づけられた対象の関連づけ関係について説明し、３つの関係が存在し得ることを表す。たとえば、Ａおよび／またはＢは、以下の３つのケース、すなわち、Ａのみが存在する、ＡとＢの両方が存在する、およびＢのみが存在する、を表し得る。「／」という文字は、一般に、関連づけられた対象間の「または」関係を表す。
【００４４】
（５）「ネットワーク」および「システム」という用語は、互換的に用いられることが多いが、当業者は、これらの用語の意味を理解することができる。「情報（ｉｎｆｏｒｍａｔｉｏｎ）」、「信号（ｓｉｇｎａｌ）」、「メッセージ（ｍｅｓｓａｇｅ）」、および「チャネル（ｃｈａｎｎｅｌ）」は、互換的に用いられてよい。差異が強調されないとき、表現されることになる意味は一貫していることが留意されるべきである。本明細書において、「の（ｏｆ）」、「関連のある（ｃｏｒｒｅｓｐｏｎｄｉｎｇ、ｒｅｌｅｖａｎｔ）」、および「対応する（ｃｏｒｒｅｓｐｏｎｄｉｎｇ）」は、互換的に用いられることもある。差異が強調されないとき、表現されることになる意味は一貫していることが留意されるべきである。
【００４５】
本発明の実施形態において提供されるスロットスケジューリング方法は、図３に示されるワイヤレス通信システムに適用されてよい。図３に示されるように、端末は、無線アクセスネットワーク（Ｒａｄｉｏ  Ａｃｃｅｓｓ  Ｎｅｔｗｏｒｋ、ＲＡＮ）を用いることによってコアネットワーク（Ｃｏｒｅ  Ｎｅｔｗｏｒｋ、ＣＮ）にアクセスし、種々の通信サービスを実行する。
【００４６】
ワイヤレス通信システムはワイヤレス通信機能を提供するネットワークであることが理解できる。ワイヤレス通信システムは、異なる通信技術、たとえば、Ｃｏｄｅ  Ｄｉｖｉｓｉｏｎ  Ｍｕｌｔｉｐｌｅ  Ａｃｃｅｓｓ（符号分割多重アクセス、ＣＤＭＡ）、Ｗｉｄｅｂａｎｄ  Ｃｏｄｅ  Ｄｉｖｉｓｉｏｎ  Ｍｕｌｔｉｐｌｅ  Ａｃｃｅｓｓ（広帯域符号分割多重アクセス、ＷＣＤＭＡ）、Ｔｉｍｅ  Ｄｉｖｉｓｉｏｎ  Ｍｕｌｔｉｐｌｅ  Ａｃｃｅｓｓ（時分割多重アクセス、ＴＤＭＡ）、Ｆｒｅｑｕｅｎｃｙ  Ｄｉｖｉｓｉｏｎ  Ｍｕｌｔｉｐｌｅ  Ａｃｃｅｓｓ（周波数分割多重アクセス、ＦＤＭＡ）、直交周波数分割多重アクセス（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ、ＯＦＤＭＡ）、シングルキャリア周波数分割多重アクセス（ｓｉｎｇｌｅ  Ｃａｒｒｉｅｒ  ＦＤＭＡ、ＳＣ−ＦＤＭＡ）、および搬送波感知多重アクセス衝突検出（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）を用いてよい。異なるネットワークの容量、速度、および待ち時間などの要因に基づいて、ネットワークは、２Ｇ（英語：世代）ネットワーク、３Ｇネットワーク、４Ｇネットワーク、または５Ｇネットワークなどの将来の進化型ネットワークに分類され得る。代表的な２Ｇネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（モバイル通信用グローバルシステム／汎用パケット無線サービス、ＧＳＭ）ネットワークまたは汎用パケット無線サービス（ｇｅｎｅｒａｌ  ｐａｃｋｅｔ  ｒａｄｉｏ  ｓｅｒｖｉｃｅ、ＧＰＲＳ）ネットワークを含む。代表的な３Ｇネットワークは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ユニバーサル移動体通信システム、ＵＭＴＳ）ネットワークを含む。代表的な４Ｇネットワークは、Ｌｏｎｇ  Ｔｅｒｍ  Ｅｖｏｌｕｔｉｏｎ（ロングタームエボリューション、ＬＴＥ）ネットワークを含む。ＵＭＴＳネットワークは、ユニバーサル地上無線アクセスネットワーク（ｕｎｉｖｅｒｓａｌ  ｔｅｒｒｅｓｔｒｉａｌ  ｒａｄｉｏ  ａｃｃｅｓｓ  ｎｅｔｗｏｒｋ、ＵＴＲＡＮ）と呼ばれることもあり、ＬＴＥネットワークは、進化型ユニバーサル地上無線アクセスネットワーク（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ、Ｅ−ＵＴＲＡＮ）と呼ばれることもある。異なるリソース割り当てモードに基づいて、ネットワークは、セルラー式通信ネットワークおよびワイヤレスローカルエリアネットワーク（ｗｉｒｅｌｅｓｓ  ｌｏｃａｌ  ａｒｅａ  ｎｅｔｗｏｒｋ、ＷＬＡＮ）に分割され得る。セルラー式通信ネットワークはスケジューリングベースであり、ＷＬＡＮは競合ベースである。前述の２Ｇネットワーク、３Ｇネットワーク、および４Ｇネットワークはすべて、セルラー式通信ネットワークである。当業者は、技術の発展とともに、本発明の実施形態において提供される技術的解決策は、別のワイヤレス通信ネットワーク、たとえば、４．５Ｇネットワークまたは５Ｇネットワークにも適用されてもよいし、���の非セルラー式通信ネットワークにも適用されてよいことを知るべきである。簡潔さのために、ワイヤレス通信ネットワークは、本発明の実施形態において、ネットワークと簡潔に呼ばれることもある。
【００４７】
セルラー式通信ネットワークは、ワイヤレス通信ネットワークのタイプであり、ユーザが活動中に互いと通信することができるように、セルラー式ワイヤレスネットワークモードを用いて、ワイヤレスチャネルを通じて端末デバイスとネットワークデバイスを接続する。セルラー式通信ネットワークは、端末モビリティの主要な特徴をもち、セル間ハンドオーバおよびローカルネットワーク全体にわたる自動ローミングの機能をもつ。
【００４８】
本発明の実施形態が５Ｇ  ＮＲ通信システムに適用されることは、以下で説明のための例として用いられる。ネットワークデバイスがｅＮＢであり、端末がＵＥであることは、説明のための例として用いられる。本発明の実施形態における解決策は別のワイヤレス通信ネットワークにも適用され得ることが留意されるべきである。対応する名前は、別のワイヤレス通信ネットワークにおける対応する機能の名前によって置き換えられることもある。
【００４９】
ＵＥが種々の通信サービスを実行するとき、ｅＮＢは、ＵＥのためのサブフレーム構造を構成する必要がある。サブフレーム構造を構成するプロセスが、スロットスケジューリングプロセスとも呼ばれることがあることが理解できる。本発明の本実施形態における以下の説明プロセスでは、「サブフレーム」および「スロット」は、互換的に用いられることが多いが、当業者は、その意味を理解することができる。
【００５０】
５Ｇ  ＮＲでは、自己完結型の（ｓｅｌｆ−ｃｏｎｔａｉｎｅｄ）サブフレーム構造は、種々の通信サービスをサポートするために導入される（種々の通信サービスは、限定されるものではないが、ｅＭＢＢサービスおよびＵＲＬＬＣサービスを含む）。自己完結型のサブフレーム構造は、アップリンクデータを送信するために用いられる直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルと、ダウンリンクデータを送信するために用いられるＯＦＤＭシンボルとを含む。図４は、自己完結型のサブフレーム構造の概略図である。図４に示されるように、自己完結型のサブフレーム構造は、３つの部分を含む。第１の部分は、ダウンリンク制御（Ｄｏｗｎｌｉｎｋ  ｃｏｎｔｒｏｌ、ＤＬ制御）であり、ダウンリンクグラント（Ｄｏｗｎｌｉｎｋ  ｇｒａｎｔ、ＤＬグラント）またはアップリンクグラント（Ｕｐｌｉｎｋ  ｇｒａｎｔ、ＵＬグラント）を送信するために用いられてよく、リソース構成情報をＵＥに示すために用いられる。第２の部分は、ＵＬグラントによって以前に割り当てられたリソースに基づいてｅＮＢがダウンリンク（Ｄｏｗｎｌｉｎｋ、ＤＬ）データを送信し得るまたはＵＥがアップリンク（Ｕｐｌｉｎｋ、ＵＬ）データを送信し得るデータ（ｄａｔａ）部分である。第３の部分は、アップリンク制御（Ｕｐｌｉｎｋ  ｃｏｎｔｒｏｌ、ＵＬ制御）である。このリソース上で、ｅＮＢは、肯定応答（Ａｃｋｎｏｗｌｅｄｇｅ、ＡＣＫ）命令または否定応答（Ｎｅｇａｔｉｖｅ  Ａｃｋｎｏｗｌｅｄｇｅ、ＮＡＣＫ）命令で以前のダウンリンクデータに応答してもよいし、ＵＥのその後のスケジューリングにおいてｅＮＢを支援するためにアップリンクチャネル状態情報（Ｃｈａｎｎｅｌ  Ｓｔａｔｅ  Ｉｎｆｏｒｍａｔｉｏｎ、ＣＳＩ）を送信してもよい。
【００５１】
異なるタイプのサブフレームを区別するために、ダウンリンクデータが送信されるサブフレームは、１４のシンボルを含むダウンリンク優位（downlink-dominate）スロットと呼ばれ、アップリンクデータが送信されるサブフレームは、アップリンク優位（uplink-dominate）サブフレームと呼ばれる。１４のシンボルを含むダウンリンク優位スロットにおいて、ＤＬグラントは、ｅＮＢがダウンリンクデータをＵＥに送信することになる時間領域位置および周波数領域位置をＵＥに示し、ＵＥが対応する時間領域リソースおよび周波数領域リソース上でリッスンするように、ＤＬ制御内で送信される。ＤＬグラントが送信された後、ダウンリンクデータが送信される。ダウンリンクデータが送信された後、ガード期間（ｇｕａｒｄ  ｐｅｒｉｏｄ、ＧＰ）の後、ＵＥは、ダウンリンクデータを復号した結果に基づいて、ＡＣＫまたはＮＡＣＫで応答する。ガード期間は、アイドルシンボルを含む。アイドルシンボルは、サービスに対して送信が実行されないシンボルである、言い換えれば、このサービスは、アイドルシンボル内で送信されないが、別のサービスは、アイドルシンボル内で送信されることがある。たとえば、この時間期間中に、ｅＮＢは、ｅＭＢＢ送信を実行しない。アップリンク優位サブフレームにおいて、ＵＬグラントは、ＵＥがアップリンク送信を実行するべき時間領域リソースおよび周波数領域リソースをＵＥに示すために、ＤＬ制御部分内で送信される。主に、２つのケースがある。１つのケースでは、ｅＮＢは、アップリンクデータを送信するために、サブフレーム全体の残りの時間をＵＥに割り当てる。ＵＥは、サブフレームが終了するまで、ＧＰの後にアップリンクデータを送信する。もう１つのケースでは、ｅＮＢは、データ部分のみをＵＥによるアップリンク送信に割り当てる。このケースでは、ＧＰの後、ＵＥは、ＵＬグラント内で割り当てられたリソースに基づいてアップリンクデータを送信し、送信が終了した後、アップリンク制御情報（たとえば、ＣＳＩ）などが、スケジューリングされたＵＥによって送信される。
【００５２】
５Ｇ  ＮＲでは、ＵＥおよびｅＮＢは、複数の異なるタイプのサブキャリアスペーシングを有するサブフレーム構成をサポートし得る。図５は、１５ｋＨｚのサブキャリアスペーシングを有するサブフレーム構成を示す。図５では、上から下へ順番に、ダウンリンクのみのスロット、１４のシンボルを含むダウンリンク優位スロット（アップリンクおよびダウンリンク受信／送信遷移の間隔は、１つの直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルである）、７つのシンボルを含むダウンリンク優位スロット（アップリンクおよびダウンリンク受信／送信遷移の間隔は、１つのＯＦＤＭシンボルである）、アップリンクのみのスロット、１４のシンボルを含むアップリンク優位スロット（アップリンクおよびダウンリンク受信／送信遷移の間隔は、１つのＯＦＤＭシンボルである）、および７つのシンボルを含むアップリンク優位スロット（アップリンクおよびダウンリンク受信／送信遷移の間隔は、１つのＯＦＤＭシンボルである）である。図５では、ＤＬ  ｃｔｒｌはＤＬ制御を表し、ＵＬ  ｃｔｒｌはＵＬ制御を表し、番号１、２、…、１４はそれぞれ、ＤＬデータまたはＵＬデータを送信するために用いられるＯＦＤＭシンボルの位置を表す。
【００５３】
本発明の実施形態では、「背景技術」において説明されるアップリンクデータ送信とダウンリンクデータ送信との間の干渉を回避するために、スロットがスケジューリングされるとき、送信時間およびアイドル時間がスロット内で設定されてよく、送信時間およびアイドル時間はそれぞれ、イントラ周波数モードまたは隣接周波数モードにおける異なるサービス間の干渉を回避するように、イントラ周波数モードまたは隣接周波数モードで異なるサービスを送信するために用いられる。たとえば、ＵＲＬＬＣサービスおよびｅＭＢＢサービスがイントラ周波数モードであるとき、時間リソースは、ＵＲＬＬＣサービスの０．５ｍｓ待ち時間の要件を満たすために、１ｍｓサブフレーム内の特定の位置においてＵＲＬＬＣサービスのために予約されている。加えて、残りの時間リソースは、ｅＭＢＢサービスに用いられることがある。このようにして、ｅＭＢＢサービスのアップリンクおよびダウンリンク送信への干渉は、回避されることができる。別の例では、ＵＲＬＬＣサービスおよびｅＭＢＢサービスが隣接周波数モードであるとき、時間リソースは、ＵＲＬＬＣサービスの０．５ｍｓ待ち時間の要件を満たすために、１ｍｓサブフレーム内の特定の位置においてＵＲＬＬＣサービスのために予約されている。加えて、リソースの時間領域位置が、これに対応して、隣接周波数において予約され、送信は、ＵＲＬＬＣサービスのために送信されるデータの通信方向（アップリンク通信方向およびダウンリンク通信方向）と反対の方向では発生せず、それによって、相互干渉を回避する。
【００５４】
図６は、本発明の実施形態によるスロットスケジューリング方法のフローチャートである。図６を参照すると、スロットスケジューリング方法は、以下のステップを含む。
【００５５】
Ｓ１０１。ｅＮＢが第１のスロットを決定し、第１のスロットは、第１のアイドル時間を含む。
【００５６】
本発明のこの実施形態では、第１のアイドル時間の開始時点と、第１のスロットの開始時点との間の時間間隔は、予め設定された時間間隔閾値以下であり、または第１のアイドル時間の開始時点と、第１のスロット内にあり、制御シグナリングを送信するために用いられる、少なくとも１つのＯＦＤＭシンボル（制御チャネル）の終了時点との間の時間間隔は、予め設定された時間間隔閾値以下である。
【００５７】
予め設定された時間間隔閾値は、サービスが実際に送信されるために必要とされる最小待ち時間の要件に基づいて決定されてよい。通常、予め設定された時間間隔閾値は１ミリ秒以下である。たとえば、第１のアイドル時間が、ＵＲＬＬＣサービスのためのアップリンクデータまたはダウンリンクデータを送信するために用いられる場合、予め設定された時間間隔閾値は０．５ミリ秒であってよい。
【００５８】
図７は、本発明の実施形態によるスロット構造の概略図である。図７では、第１のスロットは、第１のアイドル時間と、第１の送信時間とを含む。第１の送信時間内に含まれるＯＦＤＭシンボルの少なくとも１つは、第１のサービスを送信するために用いられ、第１のアイドル時間内に含まれるＯＦＤＭシンボルの少なくとも１つは、第２のサービスを送信するために用いられる。第１のアイドル時間の開始時点と、第１のスロットの開始時点との間の時間間隔と、第１のアイドル時間の開始時点と、第１のスロット内にあり、制御シグナリングを送信するために用いられる、少なくとも１つのＯＦＤＭシンボル（制御チャネル）の終了時点との間の時間間隔の両方は、予め設定された閾値以下である。実際の状況では、第１のアイドル時間の開始時点と、第１のスロットの開始時点との間の時間間隔は、予め設定された時間間隔閾値以下であり、第１のアイドル時間の開始時点と、第１のスロット内にあり、制御シグナリングを送信するために用いられる、少なくとも１つのＯＦＤＭシンボル（制御チャネル）の終了時点との間の時間間隔は、予め設定された時間間隔閾値以下である。イントラ周波数モードまたは隣接周波数モードにおける異なるサービス間の干渉を回避する要件は、２つの条件の１つが満たされるならば、満たされ得る。
【００５９】
Ｓ１０２。ｅＮＢは、第１のアイドル時間を含む決定された第１のスロットを送り、ＵＥは、ｅＮＢによって送られた第１のスロットを受信し、スロット構造に基づいてデータを送信する。
【００６０】
本発明のこの実施形態では、第１のスロットが７つのＯＦＤＭシンボルまたは１４のＯＦＤＭシンボルを含むとき、異なるスロット構造スケジューリング様式が用いられてよい。
【００６１】
第１のスロットが７つのＯＦＤＭシンボルを含むとき、ｅＮＢは、第２のスロットを決定および送信し得る。第２のスロットは、第２のアイドル時間を含む。第２のアイドル時間を含む第２のスロットの構造については、図７を参照されたい。第２のアイドル時間の開始時点と、第２のスロットの開始時点との間の時間間隔は、予め設定された時間間隔閾値以下であり、または第２のアイドル時間の開始時点と、第２のスロット内にあり、制御シグナリングを送信するために用いられる、少なくとも１つのＯＦＤＭシンボル（制御チャネル）の終了時点との間の時間間隔は、予め設定された時間間隔閾値以下である。
【００６２】
本発明のこの実施形態では、イントラ周波数モードまたは隣接周波数モードにおける異なるサービス間の干渉を回避するために、図８に示されるように、第２のアイドル時間と第１のアイドル時間との間の時間間隔は予め設定された時間間隔閾値以下であるという要件が、満たされる必要がある。たとえば、以下の条件、すなわち、第２のアイドル時間の開始時点、と第１のアイドル時間の開始時点との間の時間間隔は、予め設定された時間間隔閾値以下である、または、第２のアイドル時間の開始時点と、第１のアイドル時間の終了時点との間の時間間隔は、予め設定された時間間隔閾値以下である、または、第２のアイドル時間の終了時点と、第１のアイドル時間の開始時点との間の時間間隔は、予め設定された時間間隔閾値以下である、または、第２のアイドル時間の終了時点と、第１のアイドル時間の終了時点との間の時間間隔は予め設定された時間間隔閾値以下である、の１つが、満たされる必要がある。
【００６３】
本発明のこの実施形態では、第１のスロットは、７つのＯＦＤＭシンボルを含むことがある。アップリンクデータ送信とダウンリンクデータ送信との間の干渉を回避するために、第１のスロット内のＮ番目のＯＦＤＭシンボルが、７つのＯＦＤＭシンボル内にあり、アップリンクデータを送信するために用いられるＯＦＤＭシンボルである場合、（Ｎ−１）番目のＯＦＤＭシンボルまたは（Ｎ−２）番目のＯＦＤＭシンボルは第１のアイドル時間または第２のアイドル時間に属することが設定され得る。スロット内のＮ番目のＯＦＤＭシンボルが、７つのＯＦＤＭシンボル内にあり、ダウンリンクデータを送信するために用いられるＯＦＤＭシンボルである場合、（Ｎ＋１）番目のＯＦＤＭシンボルまたは（Ｎ＋２）番目のＯＦＤＭシンボルは第１のアイドル時間または第２のアイドル時間に属することが設定され得る。
【００６４】
第１のスロットが１４のＯＦＤＭシンボルを含むとき、第２のアイドル時間および第２の送信時間が第１のスロット内で設定され得る。図９に示されるように、第１のアイドル時間の開始時点と、第１のスロットの開始時点との間の時間間隔は、予め設定された時間間隔閾値以下であり、または第１のアイドル時間の開始時点と、第１のスロット内であり、制御シグナリングを送信するために用いられる、少なくとも１つのＯＦＤＭシンボル（制御チャネル）の終了時点との間の時間間隔は、予め設定された時間間隔閾値以下であり、または第２のアイドル時間の開始時点と、第２の送信時間の開始時点との間の時間間隔は、予め設定された時間間隔閾値以下であり、または、第２のアイドル時間の開始時点と、第２の送信時間の終了時点との間の時間間隔は、予め設定された時間間隔閾値以下である。第２のアイドル時間の開始時点と、第１のアイドル時間の開始時点との間の時間間隔は、予め設定された時間間隔閾値以下であり、または、第２のアイドル時間の開始時点と、第１のアイドル時間の終了時点との間の時間間隔は、予め設定された時間間隔閾値以下であり、または、第２のアイドル時間の終了時点と、第１のアイドル時間の開始時点との間の時間間隔は、予め設定された時間間隔閾値以下であり、または、第２のアイドル時間の終了時点と、第１のアイドル時間の終了時点との間の時間間隔は、予め設定された時間間隔閾値以下である。
【００６５】
本発明のこの実施形態では、第１のスロットは、１４のＯＦＤＭシンボルを含む。図５のアップリンクのみのスロットまたはダウンリンクのみのスロットを参照すると、第１のスロット内のＮ番目のＯＦＤＭシンボルが、スロット内の第１から第６のＯＦＤＭシンボルの１つである場合、スロット内にある、Ｎ番目のＯＦＤＭシンボル、（Ｎ＋１）番目のＯＦＤＭシンボル、（Ｎ＋７）番目のＯＦＤＭシンボル、および（Ｎ＋８）番目のＯＦＤＭシンボルの少なくとも１つは、第１のアイドル時間に設定され得る。
【００６６】
図５に示されるスロット構造を再び参照すると、アップリンクデータ送信とダウンリンクデータ送信との間の干渉を回避するために、第１のスロット内のＮ番目のＯＦＤＭシンボルが、１４のＯＦＤＭシンボル内にあり、アップリンクデータを送信するために用いられるＯＦＤＭシンボルである場合、第１のスロット内にある、（Ｎ−２）番目のＯＦＤＭシンボル、（Ｎ−１）番目のＯＦＤＭシンボル、（Ｎ−８）番目のＯＦＤＭシンボル、および（Ｎ−７）番目のＯＦＤＭシンボルの少なくとも１つは、第１のアイドル時間または第２のアイドル時間に設定され得る。第１のスロット内のＮ番目のＯＦＤＭシンボルが、１４のＯＦＤＭシンボル内にあり、ダウンリンクデータを送信するために用いられるＯＦＤＭシンボルである場合、第１のスロット内にある、（Ｎ＋１）番目のＯＦＤＭシンボル、（Ｎ＋２）番目のＯＦＤＭシンボル、（Ｎ＋７）番目のＯＦＤＭシンボル、および（Ｎ＋８）番目のＯＦＤＭシンボルの少なくとも１つは、第１のアイドル時間または第２のアイドル時間に設定され得る。
【００６７】
本発明のこの実施形態では、隣接周波数モードの場合、具体的に言えば、スロットは、周波数領域内の少なくとも２つの周波数帯域を占有し、少なくとも２つの周波数帯域は第１の周波数帯域および第２の周波数帯域を含み、第１のアイドル時間または第２のアイドル時間は第１の周波数帯域内にあることが仮定される。アップリンクデータ送信とダウンリンクデータ送信との間の干渉を回避するために、スロットは、以下の様式でスケジューリングされ得る。第１の周波数帯域内にあり、第１のアイドル時間内に含まれるＯＦＤＭシンボル、第２のアイドル時間内に含まれるＯＦＤＭシンボル、およびＮ番目のＯＦＤＭシンボル以外の、別のＯＦＤＭシンボル内で送信されるデータの通信方向は、Ｎ番目のＯＦＤＭシンボル内で送信されるデータの通信方向とは反対方向である。第２の周波数帯域内にあり、時間領域シンボル位置において第１の周波数帯域内にある第１のアイドル時間および第２のアイドル時間に対応するＯＦＤＭシンボル内で送信されるデータの通信方向は、Ｎ番目のシンボル内で送信されるデータの通信方向と同じである。第２の周波数帯域内にあり、時間領域シンボル位置において第１の周波数帯域内にある第１のアイドル時間および第２のアイドル時間に対応するＯＦＤＭシンボル以外の、別のＯＦＤＭシンボル内で送信されるデータの通信方向は、Ｎ番目のシンボル内で送信されるデータの通信方向とは反対方向である。
【００６８】
本発明のこの実施形態では、通信方向は、アップリンク通信方向およびダウンリンク通信方向を含む。通信方向が反対であることは、第１の周波数帯域内にあり、第１のアイドル時間内に含まれるＯＦＤＭシンボル、第２のアイドル時間内に含まれるＯＦＤＭシンボル、およびＮ番目のＯＦＤＭシンボル以外の、別のＯＦＤＭシンボル内で送信されるデータの通信方向がアップリンク通信方向である場合、Ｎ番目のＯＦＤＭシンボル内で送信されるデータの通信方向はダウンリンク通信方向であることを意味する。通信方向が同じであることは、第１の周波数帯域内にあり、第１のアイドル時間内に含まれるＯＦＤＭシンボル、第２のアイドル時間内に含まれるＯＦＤＭシンボル、およびＮ番目のＯＦＤＭシンボル以外の、別のＯＦＤＭシンボル内で送信されるデータの通信方向がアップリンク通信方向である場合、第２の周波数帯域内にあり、時間領域シンボル位置において第１の周波数帯域内にある第１のアイドル時間および第２のアイドル時間に対応するＯＦＤＭシンボル内で送信されるデータの通信方向は、ダウンリンク通信方向であることを意味する。
【００６９】
本発明のこの実施形態では、スロットが、受信／送信遷移のために用いられるアイドルＯＦＤＭシンボル（たとえば、図５のＧＰ）を含む場合、受信／送信遷移のために用いられる少なくとも２つのアイドルＯＦＤＭシンボルが、第１のサービスの送信と第２のサービスの送信との間の遷移を実装するのに十分な時間を予約するために、設定されてよい。
【００７０】
本発明のこの実施形態では、ｅＮＢが、実装において、ＵＥをスケジュールするために、第１の送信時間内にあり、第１のサービスを送信するために用いられるＯＦＤＭシンボルと、第１のアイドル時間内にあり、第２のサービスを送信するために用いられるＯＦＤＭシンボルを決定するとき、ｅＮＢは、ＵＥにインジケーション情報を送ることがあり、インジケーション情報は、第１のアイドル時間内にあり、第２のサービスを送信するために用いられる少なくとも１つのＯＦＤＭシンボルを示すために用いられ、および／または少なくとも１つの第１の送信時間内にあり、第１のサービスを送信するために用いられる少なくとも１つのＯＦＤＭシンボルを示すために用いられる。インジケーション情報は、ダウンリンク制御情報（Ｄｏｗｎｌｉｎｋ  Ｃｏｎｔｒｏｌ  Ｉｎｆｏｒｍａｔｉｏｎ、ＤＣＩ）、無線リソース制御（Ｒａｄｉｏ  Ｒｅｓｏｕｒｃｅ  Ｃｏｎｔｒｏｌ、ＲＲＣ）情報などを用いることによって送られてよい。別の実装では、予め規定された様式も、第１のアイドル時間内にあり、第２のサービスデータを送信するために用いられる少なくとも１つのＯＦＤＭシンボルを規定するために用いられてよい。
【００７１】
本発明のこの実施形態では、アイドル時間は、スロット内で設定される。このケースでは、第１のサービスをスケジューリングするとき、ｅＮＢは、第１のアイドル時間内の第１のサービスデータの送信を取り消す、またはこれをスケジューリングしないことがある。ｅＮＢが、第１のサービスデータの送信を取り消す、またはこれをスケジューリングしないので、ＵＥは、第１のアイドル時間内で第１のサービスデータを送信しない。
【００７２】
前述のスロット構造は、以下で、本発明の実施形態において、実際の適用例を参照しながら説明される。
【００７３】
本発明の実施形態では、第１のサービスがｅＭＢＢサービスであり、第２のサービスがＵＲＬＬＣサービスであることは、例として用いられ、図５の種々のスロットタイプは、ＵＲＬＬＣサービスの０．５ミリ秒待ち時間要件を満たし、ｅＭＢＢサービスおよびＵＲＬＬＣサービスのアップリンクデータとダウンリンクデータとの間の相互干渉を回避するために、アイドル時間が１ミリ秒サブフレーム内でＵＲＬＬＣサービスに対して設定される実装プロセスについて説明するために用いられる。
【００７４】
［実施形態１］
ｅＭＢＢサービスデータを送信するための現在のスロットは、ダウンリンクのみのスロット、１４のＯＦＤＭシンボルを含むダウンリンク優位スロット、または７つのＯＦＤＭシンボルを含むダウンリンク優位スロットであり、ｅＮＢ側の受信／送信遷移のアイドル時間は、既存のＬＴＥ規格において受信／送信遷移アイドル時間６２４Ｔｓとして規定されることが仮定される。
【００７５】
ｅＮＢは、ＵＲＬＬＣサービスデータが送信されるアップリンクリソース時間領域位置を決定する。ＵＲＬＬＣサービスデータが送信されるアップリンクリソース時間領域位置は、規格において予め規定されてもよいし、現在のスロットのタイプに一意に対応してもよい（現在のスロットは、ダウンリンクのみのスロット、１４のＯＦＤＭシンボルを含むダウンリンク優位スロット、または７つのＯＦＤＭシンボルを含むダウンリンク優位スロットである）。ダウンリンクのみのスロットでは、ｅＭＢＢサービスは、第６のＯＦＤＭシンボルまたは第１３のＯＦＤＭシンボル内で実行されない。ｅＭＢＢサービスが実行されないＯＦＤＭシンボルは、第１のアイドル時間および第２のアイドル時間内のＯＦＤＭシンボルである。７つのＯＦＤＭシンボルを含むダウンリンク優位スロットにおいて、ｅＭＢＢアップリンク送信が開始するＯＦＤＭシンボルの番号がＮである場合、ｅＭＢＢサービスは、（Ｎ−２）番目のＯＦＤＭシンボルまたは（Ｎ−１）番目のＯＦＤＭシンボル内で実行されない。１４のＯＦＤＭシンボルを含むダウンリンク優位スロットにおいて、ｅＭＢＢアップリンク送信が開始するＯＦＤＭシンボルの番号がＮである場合、ｅＭＢＢサービスは、（Ｎ−２）番目のＯＦＤＭシンボル、（Ｎ−１）番目のＯＦＤＭシンボル、（Ｎ−８）番目のＯＦＤＭシンボル、または（Ｎ−７）番目のＯＦＤＭシンボル内で実行されない。
【００７６】
たとえば、本発明のこの実施形態では、第６のＯＦＤＭシンボルまたは第１３のＯＦＤＭシンボルが、ＵＲＬＬＣサービスデータが送信されるアップリンクリソース時間領域位置として用いられる。
【００７７】
ｅＮＢは、ＵＲＬＬＣサービスデータが送信されるアップリンクリソース時間領域位置を決定し、シグナリングによってスロットタイプを示すことがあり、ｅＭＢＢダウンリンク送信およびＵＲＬＬＣアップリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢダウンリンク送信が実行される時間領域位置およびＵＲＬＬＣアップリンク送信が実行される時間領域位置を示し得る。
【００７８】
任意選択で、７つのＯＦＤＭシンボルを含むダウンリンク優位スロット内で、ＵＲＬＬＣアップリンクリソースは、ｅＭＢＢアップリンク送信が開始するＯＦＤＭシンボルよりもＯＦＤＭシンボル１つの前の時間領域位置に位置づけられることが、規格によって指定される、またはｅＮＢシグナリングによって通知される。任意選択で、１４のＯＦＤＭシンボルを含むダウンリンク優位スロット内で、ＵＲＬＬＣアップリンクリソースは、ｅＭＢＢアップリンク送信が開始するＯＦＤＭシンボルよりもＯＦＤＭシンボル１つまたはＯＦＤＭシンボル８つ前の時間領域位置に位置づけられることが、規格によって指定される、またはｅＮＢシグナリングによって通知される。
【００７９】
本発明のこの実施形態では、ｅＭＢＢダウンリンク送信およびＵＲＬＬＣアップリンク送信をスケジューリングするためのＯＦＤＭシンボルの番号位置が、図１０に示されている。
【００８０】
ダウンリンクのみのスロットが、図１０の（ａ）および（ｂ）に示されている。（ａ）および（ｂ）では、ｅＮＢは、第１から第５のＯＦＤＭシンボル内でダウンリンクデータを送信し、第８から第１２のＯＦＤＭシンボル内でダウンリンクデータを送信する。第６のＯＦＤＭシンボル、第７のＯＦＤＭシンボル、第１３のＯＦＤＭシンボル、および第１４のＯＦＤＭシンボルの位置は、事前にＵＲＬＬＣアップリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。任意選択で、予約された第６のＯＦＤＭシンボルおよび第７のＯＦＤＭシンボル内で、１つから５つのＵＲＬＬＣアップリンクＯＦＤＭシンボルが送信されることがある。（ａ）では、ＵＲＬＬＣの場合、ｅＮＢ側の送信から受信までの遷移の時間（６２４Ｔｓ）が、第５のＯＦＤＭシンボルが終了した後に予約された後、ｅＮＢは、ＵＲＬＬＣアップリンク送信の信号を受信する。同様に、ＵＲＬＬＣの場合、ｅＮＢ側での受信／送信遷移の時間が、第１２のＯＦＤＭシンボルが終了した後に予約された後、ｅＮＢは、ＵＲＬＬＣアップリンク送信の信号を受信する。ＵＲＬＬＣ  ＵＥとｅＮＢとの間の送信遅延があり得るので、ＵＲＬＬＣ  ＵＥは、送信遅延後、ＵＲＬＬＣ  ＵＬデータが、図１０の（ａ）に示される位置に表示されることができるように、送信遅延時間量を推定し、ＵＲＬＬＣ  ＵＬデータを事前に送る必要がある。（ｂ）は、ＵＲＬＬＣアップリンク送信の位置において（ａ）とは異なることが留意されるべきである。このケースでは、ＵＲＬＬＣ  ＵＥは、第７のＯＦＤＭシンボルの位置において送信を実行し得ることが指定されるが、ＵＲＬＬＣ  ＵＥは、ｅＮＢがＵＲＬＬＣ  ＵＬデータを実際に受信する時間が、（ｂ）に示される位置よりも早いように、送るための６２４Ｔｓのアドバンス量を考慮してよく、タイミングアドバンスは６２４Ｔｓである。このようにして、ＵＲＬＬＣ  ＵＬが終了した後、ＵＲＬＬＣ  ＵＬが終了する時間は、（ｂ）に示される、第８のＯＦＤＭシンボルが開始する位置よりも６２４Ｔｓ早い。このようにして、ｅＮＢは、受信／送信遷移を実行するのに十分な時間をもち、次いで、第８から第１２のダウンリンクＯＦＤＭシンボルを引き続き送る。この実施形態の後、アップリンクが終了し、ダウンリンク送信がぴったりと続く場合、アップリンク送信は、デフォルトでタイミングアドバンスステップを用いる。
【００８１】
１４のＯＦＤＭシンボルを含むダウンリンク優位スロットに関して、図１０の（ｃ）に示されるように、ｅＮＢは、第１から第５のＯＦＤＭシンボル内でダウンリンクデータを送信し、第８から第１１のＯＦＤＭシンボル内でダウンリンクデータを送信し、第１４のＯＦＤＭシンボル内でアップリンクデータを受信する。第６のＯＦＤＭシンボル、第７のＯＦＤＭシンボル、第１２のＯＦＤＭシンボル、および第１３のＯＦＤＭシンボルの位置は、事前にＵＲＬＬＣアップリンク送信のために予約されている。ＵＲＬＬＣアップリンク送信は、タイミングアドバンスを用いる。（ｃ）に関して、ＵＲＬＬＣ送信をサポートするために、ただ１つのＯＦＤＭシンボルのＧＰが、１５ｋＨｚサブキャリアスペーシングのダウンリンクとアップリンクとの間で必要とされるとき、ＧＰは、ＵＲＬＬＣ送信機会を提供するために、さらに増加される必要がある。ＧＰの増加は、シグナリングによって示され得る。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。任意選択で、ＧＰ内の予約されたＯＦＤＭシンボルは、第１３のＯＦＤＭシンボルである。
【００８２】
７つのＯＦＤＭシンボルを含むダウンリンク優位スロットに関して、図１０の（ｄ）に示されるように、ｅＮＢは、第１から第４のＯＦＤＭシンボル内でダウンリンクデータを送信し、第８から第１１のＯＦＤＭシンボル内でダウンリンクデータを送信し、第７のＯＦＤＭシンボルおよび第１４のＯＦＤＭシンボル内でアップリンクデータを受信する。第５のＯＦＤＭシンボル、第６のＯＦＤＭシンボル、第１２のＯＦＤＭシンボル、および第１３のＯＦＤＭシンボルの位置は、事前にＵＲＬＬＣアップリンク送信のために予約されている。ＵＲＬＬＣアップリンク送信は、タイミングアドバンスを用いる。（ｄ）に関して、ＵＲＬＬＣ送信をサポートするために、ただ１つのＯＦＤＭシンボルのＧＰが、１５ｋＨｚサブキャリアスペーシングのダウンリンクとアップリンクとの間で必要とされるとき、ＧＰは、ＵＲＬＬＣ送信機会を提供するために、さらに増加される必要がある。ＧＰの増加は、シグナリングによって示され得る。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。任意選択で、ＧＰ内の予約されたＯＦＤＭシンボルは、第６のＯＦＤＭシンボルまたは第１３のＯＦＤＭシンボルである。
【００８３】
本発明の実施形態１では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【００８４】
［実施形態２］
ｅＭＢＢサービスデータを送信するための現在のスロットは、アップリンクのみのスロット、１４のＯＦＤＭシンボルを含むアップリンク優位スロット、または７つのＯＦＤＭシンボルを含むアップリンク優位スロットであり、ｅＮＢ側の受信／送信遷移のアイドル時間は、既存のＬＴＥ規格において受信／送信遷移アイドル時間６２４Ｔｓとして規定されることが仮定される。
【００８５】
ｅＮＢは、ＵＲＬＬＣサービスデータが送信されるダウンリンクリソース時間領域位置を決定する。ＵＲＬＬＣサービスデータが送信されるダウンリンクリソース時間領域位置は、規格において予め規定されてもよいし、現在のスロットのタイプに一意に対応してもよい（現在のスロットは、アップリンクのみのスロット、１４のＯＦＤＭシンボルを含むアップリンク優位スロット、または７つのＯＦＤＭシンボルを含むアップリンク優位スロットである）。アップリンクのみのスロットでは、ｅＭＢＢサービスは、第２のＯＦＤＭシンボルまたは第９のＯＦＤＭシンボル内で実行されない。７つのＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋１）番目のＯＦＤＭシンボルまたは（Ｎ＋２）番目のＯＦＤＭシンボル内で実行されない。１４のＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋１）番目のＯＦＤＭシンボル、（Ｎ＋２）番目のＯＦＤＭシンボル、（Ｎ＋７）番目のＯＦＤＭシンボル、または（Ｎ＋８）番目のＯＦＤＭシンボル内で実行されない。
【００８６】
たとえば、本発明のこの実施形態では、第２のＯＦＤＭシンボルまたは第９のＯＦＤＭシンボルが、ＵＲＬＬＣサービスデータが送信されるダウンリンクリソース時間領域位置として用いられる。
【００８７】
ＵＲＬＬＣサービスデータが送信されるダウンリンクリソース時間領域位置を決定した後、ｅＮＢは、シグナリングによってスロットタイプを示し、ｅＭＢＢアップリンク送信およびＵＲＬＬＣダウンリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢアップリンク送信が実行される時間領域位置およびＵＲＬＬＣダウンリンク送信が実行される時間領域位置を示し得る。
【００８８】
任意選択で、７つのＯＦＤＭシンボルを含むアップリンク優位スロット内で、ＵＲＬＬＣダウンリンクリソースは、ｅＭＢＢダウンリンク送信が終了するＯＦＤＭシンボルよりもＯＦＤＭシンボル１つ後の時間領域位置に位置づけられることが、規格によって指定される、またはｅＮＢシグナリングによって通知される。任意選択で、１４のＯＦＤＭシンボルを含むアップリンク優位スロット内で、ＵＲＬＬＣダウンリンクリソースは、ｅＭＢＢダウンリンク送信が終了するＯＦＤＭシンボルよりもＯＦＤＭシンボル１つまたはＯＦＤＭシンボル８つ後の時間領域位置に位置づけられることが、規格によって指定される、またはｅＮＢシグナリングによって通知される。
【００８９】
本発明のこの実施形態では、ｅＭＢＢアップリンク送信およびＵＲＬＬＣダウンリンク送信をスケジューリングするためのＯＦＤＭシンボルの番号位置が、図１１に示されている。
【００９０】
アップリンクのみのスロットが、図１１の（ａ）および（ｂ）に示されている。（ａ）および（ｂ）では、ｅＮＢは、第３から第７のＯＦＤＭシンボル内でアップリンクデータを送信し、第１０から第１４のＯＦＤＭシンボル内でアップリンクデータを送信する。第１のＯＦＤＭシンボルおよび第８のＯＦＤＭシンボルの位置は、事前にＵＲＬＬＣダウンリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。（ａ）では、ＵＲＬＬＣの場合、ｅＮＢ側の送信から受信までの遷移の時間（６２４Ｔｓ）が、第７のＯＦＤＭシンボルが終了した後に予約された後、ｅＮＢは、ＵＲＬＬＣダウンリンク送信の信号を送る。同様に、ＵＲＬＬＣの場合、ｅＮＢ側での受信／送信遷移の時間が第１のＯＦＤＭシンボル内で予約された後、ｅＮＢは、ＵＲＬＬＣダウンリンク送信の信号を送る。ＵＥとｅＮＢとの間の送信遅延があり得るので、ＵＥは、送信遅延時間量を推定し、ＵＬデータを事前に送信する必要がある。図１１では、（ｂ）は、ＵＲＬＬＣダウンリンク送信の位置において（ａ）とは異なる。このケースでは、ＵＥは、第７のＯＦＤＭシンボルの位置において送信を実行し得ることが指定されるが、ＵＥは、ｅＮＢがＵＬデータを実際に受信する時間が、図１１の（ｂ）に示される位置よりも早いように、送るための６２４Ｔｓのアドバンス量を考慮してよく、タイミングアドバンスは６２４Ｔｓである。このようにして、ＵＬが終了した後、ＵＬが終了した時間は、図１１の（ｂ）に示される、第８のＯＦＤＭシンボルが開始する位置よりも６２４Ｔｓ早い。このようにして、ｅＮＢは、受信／送信遷移を実行するのに十分な時間をもち、次いで、ＵＲＬＬＣダウンリンクＯＦＤＭシンボルを引き続き送る。
【００９１】
１４のＯＦＤＭシンボルを含むアップリンク優位スロットに関して、図１１の（ｃ）に示されるように、ｅＮＢは、第１のＯＦＤＭシンボル内でダウンリンク送信を実行し、第４から第７のＯＦＤＭシンボルおよび第１０から第１４のＯＦＤＭシンボル内でアップリンク送信を受信する。第２のＯＦＤＭシンボル、第３のＯＦＤＭシンボル、第８のＯＦＤＭシンボル、および第９のＯＦＤＭシンボルの位置は、事前にＵＲＬＬＣダウンリンク送信のために予約されている。図１１の（ｃ）に関して、ＵＲＬＬＣ送信をサポートするために、ただ１つのＯＦＤＭシンボルのＧＰが、１５ｋＨｚサブキャリアスペーシングのダウンリンクとアップリンクとの間で必要とされるとき、ＧＰは、ＵＲＬＬＣ送信機会を提供するために、さらに増加される必要がある。ＧＰの増加は、シグナリングによって示され得る。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。任意選択で、ＧＰ内の予約されたＯＦＤＭシンボルは、第２のＯＦＤＭシンボルである。
【００９２】
７つのＯＦＤＭシンボルを含むアップリンク優位スロットに関して、実施形態２において図１１の（ｄ）に示されるように、ｅＮＢは、第１のＯＦＤＭシンボルおよび第８のＯＦＤＭシンボル内でダウンリンク送信を実行し、第４から第７のＯＦＤＭシンボルおよび第１１から第１４のＯＦＤＭシンボル内でアップリンク送信を受信する。第２のＯＦＤＭシンボル、第３のＯＦＤＭシンボル、第９のＯＦＤＭシンボル、および第１０のＯＦＤＭシンボルの位置は、事前にＵＲＬＬＣダウンリンク送信のために予約されている。図１１の（ｄ）に関して、ＵＲＬＬＣ送信をサポートするために、ただ１つのＯＦＤＭシンボルのＧＰが、１５ｋＨｚサブキャリアスペーシングのダウンリンクとアップリンクとの間で必要とされるとき、ＧＰは、ＵＲＬＬＣ送信機会を提供するために、さらに増加される必要がある。ＧＰの増加は、シグナリングによって示され得る。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。任意選択で、ＧＰ内の予約されたＯＦＤＭシンボルは、第２のＯＦＤＭシンボルまたは第９のＯＦＤＭシンボルである。
【００９３】
本発明の実施形態２では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【００９４】
［実施形態３］
ｅＭＢＢサービスデータを送信するための現在のスロットは、ダウンリンクのみのスロット、１４のＯＦＤＭシンボルを含むダウンリンク優位スロット、または７つのＯＦＤＭシンボルを含むダウンリンク優位スロットであり、ｅＮＢ側の受信／送信遷移のアイドル時間は、既存のＬＴＥ規格において５４８Ｔｓ以下の受信／送信遷移アイドル時間として規定されることが仮定される。受信／送信遷移時間が５４８Ｔｓ以下に減少されるとき、ｅＭＢＢダウンリンク送信のために予約されるアイドルＯＦＤＭシンボルの量が減少され、それによって、ｅＭＢＢ送信効率を改善することが留意されるべきである。
【００９５】
ｅＮＢは、ＵＲＬＬＣサービスデータが送信されるアップリンクリソース時間領域位置を決定する。ＵＲＬＬＣサービスデータが送信されるアップリンクリソース時間領域位置は、規格において予め規定されてもよいし、現在のスロットのタイプに一意に対応してもよい（現在のスロットは、ダウンリンクのみのスロット、１４のＯＦＤＭシンボルを含むダウンリンク優位スロット、または７つのＯＦＤＭシンボルを含むダウンリンク優位スロットである）。ダウンリンクのみのスロットでは、ｅＭＢＢサービスは、第６のＯＦＤＭシンボルまたは第１３のＯＦＤＭシンボル内で実行されない。１４のＯＦＤＭシンボルを含むダウンリンク優位スロットでは、ｅＭＢＢアップリンク送信が開始するＯＦＤＭシンボルの番号がＮである場合、ｅＭＢＢサービスは、（Ｎ−１）番目のＯＦＤＭシンボルおよび（Ｎ−８）番目のＯＦＤＭシンボル内で実行されない。
【００９６】
たとえば、本発明のこの実施形態では、第６のＯＦＤＭシンボルまたは第１３のＯＦＤＭシンボルが、ＵＲＬＬＣサービスデータが送信されるアップリンクリソース時間領域位置として用いられる。
【００９７】
ｅＮＢは、ＵＲＬＬＣサービスデータが送信されるアップリンクリソース時間領域位置を決定し、シグナリングによってスロットタイプを示すことがあり、ｅＭＢＢダウンリンク送信およびＵＲＬＬＣアップリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢダウンリンク送信が実行される時間領域位置およびＵＲＬＬＣアップリンク送信が実行される時間領域位置を示し得る。
【００９８】
任意選択で、１４のＯＦＤＭシンボルを含むダウンリンク優位スロット内で、ＵＲＬＬＣアップリンクリソースは、ｅＭＢＢアップリンク送信が開始するＯＦＤＭシンボルよりもＯＦＤＭシンボル１つまたはＯＦＤＭシンボル８つ前の時間領域位置に位置づけられることが、規格によって指定される、またはｅＮＢシグナリングによって通知される。
【００９９】
本発明のこの実施形態では、ｅＭＢＢダウンリンク送信およびＵＲＬＬＣアップリンク送信をスケジューリングするためのＯＦＤＭシンボルの番号位置が、図１２に示されている。
【０１００】
ダウンリンクのみのスロットが、図１２の（ａ）および（ｂ）に示されている。図１２の（ａ）では、ｅＮＢは、第１から第６のＯＦＤＭシンボル内でダウンリンクデータを送信し、第８から第１３のＯＦＤＭシンボル内でダウンリンクデータを送信する。第７のＯＦＤＭシンボルおよび第１４のＯＦＤＭシンボルの位置は、事前にＵＲＬＬＣアップリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。任意選択で、予約された第７のＯＦＤＭシンボルおよび第１４のＯＦＤＭシンボル内で、１つまたは２つのＵＲＬＬＣアップリンクＯＦＤＭシンボルが送信されることがある。図１２の（ｂ）では、ｅＮＢは、第１から第５のＯＦＤＭシンボル内でダウンリンクデータを送信し、第７から第１２のＯＦＤＭシンボルおよび第１４のＯＦＤＭシンボル内でダウンリンクデータを送信する。第６のＯＦＤＭシンボルおよび第１３のＯＦＤＭシンボルの位置は、事前にＵＲＬＬＣアップリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。任意選択で、予約された第６のＯＦＤＭシンボルおよび第１３のＯＦＤＭシンボル内で、１つまたは２つのＵＲＬＬＣアップリンクＯＦＤＭシンボルが送信されることがある。図１２の（ａ）では、ＵＲＬＬＣの場合、ｅＮＢ側の送信から受信までの遷移の時間（５４８Ｔｓ）が、第６のＯＦＤＭシンボルが終了した後に予約された後、ｅＮＢは、ＵＲＬＬＣアップリンク送信の信号を受信する。同様に、ＵＲＬＬＣの場合、ｅＮＢ側での受信／送信遷移の時間が、第１３のＯＦＤＭシンボルが終了した後に予約された後、ｅＮＢは、ＵＲＬＬＣアップリンク送信の信号を受信する。ＵＲＬＬＣ  ＵＥとｅＮＢとの間の送信遅延があり得るので、ＵＲＬＬＣ  ＵＥは、送信遅延時間量を推定し、ＵＲＬＬＣ  ＵＬデータを事前に送る必要がある。
【０１０１】
１４のＯＦＤＭシンボルを含むダウンリンク優位スロットに関して、図１２の（ｃ）に示されるように、ｅＮＢは、第１から第５のＯＦＤＭシンボル内でダウンリンクデータを送信し、第７から第１１のＯＦＤＭシンボル内でダウンリンクデータを送信し、第１４のＯＦＤＭシンボル内でアップリンクデータを受信する。第６のＯＦＤＭシンボル、第１２のＯＦＤＭシンボル、および第１３のＯＦＤＭシンボルの位置は、事前にＵＲＬＬＣアップリンク送信のために予約されている。ＵＲＬＬＣアップリンク送信は、タイミングアドバンスを用いる。図１２の（ｄ）と（ｃ）の違いは、この２つの図におけるＧＰが異なるので、第１２のＯＦＤＭシンボルがＵＲＬＬＣ送信に用いられるかどうかにある。ＧＰが、図１２の（ｃ）に示される２つのＯＦＤＭシンボルをもつとき、より多くのリソースが、ＵＲＬＬＣ送信のために提供されることがある。
【０１０２】
７つのＯＦＤＭシンボルを含むダウンリンク優位スロットが、図１２の（ｅ）および（ｆ）に示されている。図１２の（ｅ）では、ｅＮＢは、第１から第４のＯＦＤＭシンボル内でダウンリンクデータを送信し、第８から第１１のＯＦＤＭシンボル内でダウンリンクデータを送信し、第７のＯＦＤＭシンボルおよび第１４のＯＦＤＭシンボル内でアップリンクデータを受信する。第５のＯＦＤＭシンボル、第６のＯＦＤＭシンボル、第１２のＯＦＤＭシンボル、および第１３のＯＦＤＭシンボルの位置は、事前にＵＲＬＬＣアップリンク送信のために予約されている。ＵＲＬＬＣアップリンク送信は、タイミングアドバンスを用いる。図１２の（ｆ）では、ｅＮＢは、第１から第５のＯＦＤＭシンボル内でダウンリンクデータを送信し、第８から第１２のＯＦＤＭシンボル内でダウンリンクデータを送信し、第７のＯＦＤＭシンボルおよび第１４のＯＦＤＭシンボル内でアップリンクデータを受信する。第６のＯＦＤＭシンボルおよび第１３のＯＦＤＭシンボルの位置は、事前にＵＲＬＬＣアップリンク送信のために予約されている。ＵＲＬＬＣアップリンク送信は、タイミングアドバンスを用いる。これらのＯＦＤＭシンボルの位置は、規格において指定されてもよいし、ｅＮＢによってＵＲＬＬＣ  ＵＥに示されてもよい。
【０１０３】
図１２の（ｂ）から（ｆ）では、共有されるＵＲＬＬＣリソースは、第６のＯＦＤＭシンボルおよび第１３のＯＦＤＭシンボル内に位置づけられることが知られることができる。共有されるＵＲＬＬＣリソースの位置は規格において指定されてもよいし、これらの共有されるＵＲＬＬＣリソースの位置は、ブロードキャストまたはシグナリングを通じてｅＮＢによってＵＲＬＬＣ  ＵＥに示されてもよい。
【０１０４】
本発明の実施形態３では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【０１０５】
加えて、実施形態１と比較して、本発明の実施形態３では、ｅＭＢＢサービスに対する影響が減少され、スペクトル効率が改善される。
【０１０６】
［実施形態４］
ｅＭＢＢサービスデータを送信するための現在のスロットは、アップリンクのみのスロット、１４のＯＦＤＭシンボルを含むアップリンク優位スロット、または７つのＯＦＤＭシンボルを含むアップリンク優位スロットであり、ｅＮＢ側の受信／送信遷移のアイドル時間は、既存のＬＴＥ規格において５４８Ｔｓ以下の受信／送信遷移アイドル時間として規定されることが仮定される。受信／送信遷移時間が５４８Ｔｓ以下に減少されるとき、ｅＭＢＢダウンリンク送信のために予約されるアイドルＯＦＤＭシンボルの量が減少され、それによって、ｅＭＢＢ送信効率を改善することが留意されるべきである。
【０１０７】
ｅＮＢは、ＵＲＬＬＣサービスデータが送信されるダウンリンクリソース時間領域位置を決定する。ＵＲＬＬＣサービスデータが送信されるダウンリンクリソース時間領域位置は、規格において予め規定されてもよいし、現在のスロットのタイプに一意に対応してもよい（現在のスロットは、アップリンクのみのスロット、１４のＯＦＤＭシンボルを含むアップリンク優位スロット、または７つのＯＦＤＭシンボルを含むアップリンク優位スロットである）。アップリンクのみのスロットでは、ｅＭＢＢサービスは、第１のＯＦＤＭシンボルまたは第８のＯＦＤＭシンボル内で実行されない。７つのＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋１）番目のＯＦＤＭシンボル内で実行されない。１４のＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋１）番目のＯＦＤＭシンボルまたは（Ｎ＋８）番目のＯＦＤＭシンボル内で実行されない。
【０１０８】
たとえば、本発明のこの実施形態では、第２のＯＦＤＭシンボルまたは第９のＯＦＤＭシンボルが、ＵＲＬＬＣサービスデータが送信されるダウンリンクリソース時間領域位置として用いられる。
【０１０９】
ＵＲＬＬＣサービスデータが送信されるダウンリンクリソース時間領域位置を決定した後、ｅＮＢは、シグナリングによってスロットタイプを示し、ｅＭＢＢアップリンク送信およびＵＲＬＬＣダウンリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢアップリンク送信が実行される時間領域位置およびＵＲＬＬＣダウンリンク送信が実行される時間領域位置を示し得る。
【０１１０】
任意選択で、７つのＯＦＤＭシンボルを含むアップリンク優位スロット内で、ＵＲＬＬＣダウンリンクリソースは、ｅＭＢＢダウンリンク送信が終了するＯＦＤＭシンボルよりもＯＦＤＭシンボル１つ後の時間領域位置に位置づけられることが、規格によって指定される、またはｅＮＢシグナリングによって通知される。任意選択で、１４のＯＦＤＭシンボルを含むアップリンク優位スロット内で、ＵＲＬＬＣダウンリンクリソースは、ｅＭＢＢダウンリンク送信が終了するＯＦＤＭシンボルよりもＯＦＤＭシンボル１つまたはＯＦＤＭシンボル８つ後の時間領域位置に位置づけられることが、規格によって指定される、またはｅＮＢシグナリングによって通知される。
【０１１１】
本発明のこの実施形態では、ｅＭＢＢアップリンク送信およびＵＲＬＬＣダウンリンク送信をスケジューリングするためのＯＦＤＭシンボルの番号位置が、図１３に示されている。
【０１１２】
アップリンクのみのスロットが、図１３の（ａ）に示されている。図１３の（ａ）では、ｅＮＢは、第２から第７のＯＦＤＭシンボル内でアップリンクデータを送信し、第９から第１４のＯＦＤＭシンボル内でアップリンクデータを送信する。第１のＯＦＤＭシンボルおよび第８のＯＦＤＭシンボルの位置は、事前にＵＲＬＬＣダウンリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。任意選択で、予約された第１のＯＦＤＭシンボルおよび第８のＯＦＤＭシンボル内で、１つまたは２つのＵＲＬＬＣダウンリンクＯＦＤＭシンボルが送信されることがある。図１３の（ａ）では、ＵＲＬＬＣの場合、ｅＮＢ側の送信から受信までの遷移の時間（５４８Ｔｓ）が、第１のＯＦＤＭシンボル内での送信が終了した後に予約された後、ｅＮＢは、アップリンク送信の信号を受信する。同様に、ＵＲＬＬＣの場合、ｅＮＢ側での受信／送信遷移の時間が、第７のＯＦＤＭシンボルの時間内での送信が終了した後に予約された後、ｅＮＢは、ＵＲＬＬＣダウンリンク送信の信号を受信する。ＵＲＬＬＣ  ＵＥとｅＮＢとの間の送信遅延があり得るので、ＵＲＬＬＣ  ＵＥは、送信遅延時間量を推定し、ＵＲＬＬＣ  ＵＬデータを事前に送る必要がある。
【０１１３】
１４のＯＦＤＭシンボルを含むダウンリンク優位スロットが、図１３の（ｂ）および（ｃ）に示されている。図１３の（ｂ）では、ｅＮＢは、第１のＯＦＤＭシンボル内でダウンリンクデータを送信し、第４から第７のＯＦＤＭシンボルおよび第１０から第１４のＯＦＤＭシンボル内でアップリンクデータを受信する。第２のＯＦＤＭシンボル、第３のＯＦＤＭシンボル、第８のＯＦＤＭシンボル、および第９のＯＦＤＭシンボルの位置は、事前にＵＲＬＬＣサービスダウンリンク送信のために予約されている。図１３の（ｂ）と（ｃ）の違いは、この２つの図におけるＧＰが異なるので、第３のＯＦＤＭシンボルおよび第９のＯＦＤＭシンボルがＵＲＬＬＣ送信に用いられるかどうかにある。ＧＰが、図１３の（ｂ）に示される２つのＯＦＤＭシンボルをもつとき、より多くのリソースが、ＵＲＬＬＣ送信のために提供されることがある。
【０１１４】
７つのＯＦＤＭシンボルを含むダウンリンク優位スロットに関し、図１３の（ｄ）に示されるように、ｅＮＢは、第１のＯＦＤＭシンボルおよび第８のＯＦＤＭシンボル内でダウンリンクデータを送信し、第３から第７のＯＦＤＭシンボルおよび第１０から第１４のＯＦＤＭシンボル内でアップリンクデータを受信する。第２のＯＦＤＭシンボルおよび第９のＯＦＤＭシンボルの位置は、事前にＵＲＬＬＣサービスダウンリンク送信のために予約されている。これらの予約されたＯＦＤＭシンボルの位置は、規格において指定されてもよいし、ｅＮＢによってＵＲＬＬＣ  ＵＥに示されてもよい。
【０１１５】
本発明の実施形態４では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢダウンリンク送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【０１１６】
加えて、実施形態２と比較して、本発明の実施形態４では、ｅＭＢＢサービスに対する影響が減少され、スペクトル効率が改善される。
【０１１７】
本発明の実施形態１から実施形態４では、イントラ周波数モードでの種々のスロットタイプにおけるアイドルＯＦＤＭシンボルのスロットスケジューリングが、主に実装されている。以下は、隣接周波数モードでの種々のスロットタイプにおけるアイドルＯＦＤＭシンボルのスロットスケジューリングのプロセスについて説明する。
【０１１８】
［実施形態５］
ｅＭＢＢサービスデータを送信するための現在のスロットは、ダウンリンクのみのスロット、１４のＯＦＤＭシンボルを含むダウンリンク優位スロット、または７つのＯＦＤＭシンボルを含むダウンリンク優位スロットであり、ｅＮＢ側の受信／送信遷移のアイドル時間は、既存のＬＴＥ規格において受信／送信遷移アイドル時間６２４Ｔｓとして規定されることが仮定される。
【０１１９】
ｅＮＢは、ＵＲＬＬＣサービスデータが送信されるアップリンクリソース時間領域位置を決定する。ＵＲＬＬＣサービスデータが送信されるアップリンクリソース時間領域位置は、規格において予め規定されてもよいし、現在のスロットのタイプに一意に対応してもよい（現在のスロットは、ダウンリンクのみのスロット、１４のＯＦＤＭシンボルを含むダウンリンク優位スロット、または７つのＯＦＤＭシンボルを含むダウンリンク優位スロットである）。ダウンリンクのみのスロットでは、ｅＭＢＢサービスは、第７のＯＦＤＭシンボルまたは第１４のＯＦＤＭシンボル内で実行されない。１４のＯＦＤＭシンボルを含むダウンリンク優位スロットでは、ｅＭＢＢアップリンク送信が開始するＯＦＤＭシンボルの番号がＮである場合、ｅＭＢＢサービスは、（Ｎ−７）番目のＯＦＤＭシンボル内で実行されない。
【０１２０】
たとえば、本発明のこの実施形態では、第６のＯＦＤＭシンボルまたは第１３のＯＦＤＭシンボルが、ＵＲＬＬＣサービスデータが送信されるアップリンクリソース時間領域位置として用いられる。
【０１２１】
ｅＮＢは、ＵＲＬＬＣサービスデータが送信されるアップリンクリソース時間領域位置を決定し、シグナリングによってスロットタイプを示すことがあり、ｅＭＢＢダウンリンク送信およびＵＲＬＬＣアップリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢダウンリンク送信が実行される時間領域位置およびＵＲＬＬＣアップリンク送信が実行される時間領域位置を示し得る。
【０１２２】
任意選択で、１４のＯＦＤＭシンボルを含むダウンリンク優位スロット内で、ＵＲＬＬＣアップリンクリソースは、隣接周波数ｅＭＢＢアップリンク送信が開始するＯＦＤＭシンボルよりもＯＦＤＭシンボル７つ前の時間領域位置に位置づけられることが、規格によって指定される、またはｅＮＢシグナリングによって通知される。
【０１２３】
本発明のこの実施形態では、ｅＭＢＢダウンリンク送信およびＵＲＬＬＣアップリンク送信をスケジューリングするためのＯＦＤＭシンボルの番号位置が、図１４に示されている。
【０１２４】
ダウンリンクのみのスロットに関し、図１４の（ａ）に示されるように、ｅＮＢは、第１から第５のＯＦＤＭシンボル内でダウンリンクデータを送信し、第８から第１２のＯＦＤＭシンボル内でダウンリンクデータを送信する。第６のＯＦＤＭシンボル、第７のＯＦＤＭシンボル、第１３のＯＦＤＭシンボル、および第１４のＯＦＤＭシンボルの位置は、隣接周波数ＵＲＬＬＣアップリンク送信に影響することを回避するために、事前に予約されている。事前に予約されるＯＦＤＭシンボルの番号は、規格において指定されてもよいし、ｅＮＢがデータをスケジューリングする終了位置を用いることによって決定されてもよい。任意選択で、隣接周波数内にある第６のＯＦＤＭシンボルおよび第７のＯＦＤＭシンボル内で、１つから５つのＵＲＬＬＣアップリンクＯＦＤＭシンボルが送信されることがある。
【０１２５】
１４のＯＦＤＭシンボルを含むダウンリンク優位スロットに関し、図１４の（ｂ）に示されるように、ｅＮＢは、第１から第５のＯＦＤＭシンボル内でダウンリンクデータを送信し、第８から第１１のＯＦＤＭシンボル内でダウンリンクデータを送信し、第１４のＯＦＤＭシンボル内でアップリンクデータを受信する。第６のＯＦＤＭシンボルおよび第７のＯＦＤＭシンボルは、事前にＵＲＬＬＣアップリンク送信のために予約されている。加えて、第１２のＯＦＤＭシンボルおよび第１３のＯＦＤＭシンボルは、ｅＭＢＢサービスのためのＧＰである。ｅＭＢＢのために必要とされるＧＰは１つのＯＦＤＭシンボルよりも大きく、アップリンク送信は、第７のＯＦＤＭシンボル内で実行されることができないので、第７のＯＦＤＭシンボルは、空のままであることのみができる。予約され得るＯＦＤＭシンボルの位置は、規格において指定されてもよいし、ｅＮＢによってＵＲＬＬＣ  ＵＥに示されてもよい。
【０１２６】
７つのＯＦＤＭシンボルを含むダウンリンク優位スロットに関し、図１４の（ｃ）および（ｄ）に示されるように、２つの周波数帯域が同じｅＮＢによってスケジューリングされる場合、スロットタイプシグナリングがブロードキャストされるとき、同じシグナリングがブロードキャストされ得る。シグナリングは、図１４の（ｃ）および（ｄ）に示されるように、１５ｋＨｚサブキャリアスペーシングのための設定であり、６０ｋＨｚサブキャリアスペーシングのための別の設定である。
【０１２７】
本発明の実施形態５では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。加えて、本発明の実施形態５では、ｅＭＢＢサービスは、サブフレーム内の特定の位置にスケジューリングされず、それによって、隣接周波数ＵＲＬＬＣのための送信機会をもたらす。
【０１２８】
［実施形態６］
ｅＭＢＢサービスデータを送信するための現在のスロットは、アップリンクのみのスロット、１４のＯＦＤＭシンボルを含むアップリンク優位スロット、または７つのＯＦＤＭシンボルを含むアップリンク優位スロットであり、ｅＮＢ側の受信／送信遷移のアイドル時間は、既存のＬＴＥ規格において受信／送信遷移アイドル時間６２４Ｔｓとして規定されることが仮定される。
【０１２９】
ｅＮＢは、ＵＲＬＬＣサービスデータが送信されるダウンリンクリソース時間領域位置を決定する。ＵＲＬＬＣサービスデータが送信されるダウンリンクリソース時間領域位置は、規格において予め規定されてもよいし、現在のスロットのタイプに一意に対応してもよい（現在のスロットは、アップリンクのみのスロット、１４のＯＦＤＭシンボルを含むアップリンク優位スロット、または７つのＯＦＤＭシンボルを含むアップリンク優位スロットである）。アップリンクのみのスロットでは、ｅＭＢＢサービスは、第１のＯＦＤＭシンボルまたは第８のＯＦＤＭシンボル内で実行されない。１４のＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋７）番目のＯＦＤＭシンボル内で実行されない。
【０１３０】
ＵＲＬＬＣサービスデータが送信されるダウンリンクリソース時間領域位置を決定した後、ｅＮＢは、シグナリングによってスロットタイプを示し、ｅＭＢＢアップリンク送信およびＵＲＬＬＣダウンリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢアップリンク送信が実行される時間領域位置およびＵＲＬＬＣダウンリンク送信が実行される時間領域位置を示し得る。
【０１３１】
任意選択で、１４のＯＦＤＭシンボルを含むアップリンク優位スロット内で、ＵＲＬＬＣダウンリンクリソースは、隣接周波数ｅＭＢＢダウンリンク送信が終了するＯＦＤＭシンボルよりもＯＦＤＭシンボル７つ後の時間領域位置に位置づけられることが、規格によって指定される、またはｅＮＢシグナリングによって通知される。
【０１３２】
本発明のこの実施形態では、ｅＭＢＢアップリンク送信およびＵＲＬＬＣダウンリンク送信をスケジューリングするためのＯＦＤＭシンボルの番号位置が、図１５に示されている。
【０１３３】
アップリンクのみのスロットに関し、図１５の（ａ）に示されるように、ｅＮＢは、第３から第７のＯＦＤＭシンボルおよび第１０から第１４のＯＦＤＭシンボル内でアップリンクデータを受信する。第１のＯＦＤＭシンボル、第２のＯＦＤＭシンボル、第８のＯＦＤＭシンボル、および第９のＯＦＤＭシンボルの位置は、隣接周波数ＵＲＬＬＣダウンリンク送信に影響することを回避するために、事前に予約されている。事前に予約されるＯＦＤＭシンボルの番号は、規格において指定されてもよいし、ｅＮＢがデータをスケジューリングする開始位置および終了位置を用いることによって決定されてもよい。任意選択で、隣接周波数内にある第１のＯＦＤＭシンボルおよび第２のＯＦＤＭシンボル内で、１つから５つのＵＲＬＬＣダウンリンクＯＦＤＭシンボルが送信されることがある。
【０１３４】
１４のＯＦＤＭシンボルを含むアップリンク優位スロットに関し、図１５の（ｂ）に示されるように、ｅＮＢは、第４から第７のＯＦＤＭシンボルおよび第１０から第１４のＯＦＤＭシンボル内でアップリンクデータを受信し、第１のＯＦＤＭシンボル内でダウンリンクデータを送信する。第８のＯＦＤＭシンボルおよび第９のＯＦＤＭシンボルの位置は、隣接周波数ＵＲＬＬＣダウンリンク送信に影響することを回避するために、事前に予約されている。加えて、第２のＯＦＤＭシンボルおよび第３のＯＦＤＭシンボルは、ｅＭＢＢサービスのためのＧＰである。ｅＭＢＢのために必要とされるＧＰは１つのＯＦＤＭシンボルよりも大きく、ダウンリンク送信は、第８のＯＦＤＭシンボルおよび第９のＯＦＤＭシンボル内で実行さえることができないので、第８のＯＦＤＭシンボルおよび第９のＯＦＤＭシンボルは、空のままであることのみができる。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。
【０１３５】
７つのＯＦＤＭシンボルを含むアップリンク優位スロットに関し、図１５の（ｃ）および（ｄ）に示されるように、２つの周波数帯域が同じｅＮＢによってスケジューリングされる場合、スロットタイプシグナリングがブロードキャストされるとき、同じシグナリングがブロードキャストされ得る。シグナリングは、１５ｋＨｚサブキャリアスペーシングのための設定であり、６０ｋＨｚサブキャリアスペーシングのための別の設定である。
【０１３６】
本発明の実施形態６では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。加えて、本発明の実施形態６では、ｅＭＢＢサービスは、サブフレーム内の特定の位置にスケジューリングされず、それによって、隣接周波数ＵＲＬＬＣのための送信機会をもたらす。
【０１３７】
［実施形態７］
ｅＭＢＢサービスデータを送信するための現在のスロットは、ダウンリンクのみのスロット、１４のＯＦＤＭシンボルを含むダウンリンク優位スロット、または７つのＯＦＤＭシンボルを含むダウンリンク優位スロットであり、ｅＮＢ側の受信／送信遷移のアイドル時間は、既存のＬＴＥ規格において５４８Ｔｓ以下の受信／送信遷移アイドル時間として規定されることが仮定される。受信／送信遷移時間が５４８Ｔｓ以下に減少されるとき、ｅＭＢＢダウンリンク送信のために予約されるアイドルＯＦＤＭシンボルの量が減少され、それによって、ｅＭＢＢ送信効率を改善することが留意されるべきである。
【０１３８】
ｅＮＢは、ＵＲＬＬＣサービスデータが送信されるアップリンクリソース時間領域位置を決定する。ＵＲＬＬＣサービスデータが送信されるアップリンクリソース時間領域位置は、規格において予め規定されてもよいし、現在のスロットのタイプに一意に対応してもよい（現在のスロットは、ダウンリンクのみのスロット、１４のＯＦＤＭシンボルを含むダウンリンク優位スロット、または７つのＯＦＤＭシンボルを含むダウンリンク優位スロットである）。ダウンリンクのみのスロットでは、ｅＭＢＢサービスは、第７のＯＦＤＭシンボルまたは第１４のＯＦＤＭシンボル内で実行されない。１４のＯＦＤＭシンボルを含むダウンリンク優位スロットでは、ｅＭＢＢアップリンク送信が開始するＯＦＤＭシンボルの番号がＮである場合、ｅＭＢＢサービスは、（Ｎ−７）番目のＯＦＤＭシンボル内で実行されない。
【０１３９】
ｅＮＢは、ＵＲＬＬＣサービスデータが送信されるアップリンクリソース時間領域位置を決定し、シグナリングによってスロットタイプを示すことがあり、ｅＭＢＢダウンリンク送信およびＵＲＬＬＣアップリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢダウンリンク送信が実行される時間領域位置およびＵＲＬＬＣアップリンク送信が実行される時間領域位置を示し得る。
【０１４０】
任意選択で、１４のＯＦＤＭシンボルを含むダウンリンク優位スロット内で、ＵＲＬＬＣアップリンクリソースは、隣接周波数ｅＭＢＢアップリンク送信が開始するＯＦＤＭシンボルよりもＯＦＤＭシンボル７つ前の時間領域位置に位置づけられることが、規格によって指定される、またはｅＮＢシグナリングによって通知される。
【０１４１】
本発明のこの実施形態では、ｅＭＢＢダウンリンク送信およびＵＲＬＬＣアップリンク送信をスケジューリングするためのＯＦＤＭシンボルの番号位置が、図１６に示されている。
【０１４２】
ダウンリンクのみのスロットに関し、図１６の（ａ）に示されるように、ｅＮＢは、第１から第６のＯＦＤＭシンボル内でダウンリンクデータを送信し、第８から第１３のＯＦＤＭシンボル内でダウンリンクデータを送信する。第７のＯＦＤＭシンボルおよび第１４のＯＦＤＭシンボルの位置は、隣接周波数ＵＲＬＬＣアップリンク送信に影響することを回避するために、事前に予約されている。事前に予約されるＯＦＤＭシンボルの番号は、規格において指定されてもよいし、ｅＮＢがデータをスケジューリングする終了位置を用いることによって決定されてもよい。任意選択で、第７のＯＦＤＭシンボルおよび第１４のＯＦＤＭシンボルに対応する隣接周波数上で、１つまたは２つのＵＲＬＬＣアップリンクＯＦＤＭシンボルが送信されることがある。
【０１４３】
１４のＯＦＤＭシンボルを含むダウンリンク優位スロットに関し、図１６の（ｂ）に示されるように、ｅＮＢは、第１から第６のＯＦＤＭシンボル内でダウンリンクデータを送信し、第８から第１２のＯＦＤＭシンボル内でダウンリンクデータを送信し、第１４のＯＦＤＭシンボル内でアップリンクデータを受信する。第７のＯＦＤＭシンボルは、事前にＵＲＬＬＣアップリンク送信のために予約されている。加えて、第１３のＯＦＤＭシンボルは、ｅＭＢＢサービスのためのＧＰである。予約されたＯＦＤＭシンボルの位置は、規格において指定されてもよいし、ｅＮＢによってＵＲＬＬＣ  ＵＥに示されてもよい。
【０１４４】
７つのＯＦＤＭシンボルを含むダウンリンク優位スロットに関し、図１６の（ｃ）に示されるように、２つの周波数帯域が同じｅＮＢによってスケジューリングされる場合、スロットタイプシグナリングがブロードキャストされるとき、同じシグナリングがブロードキャストされ得る。シグナリングは、１５ｋＨｚサブキャリアスペーシングのための設定であり、６０ｋＨｚサブキャリアスペーシングのための別の設定である。
【０１４５】
本発明の実施形態７では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢダウンリンク送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。さらに、本発明の実施形態７では、ｅＭＢＢサービスに対する影響が減少され、スペクトル効率が改善される。
【０１４６】
［実施形態８］
ｅＭＢＢサービスデータを送信するための現在のスロットは、アップリンクのみのスロット、１４のＯＦＤＭシンボルを含むアップリンク優位スロット、または７つのＯＦＤＭシンボルを含むアップリンク優位スロットであり、ｅＮＢ側の受信／送信遷移のアイドル時間は、既存のＬＴＥ規格において５４８Ｔｓ以下の受信／送信遷移アイドル時間として規定されることが仮定される。受信／送信遷移時間が５４８Ｔｓ以下に減少されるとき、ｅＭＢＢダウンリンク送信のために予約されるアイドルＯＦＤＭシンボルの量が減少され、それによって、ｅＭＢＢ送信効率を改善することが留意されるべきである。
【０１４７】
ｅＮＢは、ＵＲＬＬＣサービスデータが送信されるダウンリンクリソース時間領域位置を決定する。ＵＲＬＬＣサービスデータが送信されるダウンリンクリソース時間領域位置は、規格において予め規定されてもよいし、現在のスロットのタイプに一意に対応してもよい（現在のスロットは、アップリンクのみのスロット、１４のＯＦＤＭシンボルを含むアップリンク優位スロット、または７つのＯＦＤＭシンボルを含むアップリンク優位スロットである）。アップリンクのみのスロットでは、ｅＭＢＢサービスは、第１のＯＦＤＭシンボルまたは第８のＯＦＤＭシンボル内で実行されない。１４のＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋７）番目のＯＦＤＭシンボル内で実行されない。
【０１４８】
ＵＲＬＬＣサービスデータが送信されるダウンリンクリソース時間領域位置を決定した後、ｅＮＢは、シグナリングによってスロットタイプを示し、ｅＭＢＢアップリンク送信およびＵＲＬＬＣダウンリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢアップリンク送信が実行される時間領域位置およびＵＲＬＬＣダウンリンク送信が実行される時間領域位置を示し得る。
【０１４９】
任意選択で、１４のＯＦＤＭシンボルを含むアップリンク優位スロット内で、ＵＲＬＬＣダウンリンクリソースは、隣接周波数ｅＭＢＢダウンリンク送信が終了するＯＦＤＭシンボルよりもＯＦＤＭシンボル７つ後の時間領域位置に位置づけられることが、規格によって指定される、またはｅＮＢシグナリングによって通知される。
【０１５０】
本発明のこの実施形態では、ｅＭＢＢアップリンク送信およびＵＲＬＬＣダウンリンク送信をスケジューリングするためのＯＦＤＭシンボルの番号位置が、図１７に示されている。
【０１５１】
アップリンクのみのスロットに関し、図１７の（ａ）に示されるように、ｅＮＢは、第２から第７のＯＦＤＭシンボルおよび第９から第１４のＯＦＤＭシンボル内でアップリンクデータを受信する。第１のＯＦＤＭシンボルおよび第８のＯＦＤＭシンボルの位置は、隣接周波数ＵＲＬＬＣダウンリンク送信に影響することを回避するために、事前に予約されている。事前に予約されるＯＦＤＭシンボルの位置は、規格において指定されてもよいし、ｅＮＢがデータをスケジューリングする開始位置および終了位置を用いることによって決定されてもよい。任意選択で、隣接周波数内にある第１のＯＦＤＭシンボルおよび第８のＯＦＤＭシンボル内で、１つまたは２つのＵＲＬＬＣダウンリンクＯＦＤＭシンボルが送信されることがある。
【０１５２】
１４のＯＦＤＭシンボルを含むアップリンク優位スロットに関し、図１７の（ｂ）に示されるように、ｅＮＢは、第３から第７のＯＦＤＭシンボルおよび第９から第１４のＯＦＤＭシンボル内でアップリンクデータを受信し、第１のＯＦＤＭシンボル内でダウンリンクデータを送る。第８のＯＦＤＭシンボルの位置は、隣接周波数ＵＲＬＬＣダウンリンク送信に影響することを回避するために、事前に予約されている。加えて、第２のＯＦＤＭシンボルは、ｅＭＢＢサービスのためのＧＰである。予約されたＯＦＤＭシンボルの位置は、規格において指定されてもよいし、ｅＮＢによってＵＲＬＬＣ  ＵＥに示されてもよい。
【０１５３】
７つのＯＦＤＭシンボルを含むアップリンク優位スロットに関し、図１７の（ｃ）に示されるように、２つの周波数帯域が同じｅＮＢによってスケジューリングされる場合、スロットタイプシグナリングがブロードキャストされるとき、同じシグナリングがブロードキャストされ得る。シグナリングは、１５ｋＨｚサブキャリアスペーシングのための設定であり、６０ｋＨｚサブキャリアスペーシングのための別の設定である。
【０１５４】
本発明の実施形態８では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢダウンリンク送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【０１５５】
実施形態６と比較して、本発明の実施形態８では、ｅＭＢＢサービスに対する影響が減少され、スペクトル効率が改善される。
【０１５６】
本発明の実施形態では、空間多重化機会は、アイドル時間が予約される前述のスロットスケジューリング解決策を用いることによって増加される。したがって、システムスペクトル効率が改善されることができ、異なる要件をもつ種々のサービスがサポートされることができる。
【０１５７】
前述の実施形態におけるスロットスケジューリング方法に基づいて、本発明の実施形態は、スロットスケジューリング装置をさらに提供する。前述の機能を実装するために、スロットスケジューリング装置は、機能を実行するための対応するハードウェア構造および／またはソフトウェアモジュールを含むことが理解できる。本発明の実施形態は、本発明に開示されている実施形態において説明される例のユニットおよびアルゴリズムステップを参照して、ハードウェアの形で、またはハードウェアとコンピュータソフトウェアの組み合わせの形で、実装されることができる。機能がハードウェアによって実行されるか、ハードウェアを駆動するコンピュータソフトウェアによって実行されるかは、技術的解決策の特定の適用例および設計制約に依存する。当業者は、異なる方法を用いて、各特定の適用例のための説明される機能を実装してよいが、実装は本発明の実施形態の技術的解決策の範囲を超えることが考慮されるべきではない。
【０１５８】
機能ユニット分割は、本発明の実施形態における前述の方法例に基づいて、スロットスケジューリング装置上で実行されてよい。たとえば、機能ユニットは、機能に基づいた分割を通じて取得されてもよいし、２つ以上の機能が１つの処理ユニットへと統合されてもよい。前述の統合されたユニットは、ハードウェアの形で実装されてもよいし、ソフトウェア機能ユニットの形で実装されてもよい。本発明の実施形態におけるユニット分割は例であり、論理的機能分割にすぎず、実際の実装において他の分割であってよいことが留意されるべきである。
【０１５９】
統合されたユニットを用いるケースでは、図１８は、本発明の実施形態によるスロットスケジューリング装置の概略構造図である。図１８を参照すると、スロットスケジューリング装置１００は、処理ユニット１０１と、通信ユニット１０２とを含む。処理ユニット１０１は、前述の方法実施形態における任意の構造のスロットを決定するように構成される。通信ユニット１０２は、処理ユニット１０１によって決定されたスロットを送るように構成される。
【０１６０】
本発明のこの実施形態では、処理ユニット１０１および通信ユニット１０２の機能は、前述の方法実施形態における機能に対応してよく、確実に、上記で説明された機能に限定されない。たとえば、処理ユニット１０１は、スロットの構成情報に基づいてスロット内で搬送されるデータを処理してよい。通信ユニット１０２は、隣接周波数帯域内のデータ送信の通信方向に基づいて、現在の周波数帯域のスロット構成情報を取得するように構成されてよい。
【０１６１】
ハードウェアの形が実装に用いられるとき、本発明のこの実施形態では、処理ユニット１０１はプロセッサであってよく、通信ユニット１０２は、通信インタフェース、受信機、送信機、トランシーバ回路などであってよい。通信インタフェースは、集合名称であり、１つまたは複数のインタフェースを含んでよい。
【０１６２】
処理ユニット１０１がプロセッサであり、通信ユニット１０２が受信機と送信機とを含むとき、本発明のこの実施形態におけるスロットスケジューリング装置１００は、図１９に示されるネットワークデバイスであってよい。図９に示されるネットワークデバイスは、ｅＮＢであってよい。
【０１６３】
図１９は、本発明の実施形態によるネットワークデバイス１０００の概略構造図である。図１９を参照すると、ネットワークデバイス１０００は、受信機１００１と、送信機１００２と、プロセッサ１００３と、メモリ１００４とを含む。受信機１００１、送信機１００２、プロセッサ１００３、およびメモリ１００４は、バスを通じて接続されてもよいし、別の様式で接続されてもよい。図１９では、例として、バス接続が用いられている。
【０１６４】
メモリ１００４は、読み出し専用メモリおよびランダムアクセスメモリを含み、命令およびデータをプロセッサ１００３に提供し得る。メモリ１００４の一部は、不揮発性ランダムアクセスメモリ（Ｎｏｎ−Ｖｏｌａｔｉｌｅ  Ｒａｎｄｏｍ  Ａｃｃｅｓｓ  Ｍｅｍｏｒｙ、ＮＶＲＡＭ）をさらに含んでよい。メモリ１００４は、オペレーティングシステムおよび操作命令、ならびに実行可能モジュールもしくはデータ構造、またはそれらのサブセットもしくは拡張セットを記憶する。操作命令は、種々の操作命令を含んでよく、種々の動作を実装するために用いられる。オペレーティングシステムは、種々のシステムプログラムを含んでよく、システムプログラムは、種々の基本サービスを実装し、ハードウェアベースのタスクを処理するために用いられる。
【０１６５】
プロセッサ１００３は、スロットスケジューリングの前述の機能およびスロット構成を実施するように構成される。プロセッサ１００３は、中央処理ユニット（Ｃｅｎｔｒａｌ  Ｐｒｏｃｅｓｓｉｎｇ  Ｕｎｉｔ、ＣＰＵ）と呼ばれることもある。特定の適用例では、すべての構成要素が、バスシステムを通じて互いに結合される。バスシステムは、データバスに加えて、電源バス、制御バス、ステータス信号バスなどを含む。しかしながら、明瞭な説明のために、図における種々のタイプのバスは、バスシステムと呼ばれる。
【０１６６】
本発明の前述の実施形態に開示されている方法は、プロセッサ１００３に適用されてもよいし、プロセッサ１００３によって実装されてもよい。プロセッサ１００３は、集積回路チップであってよく、信号処理能力をもつ。実装プロセスでは、前述の方法におけるステップは、プロセッサ１００３内のハードウェア集積論理回路を用いることによって実装されてもよいし、ソフトウェアの形で命令を用いることによって実施されてもよい。前述のプロセッサ１００３は、汎用プロセッサ、デジタル信号プロセッサ（ｄｉｇｉｔａｌ  ｓｉｇｎａｌ  ｐｒｏｃｅｓｓｉｎｇ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラマブル論理デバイス、ディスクリートゲートもしくはトランジスタ論理デバイス、またはディスクリートハードウェア構成要素であってよい。プロセッサは、本発明の実施形態に開示されている方法、ステップ、および論理ブロック図を実装または実行し得る。汎用プロセッサはマイクロプロセッサであってもよいし、プロセッサは、任意の従来のプロセッサなどであってもよい。本発明の実施形態を参照しながら開示される方法のステップは、ハードウェア復号プロセッサによって直接的に実行および完了されてもよいし、復号プロセッサ内のハードウェアとソフトウェアモジュールの組み合わせを用いることによって実行および完了されてもよい。ソフトウェアモジュールは、ランダムアクセスメモリ、フラッシュメモリ、読み出し専用メモリ、プログラマブル読み出し専用メモリ、電気消去可能プログラマブルメモリ、またはレジスタなどの、当技術分野における成熟した記憶媒体内に位置づけられてよい。記憶媒体はメモリ１００４内に位置づけられ、プロセッサ１００３は、メモリ１００４内の情報を読み取り、プロセッサのハードウェアと組み合わせて、前述の方法におけるステップを完了する。
【０１６７】
本発明のこの実施形態では、プロセッサ１００３は、前述の実施形態におけるスロットスケジューリング方法を実行し、スロット構造を構成するように構成される。構成されたスロット構造は、メモリ１００４に格納されてよい。詳細については、前述の実施形態におけるスロット構造構成およびスケジューリングの実装プロセスを参照されたい。詳細は、本明細書では再度説明されない。
【０１６８】
加えて、説明された装置実施形態は例にすぎないことが留意されるべきである。別個の部分として説明されるユニットは、物理的に別個であってもなくてもよく、ユニットとして表示される部分は、物理ユニットであってもなくてもよく、１つの場所に位置づけられてもよいし、複数のネットワークユニット上に分散されてもよい。いくつかまたはすべてのモジュールは、実施形態の解決策の目的を達成するために、実際の必要に基づいて選択されてよい。加えて、本発明において提供される装置実施形態の添付の図面では、モジュール間の接続関係は、モジュールが互いとの通信接続をもち、通信接続は、具体的には、１つまたは複数の通信バスまたは信号ケーブルとして実装され得ることを示す。当業者は、創意工夫なしに本発明の実施形態を理解および実装し得る。
【０１６９】
さらに、本発明の実施形態において用いられる用語は、特定の実施形態を示すためにすぎず、本発明を限定することを意図したものではないことが留意されるべきである。本発明の実施形態および添付の特許請求の範囲において用いられる単数形の「１つの（ａ）」および「その（ｔｈｅ）」という用語は、文脈において別途明確に指定されない限り、複数形を含むことも意図する。本明細書で用いられる「および／または」という用語は、１つまたは複数の関連づけられた列挙された項目のいずれかまたはすべての可能な組み合わせを示し、これを含むことも理解されるべきである。加えて、本明細書における「／」という文字は、一般に、関連づけられた対象間の「または」関係を表す。
【０１７０】
「第１の」、「第２の」などの用語は、本発明の実施形態において、類似の対象を区別するために用いられ得るが、必ずしも特定の順番または順序を示すものではないことが理解されるべきである。たとえば、本発明の実施形態における第１のアイドル時間および第２のアイドル時間は、説明の容易さおよび異なるアイドル時間を区別するために用いられるにすぎず、アイドル時間に対する限定を構成しない。そのようにして用いられるデータは、適切な環境において互換性があり、したがって、本明細書において説明される本発明の実施形態は、本明細書において例示または説明される順番とは異なる順番で実装されることができることが理解されるべきである。
【０１７１】
文脈に応じて、たとえば、本明細書において用いられる「場合」という単語は、「間または「とき」または「決定したことに応答して」または「検出に応答して」と説明されることがある。同様に、文脈に応じて、「決定した場合」または「（述べられた条件またはイベント）を検出した場合」という表現は、「決定したとき」または「決定したことに応答して」または「（述べられた条件またはイベント）を検出したとき」または「（述べられた条件またはイベント）を検出したことに応答して」と説明されることがある。
【０１７２】
当業者は、実施形態の前述の方法におけるステップのすべてまたはいくつかは、プロセッサに命令するプログラムによって実装されてよいことを理解し得る。プログラムは、コンピュータ可読記憶媒体に記憶されてよい。記憶媒体は、ランダムアクセスメモリ、読み出し専用メモリ、フラッシュメモリ、ハードディスク、ソリッドステートドライブ、磁気テープ（英語：ｍａｇｎｅｔｉｃ  ｔａｐｅ）、フロッピーディスク（英語：ｆｌｏｐｐｙ  ｄｉｓｋ）、光ディスク（英語：ｏｐｔｉｃａｌ  ｄｉｓｃ）、またはそれらの任意の組み合わせなどの、非一時的な（英語：ｎｏｎ−ｔｒａｎｓｉｔｏｒｙ）媒体である。
【０１７３】
本発明は、本発明の実施形態における方法およびデバイスのそれぞれのフローチャートおよびブロック図を参照しながら説明される。コンピュータプログラム命令は、フローチャートおよびブロック図内の各プロセスおよび各ブロックならびにフローチャートおよびブロック図内のプロセスおよびブロックの組み合わせを実装するために用いられてよいことが理解されるべきである。これらのコンピュータプログラム命令は、機械を生成するために、汎用コンピュータ、特殊目的コンピュータ、埋め込みプロセッサ、または別のプログラマブルデータ処理デバイスのプロセッサに提供されてよく、したがって、コンピュータまたは別のプログラマブルデータ処理デバイスのプロセッサによって実行される命令は、フローチャート内の１つもしくは複数のプロセスにおいて、またはブロック図内の１つもしくは複数のブロックにおいて、特殊な機能を実装するための装置を生成する。
【０１７４】
前述の説明は、本発明の例示的な実装にすぎず、本発明の保護範囲を限定することを意図したものではない。当業者によって容易に理解される、本発明に開示されている技術的範囲内のいかなる変形または置き換えも、本発明の保護範囲に含まれるものとする。したがって、本発明の保護範囲は、特許請求の範囲の保護範囲の対象となるものとする。
【図１】
2020504478.tif 000003
【図２】
2020504478.tif 000004
【図３】
2020504478.tif 000005
【図４】
2020504478.tif 000006
【図５】
2020504478.tif 000007
【図６】
2020504478.tif 000008
【図７】
2020504478.tif 000009
【図８】
2020504478.tif 000010
【図９】
2020504478.tif 000011
【図１０】
2020504478.tif 000012
【図１１】
2020504478.tif 000013
【図１２】
2020504478.tif 000014
【図１３】
2020504478.tif 000015
【図１４】
2020504478.tif 000016
【図１５】
2020504478.tif 000017
【図１６】
2020504478.tif 000018
【図１７】
2020504478.tif 000019
【図１８】
2020504478.tif 000020
【図１９】
2020504478.tif 000021
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
装置によって遂行されるスロットタイプ表示方法であって、
基地局によって送られるインジケーション情報を受信するステップであって、前記インジケーション情報は、第１のスロットの少なくとも１つのスロットタイプを備える、ステップを含み、
前記第１のスロットの前記少なくとも１つのスロットタイプ内に、前記第１のスロットは複数の直交周波数分割多重（ＯＦＤＭ）シンボルを備え、前記複数のＯＦＤＭシンボルはアップリンク送信、ダウンリンク送信、または予約のために用いられ、
前記複数のＯＦＤＭシンボルの最初の半分は、ダウンリンク送信のために用いられる少なくとも１つのＯＦＤＭシンボル、およびアップリンク送信のために用いられる少なくとも１つのＯＦＤＭシンボルを備え、前記複数のＯＦＤＭシンボルの残りの半分は、ダウンリンク送信のために用いられる少なくとも１つのＯＦＤＭシンボル、およびアップリンク送信のために用いられる少なくとも１つのＯＦＤＭシンボルを備える、方法。
【請求項２】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルおよび第８のＯＦＤＭシンボルと、アップリンク送信のために用いられる第７のＯＦＤＭシンボルおよび第１４のＯＦＤＭシンボルと
を備える、請求項１に記載の方法。
【請求項３】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルおよび第８のＯＦＤＭシンボルと、
アップリンク送信のために用いられる第４のＯＦＤＭシンボルから第７のＯＦＤＭシンボルおよび第１１のＯＦＤＭシンボルから第１４のＯＦＤＭシンボルと、
予約のために用いられる第２のＯＦＤＭシンボル、第３のＯＦＤＭシンボル、第９のＯＦＤＭシンボル、および第１０のＯＦＤＭシンボルと
を備える、請求項１または２に記載の方法。
【請求項４】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルおよび第８のＯＦＤＭシンボルと、
アップリンク送信のために用いられる第３のＯＦＤＭシンボルから第７のＯＦＤＭシンボルおよび第１０のＯＦＤＭシンボルから第１４のＯＦＤＭシンボルと、
予約のために用いられる第２のＯＦＤＭシンボルおよび第９のＯＦＤＭシンボルと
を備える請求項１または２に記載の方法。
【請求項５】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルから第４のＯＦＤＭシンボルおよび第８のＯＦＤＭシンボルから第１１のＯＦＤＭシンボルと、
アップリンク送信のために用いられる第７のＯＦＤＭシンボルおよび第１４のＯＦＤＭシンボルと、
予約のために用いられる第５のＯＦＤＭシンボル、第６のＯＦＤＭシンボル、第１２のＯＦＤＭシンボル、および第１３のＯＦＤＭシンボルと
を備える、請求項１または２に記載の方法。
【請求項６】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルから第５のＯＦＤＭシンボルおよび第８のＯＦＤＭシンボルから第１２のＯＦＤＭシンボルと、
アップリンク送信のために用いられる第７のＯＦＤＭシンボルおよび第１４のＯＦＤＭシンボルと、
予約のために用いられる第６のＯＦＤＭシンボルおよび第１３のＯＦＤＭシンボルと
を備える、請求項１または２に記載の方法。
【請求項７】
第７のＯＦＤＭシンボルおよび第１４のＯＦＤＭシンボルがアップリンク送信のために用いられることは、
第７のＯＦＤＭシンボルおよび第１４のＯＦＤＭシンボルは前記アップリンク送信のために用いられ、およびアップリンク制御を運び、前記アップリンク制御は肯定応答命令または否定応答命令を備え、またはアップリンクチャネル状態情報を送信する
ことを含む、請求項５または６に記載の方法。
【請求項８】
スロットスケジューリング装置であって、
基地局によって送られるインジケーション情報を受信するように構成された処理ユニットであって、前記インジケーション情報は、第１のスロットの少なくとも１つのスロットタイプを備える、処理ユニットを備え、
前記第１のスロットの前記少なくとも１つのスロットタイプ内に、前記第１のスロットは複数の直交周波数分割多重（ＯＦＤＭ）シンボルを備え、前記複数のＯＦＤＭシンボルはアップリンク送信、ダウンリンク送信、または予約のために用いられ、
前記複数のＯＦＤＭシンボルの最初の半分は、ダウンリンク送信のために用いられる少なくとも１つのＯＦＤＭシンボル、およびアップリンク送信のために用いられる少なくとも１つのＯＦＤＭシンボルを備え、前記複数のＯＦＤＭシンボルの残りの半分は、ダウンリンク送信のために用いられる少なくとも１つのＯＦＤＭシンボル、およびアップリンク送信のために用いられる少なくとも１つのＯＦＤＭシンボルを備える、装置。
【請求項９】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルおよび第８のＯＦＤＭシンボルと、アップリンク送信のために用いられる第７のＯＦＤＭシンボルおよび第１４のＯＦＤＭシンボルと
を備える、請求項８に記載の装置。
【請求項１０】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルおよび第８のＯＦＤＭシンボルと、
アップリンク送信のために用いられる第４のＯＦＤＭシンボルから第７のＯＦＤＭシンボルおよび第１１のＯＦＤＭシンボルから第１４のＯＦＤＭシンボルと、
予約のために用いられる第２のＯＦＤＭシンボル、第３のＯＦＤＭシンボル、第９のＯＦＤＭシンボル、および第１０のＯＦＤＭシンボルと
を備える、請求項８または９に記載の装置。
【請求項１１】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルおよび第８のＯＦＤＭシンボルと、
アップリンク送信のために用いられる第３のＯＦＤＭシンボルから第７のＯＦＤＭシンボルおよび第１０のＯＦＤＭシンボルから第１４のＯＦＤＭシンボルと、
予約のために用いられる第２のＯＦＤＭシンボルおよび第９のＯＦＤＭシンボルと
を備える、請求項８または９に記載の装置。
【請求項１２】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルから第４のＯＦＤＭシンボルおよび第８のＯＦＤＭシンボルから第１１のＯＦＤＭシンボルと、
アップリンク送信のために用いられる第７のＯＦＤＭシンボルおよび第１４のＯＦＤＭシンボルと、
予約のために用いられる第５のＯＦＤＭシンボル、第６のＯＦＤＭシンボル、第１２のＯＦＤＭシンボル、および第１３のＯＦＤＭシンボルと
を備える、請求項８または９に記載の装置。
【請求項１３】
前記第１のスロットの前記少なくとも１つのスロットタイプ内に、前記第１のスロットは１４個のＯＦＤＭシンボルを備え、前記１４個のＯＦＤＭシンボルは、
ダウンリンク送信のために用いられる第１のＯＦＤＭシンボルから第５のＯＦＤＭシンボルおよび第８のＯＦＤＭシンボルから第１２のＯＦＤＭシンボルと、
アップリンク送信のために用いられる第７のＯＦＤＭシンボルおよび第１４のＯＦＤＭシンボルと、
予約のために用いられる第６のＯＦＤＭシンボルおよび第１３のＯＦＤＭシンボルと
を備える、請求項８または９に記載の装置。
【請求項１４】
第７のＯＦＤＭシンボルおよび第１４のＯＦＤＭシンボルがアップリンク送信のために用いられることは、
第７のＯＦＤＭシンボルおよび第１４のＯＦＤＭシンボルは前記アップリンク送信のために用いられ、およびアップリンク制御を運び、前記アップリンク制御は肯定応答命令または否定応答命令を備え、またはアップリンクチャネル状態情報を送信する
ことを含む、請求項１２または１３に記載の装置。
【請求項１５】
前記装置は、端末またはチップである請求項８乃至１４のいずれか一項に記載の装置。
【請求項１６】
コンピュータによって実行されたとき、前記コンピュータに請求項１乃至７のいずれか一項に記載の方法の前記ステップを遂行させる命令を備えた、非一時的コンピュータ可読媒体。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に関し、具体的にはスロットスケジューリング方法および装置に関する。
【背景技術】
【０００２】
通信システムの発展とともに、第５世代（５Ｇ）新無線（Ｎｅｗ  Ｒａｄｉｏ、ＮＲ）通信システムが研究されている。
【０００３】
５Ｇ  ＮＲにおいて、エンハンストモバイルブロードバンド（ｅｎｈａｎｃｅｄ  ｍｏｂｉｌｅ  ｂｒｏａｄｂａｎｄ、ｅＭＢＢ）サービス、および超高信頼性低遅延通信（ｕｌｔｒａ−ｒｅｌｉａｂｌｅ  ａｎｄ  ｌｏｗ−ｌａｔｅｎｃｙ  ｃｏｍｍｕｎｉｃａｔｉｏｎｓ、ＵＲＬＬＣ）サービスなどの複数のサービスがサポートされる。ｅＭＢＢは、既存のモバイルブロードバンドサービスの強化であり、より高帯域幅のサービス、たとえば４ｋビデオ送信、および仮想現実（Ｖｉｒｔｕａｌ  Ｒｅａｌｉｔｙ、ＶＲ）ゲームレンダリングなどのサービスをサポートする。超高信頼性低遅延通信サービスは、極めて高い信頼性の観点では９９．９９９％までの正しい復調レートをサポートし、極めて低い遅延の観点では０．５ｍｓ以内のエンドツーエンド時間遅れをサポートする。主要なＵＲＬＬＣアプリケーションシナリオは、信頼性および遅延に対する高い要件を有する自動運転車およびネットワーキングドローンなどのアプリケーションを含む。
【０００４】
前述の２つサービスの説明から、異なるサービスは異なる遅延および帯域幅要件を有することが学ばれることができる。それに対応して、キャリアスペーシングが異なることもある。ニューメロロジーとは、サブキャリアスペーシングおよびシンボル持続時間などを含む送信タイプを意味する。ネットワークデバイスまたは端末が特定のニューメロロジーを用いるとき、送信は、ニューメロロジーにおけるサブキャリアスペーシングを用いることによって行われる。ネットワークデバイスまたは端末は、１５ｋＨ、３０ｋＨ、および６０ｋＨの異なるサブキャリアスペーシングを含むニューメロロジーなど、複数のニューメロロジーを用いてよく、図１に示されるように、周波数領域内の隣接周波数帯域における送信（隣接周波数モード送信）を行い得る。あるいは、ネットワークデバイスまたは端末は、図２に示されるように、複数のニューメロロジーを用いて同じ周波数帯域における送信（イントラ周波数モード送信）を行い得る。
【０００５】
現在、隣接周波数モードを用いるか、イントラ周波数モードを用いるかに関わらず、アップリンクデータ送信とダウンリンクデータ送信との間で、干渉が生じ得る。たとえば、イントラ周波数モード送信の間、１４個のシンボルを含んだダウンリンク優位スロットにおいて、各１ｍｓサブフレーム内のダウンリンクデータ送信は、０．８ｍｓ以上の間継続し得る。周波数帯域がダウンリンクデータ送信によって長時間占有される場合、同じ周波数帯域内のＵＲＬＬＣアップリンクデータ送信において、０．５ｍｓのエンドツーエンド時間遅れは実装されることができない。同様に、アップリンク優位サブフレームにおいて、周波数帯域がアップリンクデータ送信によって長時間占有される場合、同じ周波数帯域内のＵＲＬＬＣダウンリンク送信において、０．５ｍｓのエンドツーエンド時間遅れは実装されることができない。他の例に対して、隣接周波数モード送信の間、１つのネットワークデバイスが２つの隣接周波数帯域において異なるサービスをサポートするとき、１つの周波数帯域が０．８ｍｓの間継続するｅＭＢＢサービスダウンリンク送信をサポートする場合、隣接周波数帯域の隣接周波数漏洩によって引き起こされる干渉により、他方の周波数帯域はＵＲＬＬＣアップリンク送信サービスをサポートすることができない。したがって、高信頼性要件は満たされることができない。同様に、ｅＭＢＢアップリンク送信が一方の周波数帯域内で行われ、ＵＲＬＬＣダウンリンク送信が他方の周波数帯域内で用いられる場合、ｅＭＢＢアップリンク送信も隣接周波数漏洩により影響を受ける。異なるネットワークデバイスがそれぞれｅＭＢＢおよびＵＲＬＬＣサービスをサポートし、２つのネットワークデバイスが隣接周波数において動作するとき、アップリンクデータ送信とダウンリンクデータ送信との間の干渉は依然として存在する。
【発明の概要】
【０００６】
本発明の実施形態は、アップリンクデータ送信とダウンリンクデータ送信との間の干渉を回避するための、スロットスケジューリング方法および装置をもたらす。
【０００７】
第１の態様によれば、スロットスケジューリング方法がもたらされる。方法において、ｅＮＢはスロットを決定して送り、ＵＥはｅＮＢによって送られたスロットを受信し、スロット構造に基づいてデータを送信する。ｅＮＢによって決定されるスロットは第１のスロットを含み、第１のスロットは第１のアイドル時間を含み、第１のアイドル時間の開始時点と、第１のスロットの開始時点との間の時間間隔は予め設定された時間間隔閾値以下であり、または第１のアイドル時間の開始時点と、第１のスロット内にあり、制御シグナリングを送信するために用いられる、少なくとも１つのＯＦＤＭシンボルの終了時点との間の時間間隔は予め設定された時間間隔閾値以下である。予め設定された時間間隔閾値は、サービスが実際に送信されるために必要な最小遅延の要件に基づいて決定され得る。通常、予め設定された時間間隔閾値は１ミリ秒以下である。たとえば、第１のアイドル時間がＵＲＬＬＣサービスのためのアップリンクデータまたはダウンリンクデータを送信するために用いられる場合、予め設定された時間間隔閾値は０．５ミリ秒でよい。
【０００８】
本発明の実施形態において、スロットがスケジューリングされるとき、送信時間およびアイドル時間がスロット内で設定され、送信時間およびアイドル時間はそれぞれ、イントラ周波数モードまたは隣接周波数モードにおける異なるサービスの間の干渉を回避するために、イントラ周波数モードまたは隣接周波数モードにおいて異なるサービスを送信するように用いられる。
【０００９】
可能な実装において、スロットは第２のスロットをさらに含み、第２のスロットは第２のアイドル時間を含む。第２のアイドル時間の開始時点と、第２のスロットの開始時点との間の時間間隔は予め設定された時間間隔閾値以下であり、または第２のアイドル時間の開始時点と、第２のスロット内にあり、制御シグナリングを送信するために用いられる、少なくとも１つのＯＦＤＭシンボルの終了時点との間の時間間隔は予め設定された時間間隔閾値以下である。第２のアイドル時間の開始時点と、第１のアイドル時間の開始時点との間の時間間隔は予め設定された時間間隔閾値以下であり、または第２のアイドル時間の開始時点と、第１のアイドル時間の終了時点との間の時間間隔は予め設定された時間間隔閾値以下であり、または第２のアイドル時間の終了時点と、第１のアイドル時間の開始時点との間の時間間隔は予め設定された時間間隔閾値以下であり、または第２のアイドル時間の終了時点と、第１のアイドル時間の終了時点との間の時間間隔は予め設定された時間間隔閾値以下である。
【００１０】
第１のスロットは７個のＯＦＤＭシンボルを含み、第１のスロット内のＮ番目のＯＦＤＭシンボルは、７個のＯＦＤＭシンボル内にあり、アップリンクデータを送信するために用いられるＯＦＤＭシンボルであり、（Ｎ−１）番目または（Ｎ−２）番目のＯＦＤＭシンボルは第１のアイドル時間または第２のアイドル時間に属する。
【００１１】
第１のスロットは７個のＯＦＤＭシンボルを含み、第１のスロット内のＮ番目のＯＦＤＭシンボルは、７個のＯＦＤＭシンボル内にあり、ダウンリンクデータを送信するために用いられるＯＦＤＭシンボルであり、（Ｎ＋１）番目または（Ｎ＋２）番目のＯＦＤＭシンボルは第１のアイドル時間または第２のアイドル時間に属する。
【００１２】
他の可能な実装において、第１のスロットは、第１の送信時間、第１のアイドル時間、第２のアイドル時間、および第２の送信時間を含む。
【００１３】
第２のアイドル時間の開始時点と、第２の送信時間の開始時点との間の時間間隔は予め設定された時間間隔閾値以下であり、または第２のアイドル時間の開始時点と、第２の送信時間の終了時点との間の時間間隔は予め設定された時間間隔閾値以下である。
【００１４】
第２のアイドル時間の開始時点と、第１のアイドル時間の開始時点との間の時間間隔は予め設定された時間間隔閾値以下であり、または第２のアイドル時間の開始時点と、第１のアイドル時間の終了時点との間の時間間隔は予め設定された時間間隔閾値以下であり、または第２のアイドル時間の終了時点と、第１のアイドル時間の開始時点との間の時間間隔は予め設定された時間間隔閾値以下であり、または第２のアイドル時間の終了時点と、第１のアイドル時間の終了時点との間の時間間隔は予め設定された時間間隔閾値以下である。
【００１５】
第１のスロットは１４個のＯＦＤＭシンボルを含み、第１のスロット内のＮ番目のＯＦＤＭシンボルは第１のスロット内の第１から第６のＯＦＤＭシンボルの１つである。第１のアイドル時間は、スロット内にあるＮ番目のＯＦＤＭシンボル、（Ｎ＋１）番目のＯＦＤＭシンボル、（Ｎ＋７）番目のＯＦＤＭシンボル、および（Ｎ＋８）番目のＯＦＤＭシンボルの少なくとも１つを含む。
【００１６】
第１のスロットは１４個のＯＦＤＭシンボルを含み、第１のスロット内のＮ番目のＯＦＤＭシンボルは、１４個のＯＦＤＭシンボル内にあり、アップリンクデータを送信するために用いられるＯＦＤＭシンボルであり、第１のスロット内にある（Ｎ−２）番目のＯＦＤＭシンボル、（Ｎ−１）番目のＯＦＤＭシンボル、（Ｎ−８）番目のＯＦＤＭシンボル、および（Ｎ−７）番目のＯＦＤＭシンボルの少なくとも１つは、第１のアイドル時間または第２のアイドル時間に属する。
【００１７】
第１のスロットは１４個のＯＦＤＭシンボルを含み、第１のスロット内のＮ番目のＯＦＤＭシンボルは、１４個のＯＦＤＭシンボル内にあり、ダウンリンクデータを送信するために用いられるＯＦＤＭシンボルであり、第１のスロット内にある（Ｎ＋１）番目のＯＦＤＭシンボル、（Ｎ＋２）番目のＯＦＤＭシンボル、（Ｎ＋７）番目のＯＦＤＭシンボル、および（Ｎ＋８）番目のＯＦＤＭシンボルの少なくとも１つは、第１のアイドル時間または第２のアイドル時間に属する。
【００１８】
他の可能な実装において、第１のスロットおよび／または第２のスロットは、周波数領域内の少なくとも２つの周波数帯域を占有し、少なくとも２つの周波数帯域は、第１の周波数帯域および第２の周波数帯域を含み、第１のアイドル時間または第２のアイドル時間は、第１の周波数帯域内にある。第１の周波数帯域内にあり、第１のアイドル時間内に含まれるＯＦＤＭシンボル、第２のアイドル時間内に含まれるＯＦＤＭシンボル、およびＮ番目のＯＦＤＭシンボル以外の、別のＯＦＤＭシンボル内で送信されるデータの通信方向は、Ｎ番目のＯＦＤＭシンボル内で送信されるデータの通信方向とは反対方向であり、通信方向は、アップリンク通信方向およびダウンリンク通信方向を含む。第２の周波数帯域内にあり、時間領域シンボル位置において、第１の周波数帯域内の第１のアイドル時間および第２のアイドル時間に対応する、ＯＦＤＭシンボル内で送信されるデータの通信方向は、Ｎ番目のシンボル内で送信されるデータの通信方向と同じである。第２の周波数帯域内にあり、時間領域シンボル位置において、第１の周波数帯域内の第１のアイドル時間および第２のアイドル時間に対応する、ＯＦＤＭシンボル以外の別のＯＦＤＭシンボル内で送信されるデータの通信方向は、Ｎ番目のシンボル内で送信されるデータの通信方向とは反対方向である。
【００１９】
可能な実装において、第１のスロットは第１の送信時間および第１のアイドル時間を含む。第１の送信時間内に含まれるＯＦＤＭシンボルの少なくとも１つは、第１のサービスを送信するために用いられ、第１のアイドル時間内に含まれるＯＦＤＭシンボルの少なくとも１つは、第２のサービスを送信するために用いられる。
【００２０】
ｅＮＢが、第１の送信時間内にあり、第１のサービスを送信するために用いられるＯＦＤＭシンボル、および第１のアイドル時間内にあり、第２のサービスを送信するために用いられるＯＦＤＭシンボルを決定して、ＵＥをスケジューリングするとき、実装において、ｅＮＢはインジケーション情報をＵＥに送ってよく、インジケーション情報は、第１のアイドル時間内にあり、第２のサービスを送信するために用いられる少なくとも１つのＯＦＤＭシンボルを示すために用いられ、および／または少なくとも１つ第１の送信時間内にあり、第１のサービスを送信するために用いられる少なくとも１つのＯＦＤＭシンボルを示すために用いられる。インジケーション情報は、ダウンリンク制御情報（Ｄｏｗｎｌｉｎｋ  Ｃｏｎｔｒｏｌ  Ｉｎｆｏｒｍａｔｉｏｎ、ＤＣＩ）、無線リソース制御（Ｒａｄｉｏ  Ｒｅｓｏｕｒｃｅ  Ｃｏｎｔｒｏｌ、ＲＲＣ）情報などを用いることによって送られ得る。他の実装において、第１のアイドル時間内にあり、第２のサービスデータを送信するために用いられる少なくとも１つのＯＦＤＭシンボルを規定するために、予め規定されたやり方も用いられ得る。
【００２１】
他の可能な実装において、第１のサービスをスケジューリングするとき、ｅＮＢは第１のアイドル時間内の第１のサービスデータの送信を取り消す、またはスケジューリングしなくてよい。ｅＮＢは第１のサービスデータの送信を取り消す、またはスケジューリングしないので、ＵＥは第１のアイドル時間内に第１のサービスデータを送信しない。
【００２２】
ダウンリンク専用スロットにおいて、第１のサービスは第６のＯＦＤＭシンボルまたは第１３のＯＦＤＭシンボル内では行われない。第１のサービスが行われないＯＦＤＭシンボルは、第１のアイドル時間および第２のアイドル時間内のＯＦＤＭシンボルである。７個のＯＦＤＭシンボルを含んだダウンリンク優位スロットにおいて、第１のサービスのアップリンク送信が開始するＯＦＤＭシンボルの番号がＮである場合、第１のサービスは（Ｎ−２）番目または（Ｎ−１）番目のＯＦＤＭシンボル内では行われない。１４個のＯＦＤＭシンボルを含んだダウンリンク優位スロットにおいて、第１のサービスのアップリンク送信が開始するＯＦＤＭシンボルの番号がＮである場合、第１のサービスは（Ｎ−２）番目、（Ｎ−１）番目、（Ｎ−８）番目、または（Ｎ−７）番目のＯＦＤＭシンボル内では行われない。
【００２３】
アップリンク専用スロットにおいて、第１のサービスは第２のＯＦＤＭシンボルおよび第９のＯＦＤＭシンボル内では行われない。７個のＯＦＤＭシンボルを含んだアップリンク優位スロットにおいて、第１のサービスのダウンリンク送信が終了するＯＦＤＭシンボルの番号がＮである場合、第１のサービスは（Ｎ＋１）番目または（Ｎ＋２）番目のＯＦＤＭシンボル内では行われない。１４個のＯＦＤＭシンボルを含んだアップリンク優位スロットにおいて、第１のサービスのダウンリンク送信が終了するＯＦＤＭシンボルの番号がＮである場合、第１のサービスは（Ｎ＋１）番目、（Ｎ＋２）番目、（Ｎ＋７）番目、または（Ｎ＋８）番目のＯＦＤＭシンボル内では行われない。
【００２４】
ダウンリンク専用スロットにおいて、第１のサービスは第６または第１３のＯＦＤＭシンボル内では行われない。１４個のＯＦＤＭシンボルを含んだダウンリンク優位スロットにおいて、第１のサービスのアップリンク送信が開始するＯＦＤＭシンボルの番号がＮである場合、第１のサービスは（Ｎ−１）番目または（Ｎ−８）番目のＯＦＤＭシンボル内では行われない。
【００２５】
アップリンク専用スロットにおいて、第１のサービスは第１のＯＦＤＭシンボルまたは第８のＯＦＤＭシンボル内では行われない。７個のＯＦＤＭシンボルを含んだアップリンク優位スロットにおいて、第１のサービスのダウンリンク送信が終了するＯＦＤＭシンボルの番号がＮである場合、第１のサービスは（Ｎ＋１）番目のＯＦＤＭシンボル内では行われない。１４個のＯＦＤＭシンボルを含んだアップリンク優位スロットにおいて、第１のサービスのダウンリンク送信が終了するＯＦＤＭシンボルの番号がＮである場合、第１のサービスは（Ｎ＋１）番目または（Ｎ＋８）番目のＯＦＤＭシンボル内では行われない。
【００２６】
ダウンリンク専用スロットにおいて、第１のサービスは第７または第１４のＯＦＤＭシンボル内では行われない。１４個のＯＦＤＭシンボルを含んだダウンリンク優位スロットにおいて、第１のサービスのアップリンク送信が開始するＯＦＤＭシンボルの番号がＮである場合、第１のサービスは（Ｎ−７）番目のＯＦＤＭシンボル内では行われない。
【００２７】
アップリンク専用スロットにおいて、第１のサービスは第１のＯＦＤＭシンボルまたは第８のＯＦＤＭシンボル内では行われない。１４個のＯＦＤＭシンボルを含んだアップリンク優位スロットにおいて、第１のサービスのダウンリンク送信が終了するＯＦＤＭシンボルの番号がＮである場合、第１のサービスは（Ｎ＋７）番目のＯＦＤＭシンボル内では行われない。
【００２８】
ダウンリンク専用スロットにおいて、第１のサービスは第７または第１４のＯＦＤＭシンボル内では行われない。１４個のＯＦＤＭシンボルを含んだダウンリンク優位スロットにおいて、第１のサービスのアップリンク送信が開始するＯＦＤＭシンボルの番号がＮである場合、第１のサービスは（Ｎ−７）番目のＯＦＤＭシンボル内では行われない。
【００２９】
アップリンク専用スロットにおいて、第１のサービスは第１のＯＦＤＭシンボルまたは第８のＯＦＤＭシンボル内では行われない。１４個のＯＦＤＭシンボルを含んだアップリンク優位スロットにおいて、第１のサービスのダウンリンク送信が終了するＯＦＤＭシンボルの番号がＮである場合、第１のサービスは（Ｎ＋７）番目のＯＦＤＭシンボル内では行われない。
【００３０】
他の可能な実装において、第１のスロットおよび／または第２のスロットが、受信／送信遷移のために用いられるアイドルＯＦＤＭシンボルを含む場合、第１のサービスの送信と、第２のサービスの送信との間の遷移を実装するために十分な時間を予約するように、受信／送信遷移のために用いられる少なくとも２つのアイドルＯＦＤＭシンボルが設定され得る。
【００３１】
第２の態様によれば、スロットスケジューリング装置がもたらされる。スロットスケジューリング装置は、第１の態様におけるスロットスケジューリングを実装する機能を有する。機能はハードウェアによって実装されてよく、または対応するソフトウェアを実行するハードウェアによって実装されてよい。ハードウェアまたはソフトウェアは、前述の機能に対応する１つまたは複数のモジュールを含む。モジュールは、ソフトウェアおよび／またはハードウェアでよい。
【００３２】
可能な設計において、スロットスケジューリング装置は、処理ユニットおよび通信ユニットを含み、処理ユニットおよび通信ユニットの機能は、方法ステップに対応し得る。さらに、処理ユニットによって決定されるスロットは、第１の態様における任意のスロット構造を有する。詳細は、本明細書において再び述べられない。
【００３３】
第３の態様によれば、ネットワークデバイスがもたらされ、ネットワークデバイスは、プロセッサ、メモリ、受信器、および送信器を含む。
【００３４】
メモリは、命令を記憶するように構成される。プロセッサは、受信器および送信器を制御して信号を受信するおよび送るために、メモリに記憶された命令を実行するように構成される。プロセッサが、メモリに記憶された命令を実行するとき、ネットワークデバイスは、第１の態様において述べられる任意のスロットスケジューリング方法を完了するように構成される。
【００３５】
本発明の実施形態によれば、アイドル時間はスロット内の特定の位置において設定される。第１のサービスはアイドル時間内にスケジューリングされず、それによって第２のサービスのための送信機会をもたらす。さらに、第１のサービスおよび第２のサービスの、アップリンク送信およびダウンリンク送信の時間領域位置は重複せず、それによって相互干渉を回避する。
【図面の簡単な説明】
【００３６】
【図１】現在の隣接周波数モード送信の概略図である。
【図２】現在のイントラ周波数モード送信の概略図である。
【図３】本発明の実施形態によるスロットスケジューリング方法が適用されるワイヤレス通信システムのアーキテクチャ図である。
【図４】自己完結型の（ｓｅｌｆ−ｃｏｎｔａｉｎｅｄ）サブフレーム構造の概略図である。
【図５】１５ｋＨｚのサブキャリアスペーシングを有するサブフレーム構成の概略図である。
【図６】本発明の実施形態によるスロットスケジューリング方法のフローチャートである。
【図７】本発明の実施形態によるスロット構造の概略図である。
【図８】本発明の実施形態によるスロット構造の他の概略図である。
【図９】本発明の実施形態によるスロット構造の他の概略図である。
【図１０】ｅＭＢＢダウンリンク送信およびＵＲＬＬＣアップリンク送信をスケジューリングするためのＯＦＤＭシンボルの番号位置の概略図である。
【図１１】ｅＭＢＢアップリンク送信およびＵＲＬＬＣダウンリンク送信をスケジューリングするためのＯＦＤＭシンボルの番号位置の概略図である。
【図１２】ｅＭＢＢダウンリンク送信およびＵＲＬＬＣアップリンク送信をスケジューリングするためのＯＦＤＭシンボルの番号位置の他の概略図である。
【図１３】ｅＭＢＢアップリンク送信およびＵＲＬＬＣダウンリンク送信をスケジューリングするためのＯＦＤＭシンボルの番号位置の他の概略図である。
【図１４】ｅＭＢＢダウンリンク送信およびＵＲＬＬＣアップリンク送信をスケジューリングするためのＯＦＤＭシンボルの番号位置の他の概略図である。
【図１５】ｅＭＢＢアップリンク送信およびＵＲＬＬＣダウンリンク送信をスケジューリングするためのＯＦＤＭシンボルの番号位置の他の概略図である。
【図１６】ｅＭＢＢダウンリンク送信およびＵＲＬＬＣアップリンク送信をスケジューリングするためのＯＦＤＭシンボルの番号位置の他の概略図である。
【図１７】ｅＭＢＢアップリンク送信およびＵＲＬＬＣダウンリンク送信をスケジューリングするためのＯＦＤＭシンボルの番号位置の他の概略図である。
【図１８】本発明の実施形態によるスロットスケジューリング装置の概略構造図である。
【図１９】本発明の実施形態によるネットワークデバイスの概略構造図である。
【発明を実施するための形態】
【００３７】
以下は、添付の図面を参照しながら、本発明の実施形態について説明する。
【００３８】
最初に、本出願におけるいくつかの用語は、当業者がより良い理解をもつのを助けるために説明される。
【００３９】
（１）無線アクセスネットワーク（Ｒａｄｉｏ  Ａｃｃｅｓｓ  Ｎｅｔｗｏｒｋ、ＲＡＮ）デバイスと呼ばれることがあるネットワークデバイスは、端末とワイヤレスネットワークを接続し、限定するものではないが、進化型ＮｏｄｅＢ（ｅｖｏｌｖｅｄ  ＮｏｄｅＢ、ｅＮＢ）、無線ネットワークコントローラ（Ｒａｄｉｏ  Ｎｅｔｗｏｒｋ  Ｃｏｎｔｒｏｌｌｅｒ、ＲＮＣ）、ＮｏｄｅＢ（ＮｏｄｅＢ、ＮＢ）、基地局コントローラ（Ｂａｓｅ  Ｓｔａｔｉｏｎ  Ｃｏｎｔｒｏｌｌｅｒ、ＢＳＣ）、基地トランシーバ局（Ｂａｓｅ  Ｔｒａｎｓｃｅｉｖｅｒ  Ｓｔａｔｉｏｎ、ＢＴＳ）、ホーム基地局（たとえば、Ｈｏｍｅ  ｅｖｏｌｖｅｄ  ＮｏｄｅＢまたはＨｏｍｅ  ＮｏｄｅＢ、ＨＮＢ）、ベースバンドユニット（ＢａｓｅＢａｎｄ  Ｕｎｉｔ、ＢＢＵ）、ワイヤレスフィデリティ（Ｗｉｒｅｌｅｓｓ  Ｆｉｄｅｌｉｔｙ、Ｗｉ−Ｆｉ）アクセスポイント（Ａｃｃｅｓｓ  Ｐｏｉｎｔ、ＡＰ）、送信ポイント（ｔｒａｎｓｍｉｓｓｉｏｎ  ａｎｄ  ｒｅｃｅｉｖｅｒ  ｐｏｉｎｔ、ＴＲＰまたはｔｒａｎｓｍｉｓｓｉｏｎ  ｐｏｉｎｔ、ＴＰ）などを含むデバイスである。
【００４０】
（２）端末は、音声および／もしくはデータ接続性をユーザに提供し、ワイヤレス通信機能をもつ、ハンドヘルドデバイス、車載デバイス、ウェアラブルデバイス、もしくはコンピューティングデバイス、ワイヤレスモデムに接続された別の処理デバイス、または移動局（Ｍｏｂｉｌｅ  Ｓｔａｔｉｏｎ、ＭＳ）、端末デバイス、送信ポイント（ｔｒａｎｓｍｉｓｓｉｏｎ  ａｎｄ  ｒｅｃｅｉｖｅｒ  ｐｏｉｎｔ、ＴＲＰまたはｔｒａｎｓｍｉｓｓｉｏｎ  ｐｏｉｎｔ、ＴＰ）などを含む、種々の形をしたユーザ機器（Ｕｓｅｒ  Ｅｑｕｉｐｍｅｎｔ、ＵＥ）を含んでよいデバイスである。
【００４１】
（３）相互作用：本出願における相互作用は、２つの相互作用関係者が互いに情報を転送するプロセスを意味する。本明細書における転送される情報は、同じであってもよいし、異なってもよい。たとえば、２つの相互作用関係者は基地局１および基地局２であり、基地局１は、基地局２に情報を要求することがあり、基地局２は、基地局１によって要求された情報を基地局１に提供する。確実に、基地局１および基地局２は、互いに情報を要求し得る。本明細書における要求される情報は、同じであってもよいし、異なってもよい。
【００４２】
（４）「複数の」は、２つ、または３つ以上を指す。「および／または」という用語は、関連づけられた対象の関連づけ関係について説明し、３つの関係が存在し得ることを表す。たとえば、Ａおよび／またはＢは、以下の３つのケース、すなわち、Ａのみが存在する、ＡとＢの両方が存在する、およびＢのみが存在する、を表し得る。「／」という文字は、一般に、関連づけられた対象間の「または」関係を表す。
【００４３】
（５）「ネットワーク」および「システム」という用語は、互換的に用いられることが多いが、当業者は、これらの用語の意味を理解することができる。「情報（ｉｎｆｏｒｍａｔｉｏｎ）」、「信号（ｓｉｇｎａｌ）」、「メッセージ（ｍｅｓｓａｇｅ）」、および「チャネル（ｃｈａｎｎｅｌ）」は、互換的に用いられてよい。差異が強調されないとき、表現されることになる意味は一貫していることが留意されるべきである。本明細書において、「の（ｏｆ）」、「関連のある（ｃｏｒｒｅｓｐｏｎｄｉｎｇ、ｒｅｌｅｖａｎｔ）」、および「対応する（ｃｏｒｒｅｓｐｏｎｄｉｎｇ）」は、互換的に用いられることもある。差異が強調されないとき、表現されることになる意味は一貫していることが留意されるべきである。
【００４４】
本発明の実施形態において提供されるスロットスケジューリング方法は、図３に示されるワイヤレス通信システムに適用されてよい。図３に示されるように、端末は、無線アクセスネットワーク（Ｒａｄｉｏ  Ａｃｃｅｓｓ  Ｎｅｔｗｏｒｋ、ＲＡＮ）を用いることによってコアネットワーク（Ｃｏｒｅ  Ｎｅｔｗｏｒｋ、ＣＮ）にアクセスし、種々の通信サービスを実行する。
【００４５】
ワイヤレス通信システムはワイヤレス通信機能を提供するネットワークであることが理解できる。ワイヤレス通信システムは、異なる通信技術、たとえば、Ｃｏｄｅ  Ｄｉｖｉｓｉｏｎ  Ｍｕｌｔｉｐｌｅ  Ａｃｃｅｓｓ（符号分割多重アクセス、ＣＤＭＡ）、Ｗｉｄｅｂａｎｄ  Ｃｏｄｅ  Ｄｉｖｉｓｉｏｎ  Ｍｕｌｔｉｐｌｅ  Ａｃｃｅｓｓ（広帯域符号分割多重アクセス、ＷＣＤＭＡ）、Ｔｉｍｅ  Ｄｉｖｉｓｉｏｎ  Ｍｕｌｔｉｐｌｅ  Ａｃｃｅｓｓ（時分割多重アクセス、ＴＤＭＡ）、Ｆｒｅｑｕｅｎｃｙ  Ｄｉｖｉｓｉｏｎ  Ｍｕｌｔｉｐｌｅ  Ａｃｃｅｓｓ（周波数分割多重アクセス、ＦＤＭＡ）、直交周波数分割多重アクセス（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ、ＯＦＤＭＡ）、シングルキャリア周波数分割多重アクセス（ｓｉｎｇｌｅ  Ｃａｒｒｉｅｒ  ＦＤＭＡ、ＳＣ−ＦＤＭＡ）、および搬送波感知多重アクセス衝突検出（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）を用いてよい。異なるネットワークの容量、速度、および待ち時間などの要因に基づいて、ネットワークは、２Ｇ（世代）ネットワーク、３Ｇネットワーク、４Ｇネットワーク、または５Ｇネットワークなどの将来の進化型ネットワークに分類され得る。代表的な２Ｇネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（モバイル通信用グローバルシステム／汎用パケット無線サービス、ＧＳＭ）ネットワークまたは汎用パケット無線サービス（ｇｅｎｅｒａｌ  ｐａｃｋｅｔ  ｒａｄｉｏ  ｓｅｒｖｉｃｅ、ＧＰＲＳ）ネットワークを含む。代表的な３Ｇネットワークは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ユニバーサル移動体通信システム、ＵＭＴＳ）ネットワークを含む。代表的な４Ｇネットワークは、Ｌｏｎｇ  Ｔｅｒｍ  Ｅｖｏｌｕｔｉｏｎ（ロングタームエボリューション、ＬＴＥ）ネットワークを含む。ＵＭＴＳネットワークは、ユニバーサル地上無線アクセスネットワーク（ｕｎｉｖｅｒｓａｌ  ｔｅｒｒｅｓｔｒｉａｌ  ｒａｄｉｏ  ａｃｃｅｓｓ  ｎｅｔｗｏｒｋ、ＵＴＲＡＮ）と呼ばれることもあり、ＬＴＥネットワークは、進化型ユニバーサル地上無線アクセスネットワーク（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ、Ｅ−ＵＴＲＡＮ）と呼ばれることもある。異なるリソース割り当てモードに基づいて、ネットワークは、セルラー式通信ネットワークおよびワイヤレスローカルエリアネットワーク（ｗｉｒｅｌｅｓｓ  ｌｏｃａｌ  ａｒｅａ  ｎｅｔｗｏｒｋ、ＷＬＡＮ）に分割され得る。セルラー式通信ネットワークはスケジューリングベースであり、ＷＬＡＮは競合ベースである。前述の２Ｇネットワーク、３Ｇネットワーク、および４Ｇネットワークはすべて、セルラー式通信ネットワークである。当業者は、技術の発展とともに、本発明の実施形態において提供される技術的解決策は、別のワイヤレス通信ネットワーク、たとえば、４．５Ｇネットワークまたは５Ｇネットワークにも適用されてもよいし、別の非���ルラー式通信ネットワークにも適用されてよいことを知るべきである。簡潔さのために、ワイヤレス通信ネットワークは、本発明の実施形態において、ネットワークと簡潔に呼ばれることもある。
【００４６】
セルラー式通信ネットワークは、ワイヤレス通信ネットワークのタイプであり、ユーザが活動中に互いと通信することができるように、セルラー式ワイヤレスネットワークモードを用いて、ワイヤレスチャネルを通じて端末デバイスとネットワークデバイスを接続する。セルラー式通信ネットワークは、端末モビリティの主要な特徴をもち、セル間ハンドオーバおよびローカルネットワーク全体にわたる自動ローミングの機能をもつ。
【００４７】
本発明の実施形態が５Ｇ  ＮＲ通信システムに適用されることは、以下で説明のための例として用いられる。ネットワークデバイスがｅＮＢであり、端末がＵＥであることは、説明のための例として用いられる。本発明の実施形態における解決策は別のワイヤレス通信ネットワークにも適用され得ることが留意されるべきである。対応する名前は、別のワイヤレス通信ネットワークにおける対応する機能の名前によって置き換えられることもある。
【００４８】
ＵＥが種々の通信サービスを実行するとき、ｅＮＢは、ＵＥのためのサブフレーム構造を構成する必要がある。サブフレーム構造を構成するプロセスが、スロットスケジューリングプロセスとも呼ばれることがあることが理解できる。本発明の本実施形態における以下の説明プロセスでは、「サブフレーム」および「スロット」は、互換的に用いられることが多いが、当業者は、その意味を理解することができる。
【００４９】
５Ｇ  ＮＲでは、自己完結型の（ｓｅｌｆ−ｃｏｎｔａｉｎｅｄ）サブフレーム構造は、種々の通信サービスをサポートするために導入される（種々の通信サービスは、限定されるものではないが、ｅＭＢＢサービスおよびＵＲＬＬＣサービスを含む）。自己完結型のサブフレーム構造は、アップリンクデータを送信するために用いられる直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルと、ダウンリンクデータを送信するために用いられるＯＦＤＭシンボルとを含む。図４は、自己完結型のサブフレーム構造の概略図である。図４に示されるように、自己完結型のサブフレーム構造は、３つの部分を含む。第１の部分は、ダウンリンク制御（Ｄｏｗｎｌｉｎｋ  ｃｏｎｔｒｏｌ、ＤＬ制御）であり、ダウンリンクグラント（Ｄｏｗｎｌｉｎｋ  ｇｒａｎｔ、ＤＬグラント）またはアップリンクグラント（Ｕｐｌｉｎｋ  ｇｒａｎｔ、ＵＬグラント）を送信するために用いられてよく、リソース構成情報をＵＥに示すために用いられる。第２の部分は、ＵＬグラントによって以前に割り当てられたリソースに基づいてｅＮＢがダウンリンク（Ｄｏｗｎｌｉｎｋ、ＤＬ）データを送信し得るまたはＵＥがアップリンク（Ｕｐｌｉｎｋ、ＵＬ）データを送信し得るデータ（ｄａｔａ）部分である。第３の部分は、アップリンク制御（Ｕｐｌｉｎｋ  ｃｏｎｔｒｏｌ、ＵＬ制御）である。このリソース上で、ｅＮＢは、肯定応答（Ａｃｋｎｏｗｌｅｄｇｅ、ＡＣＫ）命令または否定応答（Ｎｅｇａｔｉｖｅ  Ａｃｋｎｏｗｌｅｄｇｅ、ＮＡＣＫ）命令で以前のダウンリンクデータに応答してもよいし、ＵＥのその後のスケジューリングにおいてｅＮＢを支援するためにアップリンクチャネル状態情報（Ｃｈａｎｎｅｌ  Ｓｔａｔｅ  Ｉｎｆｏｒｍａｔｉｏｎ、ＣＳＩ）を送信してもよい。
【００５０】
異なるタイプのサブフレームを区別するために、ダウンリンクデータが送信されるサブフレームは、１４のシンボルを含むダウンリンク優位（downlink-dominate）スロットと呼ばれ、アップリンクデータが送信されるサブフレームは、アップリンク優位（uplink-dominate）サブフレームと呼ばれる。１４のシンボルを含むダウンリンク優位スロットにおいて、ＤＬグラントは、ｅＮＢがダウンリンクデータをＵＥに送信することになる時間領域位置および周波数領域位置をＵＥに示し、ＵＥが対応する時間領域リソースおよび周波数領域リソース上でリッスンするように、ＤＬ制御内で送信される。ＤＬグラントが送信された後、ダウンリンクデータが送信される。ダウンリンクデータが送信された後、ガード期間（ｇｕａｒｄ  ｐｅｒｉｏｄ、ＧＰ）の後、ＵＥは、ダウンリンクデータを復号した結果に基づいて、ＡＣＫまたはＮＡＣＫで応答する。ガード期間は、アイドルシンボルを含む。アイドルシンボルは、サービスに対して送信が実行されないシンボルである、言い換えれば、このサービスは、アイドルシンボル内で送信されないが、別のサービスは、アイドルシンボル内で送信されることがある。たとえば、この時間期間中に、ｅＮＢは、ｅＭＢＢ送信を実行しない。アップリンク優位サブフレームにおいて、ＵＬグラントは、ＵＥがアップリンク送信を実行するべき時間領域リソースおよび周波数領域リソースをＵＥに示すために、ＤＬ制御部分内で送信される。主に、２つのケースがある。１つのケースでは、ｅＮＢは、アップリンクデータを送信するために、サブフレーム全体の残りの時間をＵＥに割り当てる。ＵＥは、サブフレームが終了するまで、ＧＰの後にアップリンクデータを送信する。もう１つのケースでは、ｅＮＢは、データ部分のみをＵＥによるアップリンク送信に割り当てる。このケースでは、ＧＰの後、ＵＥは、ＵＬグラント内で割り当てられたリソースに基づいてアップリンクデータを送信し、送信が終了した後、アップリンク制御情報（たとえば、ＣＳＩ）などが、スケジューリングされたＵＥによって送信される。
【００５１】
５Ｇ  ＮＲでは、ＵＥおよびｅＮＢは、複数の異なるタイプのサブキャリアスペーシングを有するサブフレーム構成をサポートし得る。図５は、１５ｋＨｚのサブキャリアスペーシングを有するサブフレーム構成を示す。図５では、上から下へ順番に、ダウンリンクのみのスロット、１４のシンボルを含むダウンリンク優位スロット（アップリンクおよびダウンリンク受信／送信遷移の間隔は、１つの直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルである）、７つのシンボルを含むダウンリンク優位スロット（アップリンクおよびダウンリンク受信／送信遷移の間隔は、１つのＯＦＤＭシンボルである）、アップリンクのみのスロット、１４のシンボルを含むアップリンク優位スロット（アップリンクおよびダウンリンク受信／送信遷移の間隔は、１つのＯＦＤＭシンボルである）、および７つのシンボルを含むアップリンク優位スロット（アップリンクおよびダウンリンク受信／送信遷移の間隔は、１つのＯＦＤＭシンボルである）である。図５では、ＤＬ  ｃｔｒｌはＤＬ制御を表し、ＵＬ  ｃｔｒｌはＵＬ制御を表し、番号１、２、…、１４はそれぞれ、ＤＬデータまたはＵＬデータを送信するために用いられるＯＦＤＭシンボルの位置を表す。
【００５２】
本発明の実施形態では、「背景技術」において説明されるアップリンクデータ送信とダウンリンクデータ送信との間の干渉を回避するために、スロットがスケジューリングされるとき、送信時間およびアイドル時間がスロット内で設定されてよく、送信時間およびアイドル時間はそれぞれ、イントラ周波数モードまたは隣接周波数モードにおける異なるサービス間の干渉を回避するように、イントラ周波数モードまたは隣接周波数モードで異なるサービスを送信するために用いられる。たとえば、ＵＲＬＬＣサービスおよびｅＭＢＢサービスがイントラ周波数モードであるとき、時間リソースは、ＵＲＬＬＣサービスの０．５ｍｓ待ち時間の要件を満たすために、１ｍｓサブフレーム内の特定の位置においてＵＲＬＬＣサービスのために予約されている。加えて、残りの時間リソースは、ｅＭＢＢサービスに用いられることがある。このようにして、ｅＭＢＢサービスのアップリンクおよびダウンリンク送信への干渉は、回避されることができる。別の例では、ＵＲＬＬＣサービスおよびｅＭＢＢサービスが隣接周波数モードであるとき、時間リソースは、ＵＲＬＬＣサービスの０．５ｍｓ待ち時間の要件を満たすために、１ｍｓサブフレーム内の特定の位置においてＵＲＬＬＣサービスのために予約されている。加えて、リソースの時間領域位置が、これに対応して、隣接周波数において予約され、送信は、ＵＲＬＬＣサービスのために送信されるデータの通信方向（アップリンク通信方向およびダウンリンク通信方向）と反対の方向では発生せず、それによって、相互干渉を回避する。
【００５３】
図６は、本発明の実施形態によるスロットスケジューリング方法のフローチャートである。図６を参照すると、スロットスケジューリング方法は、以下のステップを含む。
【００５４】
Ｓ１０１。ｅＮＢが第１のスロットを決定し、第１のスロットは、第１のアイドル時間を含む。
【００５５】
本発明のこの実施形態では、第１のアイドル時間の開始時点と、第１のスロットの開始時点との間の時間間隔は、予め設定された時間間隔閾値以下であり、または第１のアイドル時間の開始時点と、第１のスロット内にあり、制御シグナリングを送信するために用いられる、少なくとも１つのＯＦＤＭシンボル（制御チャネル）の終了時点との間の時間間隔は、予め設定された時間間隔閾値以下である。
【００５６】
予め設定された時間間隔閾値は、サービスが実際に送信されるために必要とされる最小待ち時間の要件に基づいて決定されてよい。通常、予め設定された時間間隔閾値は１ミリ秒以下である。たとえば、第１のアイドル時間が、ＵＲＬＬＣサービスのためのアップリンクデータまたはダウンリンクデータを送信するために用いられる場合、予め設定された時間間隔閾値は０．５ミリ秒であってよい。
【００５７】
図７は、本発明の実施形態によるスロット構造の概略図である。図７では、第１のスロットは、第１のアイドル時間と、第１の送信時間とを含む。第１の送信時間内に含まれるＯＦＤＭシンボルの少なくとも１つは、第１のサービスを送信するために用いられ、第１のアイドル時間内に含まれるＯＦＤＭシンボルの少なくとも１つは、第２のサービスを送信するために用いられる。第１のアイドル時間の開始時点と、第１のスロットの開始時点との間の時間間隔と、第１のアイドル時間の開始時点と、第１のスロット内にあり、制御シグナリングを送信するために用いられる、少なくとも１つのＯＦＤＭシンボル（制御チャネル）の終了時点との間の時間間隔の両方は、予め設定された閾値以下である。実際の状況では、第１のアイドル時間の開始時点と、第１のスロットの開始時点との間の時間間隔は、予め設定された時間間隔閾値以下であり、第１のアイドル時間の開始時点と、第１のスロット内にあり、制御シグナリングを送信するために用いられる、少なくとも１つのＯＦＤＭシンボル（制御チャネル）の終了時点との間の時間間隔は、予め設定された時間間隔閾値以下である。イントラ周波数モードまたは隣接周波数モードにおける異なるサービス間の干渉を回避する要件は、２つの条件の１つが満たされるならば、満たされ得る。
【００５８】
Ｓ１０２。ｅＮＢは、第１のアイドル時間を含む決定された第１のスロットを送り、ＵＥは、ｅＮＢによって送られた第１のスロットを受信し、スロット構造に基づいてデータを送信する。
【００５９】
本発明のこの実施形態では、第１のスロットが７つのＯＦＤＭシンボルまたは１４のＯＦＤＭシンボルを含むとき、異なるスロット構造スケジューリング様式が用いられてよい。
【００６０】
第１のスロットが７つのＯＦＤＭシンボルを含むとき、ｅＮＢは、第２のスロットを決定および送信し得る。第２のスロットは、第２のアイドル時間を含む。第２のアイドル時間を含む第２のスロットの構造については、図７を参照されたい。第２のアイドル時間の開始時点と、第２のスロットの開始時点との間の時間間隔は、予め設定された時間間隔閾値以下であり、または第２のアイドル時間の開始時点と、第２のスロット内にあり、制御シグナリングを送信するために用いられる、少なくとも１つのＯＦＤＭシンボル（制御チャネル）の終了時点との間の時間間隔は、予め設定された時間間隔閾値以下である。
【００６１】
本発明のこの実施形態では、イントラ周波数モードまたは隣接周波数モードにおける異なるサービス間の干渉を回避するために、図８に示されるように、第２のアイドル時間と第１のアイドル時間との間の時間間隔は予め設定された時間間隔閾値以下であるという要件が、満たされる必要がある。たとえば、以下の条件、すなわち、第２のアイドル時間の開始時点、と第１のアイドル時間の開始時点との間の時間間隔は、予め設定された時間間隔閾値以下である、または、第２のアイドル時間の開始時点と、第１のアイドル時間の終了時点との間の時間間隔は、予め設定された時間間隔閾値以下である、または、第２のアイドル時間の終了時点と、第１のアイドル時間の開始時点との間の時間間隔は、予め設定された時間間隔閾値以下である、または、第２のアイドル時間の終了時点と、第１のアイドル時間の終了時点との間の時間間隔は予め設定された時間間隔閾値以下である、の１つが、満たされる必要がある。
【００６２】
本発明のこの実施形態では、第１のスロットは、７つのＯＦＤＭシンボルを含むことがある。アップリンクデータ送信とダウンリンクデータ送信との間の干渉を回避するために、第１のスロット内のＮ番目のＯＦＤＭシンボルが、７つのＯＦＤＭシンボル内にあり、アップリンクデータを送信するために用いられるＯＦＤＭシンボルである場合、（Ｎ−１）番目のＯＦＤＭシンボルまたは（Ｎ−２）番目のＯＦＤＭシンボルは第１のアイドル時間または第２のアイドル時間に属することが設定され得る。スロット内のＮ番目のＯＦＤＭシンボルが、７つのＯＦＤＭシンボル内にあり、ダウンリンクデータを送信するために用いられるＯＦＤＭシンボルである場合、（Ｎ＋１）番目のＯＦＤＭシンボルまたは（Ｎ＋２）番目のＯＦＤＭシンボルは第１のアイドル時間または第２のアイドル時間に属することが設定され得る。
【００６３】
第１のスロットが１４のＯＦＤＭシンボルを含むとき、第２のアイドル時間および第２の送信時間が第１のスロット内で設定され得る。図９に示されるように、第１のアイドル時間の開始時点と、第１のスロットの開始時点との間の時間間隔は、予め設定された時間間隔閾値以下であり、または第１のアイドル時間の開始時点と、第１のスロット内であり、制御シグナリングを送信するために用いられる、少なくとも１つのＯＦＤＭシンボル（制御チャネル）の終了時点との間の時間間隔は、予め設定された時間間隔閾値以下であり、または第２のアイドル時間の開始時点と、第２の送信時間の開始時点との間の時間間隔は、予め設定された時間間隔閾値以下であり、または、第２のアイドル時間の開始時点と、第２の送信時間の終了時点との間の時間間隔は、予め設定された時間間隔閾値以下である。第２のアイドル時間の開始時点と、第１のアイドル時間の開始時点との間の時間間隔は、予め設定された時間間隔閾値以下であり、または、第２のアイドル時間の開始時点と、第１のアイドル時間の終了時点との間の時間間隔は、予め設定された時間間隔閾値以下であり、または、第２のアイドル時間の終了時点と、第１のアイドル時間の開始時点との間の時間間隔は、予め設定された時間間隔閾値以下であり、または、第２のアイドル時間の終了時点と、第１のアイドル時間の終了時点との間の時間間隔は、予め設定された時間間隔閾値以下である。
【００６４】
本発明のこの実施形態では、第１のスロットは、１４のＯＦＤＭシンボルを含む。図５のアップリンクのみのスロットまたはダウンリンクのみのスロットを参照すると、第１のスロット内のＮ番目のＯＦＤＭシンボルが、スロット内の第１から第６のＯＦＤＭシンボルの１つである場合、スロット内にある、Ｎ番目のＯＦＤＭシンボル、（Ｎ＋１）番目のＯＦＤＭシンボル、（Ｎ＋７）番目のＯＦＤＭシンボル、および（Ｎ＋８）番目のＯＦＤＭシンボルの少なくとも１つは、第１のアイドル時間に設定され得る。
【００６５】
図５に示されるスロット構造を再び参照すると、アップリンクデータ送信とダウンリンクデータ送信との間の干渉を回避するために、第１のスロット内のＮ番目のＯＦＤＭシンボルが、１４のＯＦＤＭシンボル内にあり、アップリンクデータを送信するために用いられるＯＦＤＭシンボルである場合、第１のスロット内にある、（Ｎ−２）番目のＯＦＤＭシンボル、（Ｎ−１）番目のＯＦＤＭシンボル、（Ｎ−８）番目のＯＦＤＭシンボル、および（Ｎ−７）番目のＯＦＤＭシンボルの少なくとも１つは、第１のアイドル時間または第２のアイドル時間に設定され得る。第１のスロット内のＮ番目のＯＦＤＭシンボルが、１４のＯＦＤＭシンボル内にあり、ダウンリンクデータを送信するために用いられるＯＦＤＭシンボルである場合、第１のスロット内にある、（Ｎ＋１）番目のＯＦＤＭシンボル、（Ｎ＋２）番目のＯＦＤＭシンボル、（Ｎ＋７）番目のＯＦＤＭシンボル、および（Ｎ＋８）番目のＯＦＤＭシンボルの少なくとも１つは、第１のアイドル時間または第２のアイドル時間に設定され得る。
【００６６】
本発明のこの実施形態では、隣接周波数モードの場合、具体的に言えば、スロットは、周波数領域内の少なくとも２つの周波数帯域を占有し、少なくとも２つの周波数帯域は第１の周波数帯域および第２の周波数帯域を含み、第１のアイドル時間または第２のアイドル時間は第１の周波数帯域内にあることが仮定される。アップリンクデータ送信とダウンリンクデータ送信との間の干渉を回避するために、スロットは、以下の様式でスケジューリングされ得る。第１の周波数帯域内にあり、第１のアイドル時間内に含まれるＯＦＤＭシンボル、第２のアイドル時間内に含まれるＯＦＤＭシンボル、およびＮ番目のＯＦＤＭシンボル以外の、別のＯＦＤＭシンボル内で送信されるデータの通信方向は、Ｎ番目のＯＦＤＭシンボル内で送信されるデータの通信方向とは反対方向である。第２の周波数帯域内にあり、時間領域シンボル位置において第１の周波数帯域内にある第１のアイドル時間および第２のアイドル時間に対応するＯＦＤＭシンボル内で送信されるデータの通信方向は、Ｎ番目のシンボル内で送信されるデータの通信方向と同じである。第２の周波数帯域内にあり、時間領域シンボル位置において第１の周波数帯域内にある第１のアイドル時間および第２のアイドル時間に対応するＯＦＤＭシンボル以外の、別のＯＦＤＭシンボル内で送信されるデータの通信方向は、Ｎ番目のシンボル内で送信されるデータの通信方向とは反対方向である。
【００６７】
本発明のこの実施形態では、通信方向は、アップリンク通信方向およびダウンリンク通信方向を含む。通信方向が反対であることは、第１の周波数帯域内にあり、第１のアイドル時間内に含まれるＯＦＤＭシンボル、第２のアイドル時間内に含まれるＯＦＤＭシンボル、およびＮ番目のＯＦＤＭシンボル以外の、別のＯＦＤＭシンボル内で送信されるデータの通信方向がアップリンク通信方向である場合、Ｎ番目のＯＦＤＭシンボル内で送信されるデータの通信方向はダウンリンク通信方向であることを意味する。通信方向が同じであることは、第１の周波数帯域内にあり、第１のアイドル時間内に含まれるＯＦＤＭシンボル、第２のアイドル時間内に含まれるＯＦＤＭシンボル、およびＮ番目のＯＦＤＭシンボル以外の、別のＯＦＤＭシンボル内で送信されるデータの通信方向がアップリンク通信方向である場合、第２の周波数帯域内にあり、時間領域シンボル位置において第１の周波数帯域内にある第１のアイドル時間および第２のアイドル時間に対応するＯＦＤＭシンボル内で送信されるデータの通信方向は、ダウンリンク通信方向であることを意味する。
【００６８】
本発明のこの実施形態では、スロットが、受信／送信遷移のために用いられるアイドルＯＦＤＭシンボル（たとえば、図５のＧＰ）を含む場合、受信／送信遷移のために用いられる少なくとも２つのアイドルＯＦＤＭシンボルが、第１のサービスの送信と第２のサービスの送信との間の遷移を実装するのに十分な時間を予約するために、設定されてよい。
【００６９】
本発明のこの実施形態では、ｅＮＢが、実装において、ＵＥをスケジュールするために、第１の送信時間内にあり、第１のサービスを送信するために用いられるＯＦＤＭシンボルと、第１のアイドル時間内にあり、第２のサービスを送信するために用いられるＯＦＤＭシンボルを決定するとき、ｅＮＢは、ＵＥにインジケーション情報を送ることがあり、インジケーション情報は、第１のアイドル時間内にあり、第２のサービスを送信するために用いられる少なくとも１つのＯＦＤＭシンボルを示すために用いられ、および／または少なくとも１つの第１の送信時間内にあり、第１のサービスを送信するために用いられる少なくとも１つのＯＦＤＭシンボルを示すために用いられる。インジケーション情報は、ダウンリンク制御情報（Ｄｏｗｎｌｉｎｋ  Ｃｏｎｔｒｏｌ  Ｉｎｆｏｒｍａｔｉｏｎ、ＤＣＩ）、無線リソース制御（Ｒａｄｉｏ  Ｒｅｓｏｕｒｃｅ  Ｃｏｎｔｒｏｌ、ＲＲＣ）情報などを用いることによって送られてよい。別の実装では、予め規定された様式も、第１のアイドル時間内にあり、第２のサービスデータを送信するために用いられる少なくとも１つのＯＦＤＭシンボルを規定するために用いられてよい。
【００７０】
本発明のこの実施形態では、アイドル時間は、スロット内で設定される。このケースでは、第１のサービスをスケジューリングするとき、ｅＮＢは、第１のアイドル時間内の第１のサービスデータの送信を取り消す、またはこれをスケジューリングしないことがある。ｅＮＢが、第１のサービスデータの送信を取り消す、またはこれをスケジューリングしないので、ＵＥは、第１のアイドル時間内で第１のサービスデータを送信しない。
【００７１】
前述のスロット構造は、以下で、本発明の実施形態において、実際の適用例を参照しながら説明される。
【００７２】
本発明の実施形態では、第１のサービスがｅＭＢＢサービスであり、第２のサービスがＵＲＬＬＣサービスであることは、例として用いられ、図５の種々のスロットタイプは、ＵＲＬＬＣサービスの０．５ミリ秒待ち時間要件を満たし、ｅＭＢＢサービスおよびＵＲＬＬＣサービスのアップリンクデータとダウンリンクデータとの間の相互干渉を回避するために、アイドル時間が１ミリ秒サブフレーム内でＵＲＬＬＣサービスに対して設定される実装プロセスについて説明するために用いられる。
【００７３】
［実施形態１］
ｅＭＢＢサービスデータを送信するための現在のスロットは、ダウンリンクのみのスロット、１４のＯＦＤＭシンボルを含むダウンリンク優位スロット、または７つのＯＦＤＭシンボルを含むダウンリンク優位スロットであり、ｅＮＢ側の受信／送信遷移のアイドル時間は、既存のＬＴＥ規格において受信／送信遷移アイドル時間６２４Ｔｓとして規定されることが仮定される。
【００７４】
ｅＮＢは、ＵＲＬＬＣサービスデータが送信されるアップリンクリソース時間領域位置を決定する。ＵＲＬＬＣサービスデータが送信されるアップリンクリソース時間領域位置は、規格において予め規定されてもよいし、現在のスロットのタイプに一意に対応してもよい（現在のスロットは、ダウンリンクのみのスロット、１４のＯＦＤＭシンボルを含むダウンリンク優位スロット、または７つのＯＦＤＭシンボルを含むダウンリンク優位スロットである）。ダウンリンクのみのスロットでは、ｅＭＢＢサービスは、第６のＯＦＤＭシンボルまたは第１３のＯＦＤＭシンボル内で実行されない。ｅＭＢＢサービスが実行されないＯＦＤＭシンボルは、第１のアイドル時間および第２のアイドル時間内のＯＦＤＭシンボルである。７つのＯＦＤＭシンボルを含むダウンリンク優位スロットにおいて、ｅＭＢＢアップリンク送信が開始するＯＦＤＭシンボルの番号がＮである場合、ｅＭＢＢサービスは、（Ｎ−２）番目のＯＦＤＭシンボルまたは（Ｎ−１）番目のＯＦＤＭシンボル内で実行されない。１４のＯＦＤＭシンボルを含むダウンリンク優位スロットにおいて、ｅＭＢＢアップリンク送信が開始するＯＦＤＭシンボルの番号がＮである場合、ｅＭＢＢサービスは、（Ｎ−２）番目のＯＦＤＭシンボル、（Ｎ−１）番目のＯＦＤＭシンボル、（Ｎ−８）番目のＯＦＤＭシンボル、または（Ｎ−７）番目のＯＦＤＭシンボル内で実行されない。
【００７５】
たとえば、本発明のこの実施形態では、第６のＯＦＤＭシンボルまたは第１３のＯＦＤＭシンボルが、ＵＲＬＬＣサービスデータが送信されるアップリンクリソース時間領域位置として用いられる。
【００７６】
ｅＮＢは、ＵＲＬＬＣサービスデータが送信されるアップリンクリソース時間領域位置を決定し、シグナリングによってスロットタイプを示すことがあり、ｅＭＢＢダウンリンク送信およびＵＲＬＬＣアップリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢダウンリンク送信が実行される時間領域位置およびＵＲＬＬＣアップリンク送信が実行される時間領域位置を示し得る。
【００７７】
任意選択で、７つのＯＦＤＭシンボルを含むダウンリンク優位スロット内で、ＵＲＬＬＣアップリンクリソースは、ｅＭＢＢアップリンク送信が開始するＯＦＤＭシンボルよりもＯＦＤＭシンボル１つの前の時間領域位置に位置づけられることが、規格によって指定される、またはｅＮＢシグナリングによって通知される。任意選択で、１４のＯＦＤＭシンボルを含むダウンリンク優位スロット内で、ＵＲＬＬＣアップリンクリソースは、ｅＭＢＢアップリンク送信が開始するＯＦＤＭシンボルよりもＯＦＤＭシンボル１つまたはＯＦＤＭシンボル８つ前の時間領域位置に位置づけられることが、規格によって指定される、またはｅＮＢシグナリングによって通知される。
【００７８】
本発明のこの実施形態では、ｅＭＢＢダウンリンク送信およびＵＲＬＬＣアップリンク送信をスケジューリングするためのＯＦＤＭシンボルの番号位置が、図１０に示されている。
【００７９】
ダウンリンクのみのスロットが、図１０の（ａ）および（ｂ）に示されている。（ａ）および（ｂ）では、ｅＮＢは、第１から第５のＯＦＤＭシンボル内でダウンリンクデータを送信し、第８から第１２のＯＦＤＭシンボル内でダウンリンクデータを送信する。第６のＯＦＤＭシンボル、第７のＯＦＤＭシンボル、第１３のＯＦＤＭシンボル、および第１４のＯＦＤＭシンボルの位置は、事前にＵＲＬＬＣアップリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。任意選択で、予約された第６のＯＦＤＭシンボルおよび第７のＯＦＤＭシンボル内で、１つから５つのＵＲＬＬＣアップリンクＯＦＤＭシンボルが送信されることがある。（ａ）では、ＵＲＬＬＣの場合、ｅＮＢ側の送信から受信までの遷移の時間（６２４Ｔｓ）が、第５のＯＦＤＭシンボルが終了した後に予約された後、ｅＮＢは、ＵＲＬＬＣアップリンク送信の信号を受信する。同様に、ＵＲＬＬＣの場合、ｅＮＢ側での受信／送信遷移の時間が、第１２のＯＦＤＭシンボルが終了した後に予約された後、ｅＮＢは、ＵＲＬＬＣアップリンク送信の信号を受信する。ＵＲＬＬＣ  ＵＥとｅＮＢとの間の送信遅延があり得るので、ＵＲＬＬＣ  ＵＥは、送信遅延後、ＵＲＬＬＣ  ＵＬデータが、図１０の（ａ）に示される位置に表示されることができるように、送信遅延時間量を推定し、ＵＲＬＬＣ  ＵＬデータを事前に送る必要がある。（ｂ）は、ＵＲＬＬＣアップリンク送信の位置において（ａ）とは異なることが留意されるべきである。このケースでは、ＵＲＬＬＣ  ＵＥは、第７のＯＦＤＭシンボルの位置において送信を実行し得ることが指定されるが、ＵＲＬＬＣ  ＵＥは、ｅＮＢがＵＲＬＬＣ  ＵＬデータを実際に受信する時間が、（ｂ）に示される位置よりも早いように、送るための６２４Ｔｓのアドバンス量を考慮してよく、タイミングアドバンスは６２４Ｔｓである。このようにして、ＵＲＬＬＣ  ＵＬが終了した後、ＵＲＬＬＣ  ＵＬが終了する時間は、（ｂ）に示される、第８のＯＦＤＭシンボルが開始する位置よりも６２４Ｔｓ早い。このようにして、ｅＮＢは、受信／送信遷移を実行するのに十分な時間をもち、次いで、第８から第１２のダウンリンクＯＦＤＭシンボルを引き続き送る。この実施形態の後、アップリンクが終了し、ダウンリンク送信がぴったりと続く場合、アップリンク送信は、デフォルトでタイミングアドバンスステップを用いる。
【００８０】
１４のＯＦＤＭシンボルを含むダウンリンク優位スロットに関して、図１０の（ｃ）に示されるように、ｅＮＢは、第１から第５のＯＦＤＭシンボル内でダウンリンクデータを送信し、第８から第１１のＯＦＤＭシンボル内でダウンリンクデータを送信し、第１４のＯＦＤＭシンボル内でアップリンクデータを受信する。第６のＯＦＤＭシンボル、第７のＯＦＤＭシンボル、第１２のＯＦＤＭシンボル、および第１３のＯＦＤＭシンボルの位置は、事前にＵＲＬＬＣアップリンク送信のために予約されている。ＵＲＬＬＣアップリンク送信は、タイミングアドバンスを用いる。（ｃ）に関して、ＵＲＬＬＣ送信をサポートするために、ただ１つのＯＦＤＭシンボルのＧＰが、１５ｋＨｚサブキャリアスペーシングのダウンリンクとアップリンクとの間で必要とされるとき、ＧＰは、ＵＲＬＬＣ送信機会を提供するために、さらに増加される必要がある。ＧＰの増加は、シグナリングによって示され得る。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。任意選択で、ＧＰ内の予約されたＯＦＤＭシンボルは、第１３のＯＦＤＭシンボルである。
【００８１】
７つのＯＦＤＭシンボルを含むダウンリンク優位スロットに関して、図１０の（ｄ）に示されるように、ｅＮＢは、第１から第４のＯＦＤＭシンボル内でダウンリンクデータを送信し、第８から第１１のＯＦＤＭシンボル内でダウンリンクデータを送信し、第７のＯＦＤＭシンボルおよび第１４のＯＦＤＭシンボル内でアップリンクデータを受信する。第５のＯＦＤＭシンボル、第６のＯＦＤＭシンボル、第１２のＯＦＤＭシンボル、および第１３のＯＦＤＭシンボルの位置は、事前にＵＲＬＬＣアップリンク送信のために予約されている。ＵＲＬＬＣアップリンク送信は、タイミングアドバンスを用いる。（ｄ）に関して、ＵＲＬＬＣ送信をサポートするために、ただ１つのＯＦＤＭシンボルのＧＰが、１５ｋＨｚサブキャリアスペーシングのダウンリンクとアップリンクとの間で必要とされるとき、ＧＰは、ＵＲＬＬＣ送信機会を提供するために、さらに増加される必要がある。ＧＰの増加は、シグナリングによって示され得る。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。任意選択で、ＧＰ内の予約されたＯＦＤＭシンボルは、第６のＯＦＤＭシンボルまたは第１３のＯＦＤＭシンボルである。
【００８２】
本発明の実施形態１では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【００８３】
［実施形態２］
ｅＭＢＢサービスデータを送信するための現在のスロットは、アップリンクのみのスロット、１４のＯＦＤＭシンボルを含むアップリンク優位スロット、または７つのＯＦＤＭシンボルを含むアップリンク優位スロットであり、ｅＮＢ側の受信／送信遷移のアイドル時間は、既存のＬＴＥ規格において受信／送信遷移アイドル時間６２４Ｔｓとして規定されることが仮定される。
【００８４】
ｅＮＢは、ＵＲＬＬＣサービスデータが送信されるダウンリンクリソース時間領域位置を決定する。ＵＲＬＬＣサービスデータが送信されるダウンリンクリソース時間領域位置は、規格において予め規定されてもよいし、現在のスロットのタイプに一意に対応してもよい（現在のスロットは、アップリンクのみのスロット、１４のＯＦＤＭシンボルを含むアップリンク優位スロット、または７つのＯＦＤＭシンボルを含むアップリンク優位スロットである）。アップリンクのみのスロットでは、ｅＭＢＢサービスは、第２のＯＦＤＭシンボルまたは第９のＯＦＤＭシンボル内で実行されない。７つのＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋１）番目のＯＦＤＭシンボルまたは（Ｎ＋２）番目のＯＦＤＭシンボル内で実行されない。１４のＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋１）番目のＯＦＤＭシンボル、（Ｎ＋２）番目のＯＦＤＭシンボル、（Ｎ＋７）番目のＯＦＤＭシンボル、または（Ｎ＋８）番目のＯＦＤＭシンボル内で実行されない。
【００８５】
たとえば、本発明のこの実施形態では、第２のＯＦＤＭシンボルまたは第９のＯＦＤＭシンボルが、ＵＲＬＬＣサービスデータが送信されるダウンリンクリソース時間領域位置として用いられる。
【００８６】
ＵＲＬＬＣサービスデータが送信されるダウンリンクリソース時間領域位置を決定した後、ｅＮＢは、シグナリングによってスロットタイプを示し、ｅＭＢＢアップリンク送信およびＵＲＬＬＣダウンリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢアップリンク送信が実行される時間領域位置およびＵＲＬＬＣダウンリンク送信が実行される時間領域位置を示し得る。
【００８７】
任意選択で、７つのＯＦＤＭシンボルを含むアップリンク優位スロット内で、ＵＲＬＬＣダウンリンクリソースは、ｅＭＢＢダウンリンク送信が終了するＯＦＤＭシンボルよりもＯＦＤＭシンボル１つ後の時間領域位置に位置づけられることが、規格によって指定される、またはｅＮＢシグナリングによって通知される。任意選択で、１４のＯＦＤＭシンボルを含むアップリンク優位スロット内で、ＵＲＬＬＣダウンリンクリソースは、ｅＭＢＢダウンリンク送信が終了するＯＦＤＭシンボルよりもＯＦＤＭシンボル１つまたはＯＦＤＭシンボル８つ後の時間領域位置に位置づけられることが、規格によって指定される、またはｅＮＢシグナリングによって通知される。
【００８８】
本発明のこの実施形態では、ｅＭＢＢアップリンク送信およびＵＲＬＬＣダウンリンク送信をスケジューリングするためのＯＦＤＭシンボルの番号位置が、図１１に示されている。
【００８９】
アップリンクのみのスロットが、図１１の（ａ）および（ｂ）に示されている。（ａ）および（ｂ）では、ｅＮＢは、第３から第７のＯＦＤＭシンボル内でアップリンクデータを送信し、第１０から第１４のＯＦＤＭシンボル内でアップリンクデータを送信する。第１のＯＦＤＭシンボルおよび第８のＯＦＤＭシンボルの位置は、事前にＵＲＬＬＣダウンリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。（ａ）では、ＵＲＬＬＣの場合、ｅＮＢ側の送信から受信までの遷移の時間（６２４Ｔｓ）が、第７のＯＦＤＭシンボルが終了した後に予約された後、ｅＮＢは、ＵＲＬＬＣダウンリンク送信の信号を送る。同様に、ＵＲＬＬＣの場合、ｅＮＢ側での受信／送信遷移の時間が第１のＯＦＤＭシンボル内で予約された後、ｅＮＢは、ＵＲＬＬＣダウンリンク送信の信号を送る。ＵＥとｅＮＢとの間の送信遅延があり得るので、ＵＥは、送信遅延時間量を推定し、ＵＬデータを事前に送信する必要がある。図１１では、（ｂ）は、ＵＲＬＬＣダウンリンク送信の位置において（ａ）とは異なる。このケースでは、ＵＥは、第７のＯＦＤＭシンボルの位置において送信を実行し得ることが指定されるが、ＵＥは、ｅＮＢがＵＬデータを実際に受信する時間が、図１１の（ｂ）に示される位置よりも早いように、送るための６２４Ｔｓのアドバンス量を考慮してよく、タイミングアドバンスは６２４Ｔｓである。このようにして、ＵＬが終了した後、ＵＬが終了した時間は、図１１の（ｂ）に示される、第８のＯＦＤＭシンボルが開始する位置よりも６２４Ｔｓ早い。このようにして、ｅＮＢは、受信／送信遷移を実行するのに十分な時間をもち、次いで、ＵＲＬＬＣダウンリンクＯＦＤＭシンボルを引き続き送る。
【００９０】
１４のＯＦＤＭシンボルを含むアップリンク優位スロットに関して、図１１の（ｃ）に示されるように、ｅＮＢは、第１のＯＦＤＭシンボル内でダウンリンク送信を実行し、第４から第７のＯＦＤＭシンボルおよび第１０から第１４のＯＦＤＭシンボル内でアップリンク送信を受信する。第２のＯＦＤＭシンボル、第３のＯＦＤＭシンボル、第８のＯＦＤＭシンボル、および第９のＯＦＤＭシンボルの位置は、事前にＵＲＬＬＣダウンリンク送信のために予約されている。図１１の（ｃ）に関して、ＵＲＬＬＣ送信をサポートするために、ただ１つのＯＦＤＭシンボルのＧＰが、１５ｋＨｚサブキャリアスペーシングのダウンリンクとアップリンクとの間で必要とされるとき、ＧＰは、ＵＲＬＬＣ送信機会を提供するために、さらに増加される必要がある。ＧＰの増加は、シグナリングによって示され得る。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。任意選択で、ＧＰ内の予約されたＯＦＤＭシンボルは、第２のＯＦＤＭシンボルである。
【００９１】
７つのＯＦＤＭシンボルを含むアップリンク優位スロットに関して、実施形態２において図１１の（ｄ）に示されるように、ｅＮＢは、第１のＯＦＤＭシンボルおよび第８のＯＦＤＭシンボル内でダウンリンク送信を実行し、第４から第７のＯＦＤＭシンボルおよび第１１から第１４のＯＦＤＭシンボル内でアップリンク送信を受信する。第２のＯＦＤＭシンボル、第３のＯＦＤＭシンボル、第９のＯＦＤＭシンボル、および第１０のＯＦＤＭシンボルの位置は、事前にＵＲＬＬＣダウンリンク送信のために予約されている。図１１の（ｄ）に関して、ＵＲＬＬＣ送信をサポートするために、ただ１つのＯＦＤＭシンボルのＧＰが、１５ｋＨｚサブキャリアスペーシングのダウンリンクとアップリンクとの間で必要とされるとき、ＧＰは、ＵＲＬＬＣ送信機会を提供するために、さらに増加される必要がある。ＧＰの増加は、シグナリングによって示され得る。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。任意選択で、ＧＰ内の予約されたＯＦＤＭシンボルは、第２のＯＦＤＭシンボルまたは第９のＯＦＤＭシンボルである。
【００９２】
本発明の実施形態２では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【００９３】
［実施形態３］
ｅＭＢＢサービスデータを送信するための現在のスロットは、ダウンリンクのみのスロット、１４のＯＦＤＭシンボルを含むダウンリンク優位スロット、または７つのＯＦＤＭシンボルを含むダウンリンク優位スロットであり、ｅＮＢ側の受信／送信遷移のアイドル時間は、既存のＬＴＥ規格において５４８Ｔｓ以下の受信／送信遷移アイドル時間として規定されることが仮定される。受信／送信遷移時間が５４８Ｔｓ以下に減少されるとき、ｅＭＢＢダウンリンク送信のために予約されるアイドルＯＦＤＭシンボルの量が減少され、それによって、ｅＭＢＢ送信効率を改善することが留意されるべきである。
【００９４】
ｅＮＢは、ＵＲＬＬＣサービスデータが送信されるアップリンクリソース時間領域位置を決定する。ＵＲＬＬＣサービスデータが送信されるアップリンクリソース時間領域位置は、規格において予め規定されてもよいし、現在のスロットのタイプに一意に対応してもよい（現在のスロットは、ダウンリンクのみのスロット、１４のＯＦＤＭシンボルを含むダウンリンク優位スロット、または７つのＯＦＤＭシンボルを含むダウンリンク優位スロットである）。ダウンリンクのみのスロットでは、ｅＭＢＢサービスは、第６のＯＦＤＭシンボルまたは第１３のＯＦＤＭシンボル内で実行されない。１４のＯＦＤＭシンボルを含むダウンリンク優位スロットでは、ｅＭＢＢアップリンク送信が開始するＯＦＤＭシンボルの番号がＮである場合、ｅＭＢＢサービスは、（Ｎ−１）番目のＯＦＤＭシンボルおよび（Ｎ−８）番目のＯＦＤＭシンボル内で実行されない。
【００９５】
たとえば、本発明のこの実施形態では、第６のＯＦＤＭシンボルまたは第１３のＯＦＤＭシンボルが、ＵＲＬＬＣサービスデータが送信されるアップリンクリソース時間領域位置として用いられる。
【００９６】
ｅＮＢは、ＵＲＬＬＣサービスデータが送信されるアップリンクリソース時間領域位置を決定し、シグナリングによってスロットタイプを示すことがあり、ｅＭＢＢダウンリンク送信およびＵＲＬＬＣアップリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢダウンリンク送信が実行される時間領域位置およびＵＲＬＬＣアップリンク送信が実行される時間領域位置を示し得る。
【００９７】
任意選択で、１４のＯＦＤＭシンボルを含むダウンリンク優位スロット内で、ＵＲＬＬＣアップリンクリソースは、ｅＭＢＢアップリンク送信が開始するＯＦＤＭシンボルよりもＯＦＤＭシンボル１つまたはＯＦＤＭシンボル８つ前の時間領域位置に位置づけられることが、規格によって指定される、またはｅＮＢシグナリングによって通知される。
【００９８】
本発明のこの実施形態では、ｅＭＢＢダウンリンク送信およびＵＲＬＬＣアップリンク送信をスケジューリングするためのＯＦＤＭシンボルの番号位置が、図１２に示されている。
【００９９】
ダウンリンクのみのスロットが、図１２の（ａ）および（ｂ）に示されている。図１２の（ａ）では、ｅＮＢは、第１から第６のＯＦＤＭシンボル内でダウンリンクデータを送信し、第８から第１３のＯＦＤＭシンボル内でダウンリンクデータを送信する。第７のＯＦＤＭシンボルおよび第１４のＯＦＤＭシンボルの位置は、事前にＵＲＬＬＣアップリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。任意選択で、予約された第７のＯＦＤＭシンボルおよび第１４のＯＦＤＭシンボル内で、１つまたは２つのＵＲＬＬＣアップリンクＯＦＤＭシンボルが送信されることがある。図１２の（ｂ）では、ｅＮＢは、第１から第５のＯＦＤＭシンボル内でダウンリンクデータを送信し、第７から第１２のＯＦＤＭシンボルおよび第１４のＯＦＤＭシンボル内でダウンリンクデータを送信する。第６のＯＦＤＭシンボルおよび第１３のＯＦＤＭシンボルの位置は、事前にＵＲＬＬＣアップリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。任意選択で、予約された第６のＯＦＤＭシンボルおよび第１３のＯＦＤＭシンボル内で、１つまたは２つのＵＲＬＬＣアップリンクＯＦＤＭシンボルが送信されることがある。図１２の（ａ）では、ＵＲＬＬＣの場合、ｅＮＢ側の送信から受信までの遷移の時間（５４８Ｔｓ）が、第６のＯＦＤＭシンボルが終了した後に予約された後、ｅＮＢは、ＵＲＬＬＣアップリンク送信の信号を受信する。同様に、ＵＲＬＬＣの場合、ｅＮＢ側での受信／送信遷移の時間が、第１３のＯＦＤＭシンボルが終了した後に予約された後、ｅＮＢは、ＵＲＬＬＣアップリンク送信の信号を受信する。ＵＲＬＬＣ  ＵＥとｅＮＢとの間の送信遅延があり得るので、ＵＲＬＬＣ  ＵＥは、送信遅延時間量を推定し、ＵＲＬＬＣ  ＵＬデータを事前に送る必要がある。
【０１００】
１４のＯＦＤＭシンボルを含むダウンリンク優位スロットに関して、図１２の（ｃ）に示されるように、ｅＮＢは、第１から第５のＯＦＤＭシンボル内でダウンリンクデータを送信し、第７から第１１のＯＦＤＭシンボル内でダウンリンクデータを送信し、第１４のＯＦＤＭシンボル内でアップリンクデータを受信する。第６のＯＦＤＭシンボル、第１２のＯＦＤＭシンボル、および第１３のＯＦＤＭシンボルの位置は、事前にＵＲＬＬＣアップリンク送信のために予約されている。ＵＲＬＬＣアップリンク送信は、タイミングアドバンスを用いる。図１２の（ｄ）と（ｃ）の違いは、この２つの図におけるＧＰが異なるので、第１２のＯＦＤＭシンボルがＵＲＬＬＣ送信に用いられるかどうかにある。ＧＰが、図１２の（ｃ）に示される２つのＯＦＤＭシンボルをもつとき、より多くのリソースが、ＵＲＬＬＣ送信のために提供されることがある。
【０１０１】
７つのＯＦＤＭシンボルを含むダウンリンク優位スロットが、図１２の（ｅ）および（ｆ）に示されている。図１２の（ｅ）では、ｅＮＢは、第１から第４のＯＦＤＭシンボル内でダウンリンクデータを送信し、第８から第１１のＯＦＤＭシンボル内でダウンリンクデータを送信し、第７のＯＦＤＭシンボルおよび第１４のＯＦＤＭシンボル内でアップリンクデータを受信する。第５のＯＦＤＭシンボル、第６のＯＦＤＭシンボル、第１２のＯＦＤＭシンボル、および第１３のＯＦＤＭシンボルの位置は、事前にＵＲＬＬＣアップリンク送信のために予約されている。ＵＲＬＬＣアップリンク送信は、タイミングアドバンスを用いる。図１２の（ｆ）では、ｅＮＢは、第１から第５のＯＦＤＭシンボル内でダウンリンクデータを送信し、第８から第１２のＯＦＤＭシンボル内でダウンリンクデータを送信し、第７のＯＦＤＭシンボルおよび第１４のＯＦＤＭシンボル内でアップリンクデータを受信する。第６のＯＦＤＭシンボルおよび第１３のＯＦＤＭシンボルの位置は、事前にＵＲＬＬＣアップリンク送信のために予約されている。ＵＲＬＬＣアップリンク送信は、タイミングアドバンスを用いる。これらのＯＦＤＭシンボルの位置は、規格において指定されてもよいし、ｅＮＢによってＵＲＬＬＣ  ＵＥに示されてもよい。
【０１０２】
図１２の（ｂ）から（ｆ）では、共有されるＵＲＬＬＣリソースは、第６のＯＦＤＭシンボルおよび第１３のＯＦＤＭシンボル内に位置づけられることが知られることができる。共有されるＵＲＬＬＣリソースの位置は規格において指定されてもよいし、これらの共有されるＵＲＬＬＣリソースの位置は、ブロードキャストまたはシグナリングを通じてｅＮＢによってＵＲＬＬＣ  ＵＥに示されてもよい。
【０１０３】
本発明の実施形態３では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【０１０４】
加えて、実施形態１と比較して、本発明の実施形態３では、ｅＭＢＢサービスに対する影響が減少され、スペクトル効率が改善される。
【０１０５】
［実施形態４］
ｅＭＢＢサービスデータを送信するための現在のスロットは、アップリンクのみのスロット、１４のＯＦＤＭシンボルを含むアップリンク優位スロット、または７つのＯＦＤＭシンボルを含むアップリンク優位スロットであり、ｅＮＢ側の受信／送信遷移のアイドル時間は、既存のＬＴＥ規格において５４８Ｔｓ以下の受信／送信遷移アイドル時間として規定されることが仮定される。受信／送信遷移時間が５４８Ｔｓ以下に減少されるとき、ｅＭＢＢダウンリンク送信のために予約されるアイドルＯＦＤＭシンボルの量が減少され、それによって、ｅＭＢＢ送信効率を改善することが留意されるべきである。
【０１０６】
ｅＮＢは、ＵＲＬＬＣサービスデータが送信されるダウンリンクリソース時間領域位置を決定する。ＵＲＬＬＣサービスデータが送信されるダウンリンクリソース時間領域位置は、規格において予め規定されてもよいし、現在のスロットのタイプに一意に対応してもよい（現在のスロットは、アップリンクのみのスロット、１４のＯＦＤＭシンボルを含むアップリンク優位スロット、または７つのＯＦＤＭシンボルを含むアップリンク優位スロットである）。アップリンクのみのスロットでは、ｅＭＢＢサービスは、第１のＯＦＤＭシンボルまたは第８のＯＦＤＭシンボル内で実行されない。７つのＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋１）番目のＯＦＤＭシンボル内で実行されない。１４のＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋１）番目のＯＦＤＭシンボルまたは（Ｎ＋８）番目のＯＦＤＭシンボル内で実行されない。
【０１０７】
たとえば、本発明のこの実施形態では、第２のＯＦＤＭシンボルまたは第９のＯＦＤＭシンボルが、ＵＲＬＬＣサービスデータが送信されるダウンリンクリソース時間領域位置として用いられる。
【０１０８】
ＵＲＬＬＣサービスデータが送信されるダウンリンクリソース時間領域位置を決定した後、ｅＮＢは、シグナリングによってスロットタイプを示し、ｅＭＢＢアップリンク送信およびＵＲＬＬＣダウンリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢアップリンク送信が実行される時間領域位置およびＵＲＬＬＣダウンリンク送信が実行される時間領域位置を示し得る。
【０１０９】
任意選択で、７つのＯＦＤＭシンボルを含むアップリンク優位スロット内で、ＵＲＬＬＣダウンリンクリソースは、ｅＭＢＢダウンリンク送信が終了するＯＦＤＭシンボルよりもＯＦＤＭシンボル１つ後の時間領域位置に位置づけられることが、規格によって指定される、またはｅＮＢシグナリングによって通知される。任意選択で、１４のＯＦＤＭシンボルを含むアップリンク優位スロット内で、ＵＲＬＬＣダウンリンクリソースは、ｅＭＢＢダウンリンク送信が終了するＯＦＤＭシンボルよりもＯＦＤＭシンボル１つまたはＯＦＤＭシンボル８つ後の時間領域位置に位置づけられることが、規格によって指定される、またはｅＮＢシグナリングによって通知される。
【０１１０】
本発明のこの実施形態では、ｅＭＢＢアップリンク送信およびＵＲＬＬＣダウンリンク送信をスケジューリングするためのＯＦＤＭシンボルの番号位置が、図１３に示されている。
【０１１１】
アップリンクのみのスロットが、図１３の（ａ）に示されている。図１３の（ａ）では、ｅＮＢは、第２から第７のＯＦＤＭシンボル内でアップリンクデータを送信し、第９から第１４のＯＦＤＭシンボル内でアップリンクデータを送信する。第１のＯＦＤＭシンボルおよび第８のＯＦＤＭシンボルの位置は、事前にＵＲＬＬＣダウンリンク送信のために予約されている。事前に予約されるＯＦＤＭシンボルの番号は、規格において指定されてもよいし、位置における受信を実行するために、ｅＮＢによってＵＲＬＬＣ  ＵＥに示されてもよい。任意選択で、予約された第１のＯＦＤＭシンボルおよび第８のＯＦＤＭシンボル内で、１つまたは２つのＵＲＬＬＣダウンリンクＯＦＤＭシンボルが送信されることがある。図１３の（ａ）では、ＵＲＬＬＣの場合、ｅＮＢ側の送信から受信までの遷移の時間（５４８Ｔｓ）が、第１のＯＦＤＭシンボル内での送信が終了した後に予約された後、ｅＮＢは、アップリンク送信の信号を受信する。同様に、ＵＲＬＬＣの場合、ｅＮＢ側での受信／送信遷移の時間が、第７のＯＦＤＭシンボルの時間内での送信が終了した後に予約された後、ｅＮＢは、ＵＲＬＬＣダウンリンク送信の信号を受信する。ＵＲＬＬＣ  ＵＥとｅＮＢとの間の送信遅延があり得るので、ＵＲＬＬＣ  ＵＥは、送信遅延時間量を推定し、ＵＲＬＬＣ  ＵＬデータを事前に送る必要がある。
【０１１２】
１４のＯＦＤＭシンボルを含むダウンリンク優位スロットが、図１３の（ｂ）および（ｃ）に示されている。図１３の（ｂ）では、ｅＮＢは、第１のＯＦＤＭシンボル内でダウンリンクデータを送信し、第４から第７のＯＦＤＭシンボルおよび第１０から第１４のＯＦＤＭシンボル内でアップリンクデータを受信する。第２のＯＦＤＭシンボル、第３のＯＦＤＭシンボル、第８のＯＦＤＭシンボル、および第９のＯＦＤＭシンボルの位置は、事前にＵＲＬＬＣサービスダウンリンク送信のために予約されている。図１３の（ｂ）と（ｃ）の違いは、この２つの図におけるＧＰが異なるので、第３のＯＦＤＭシンボルおよび第９のＯＦＤＭシンボルがＵＲＬＬＣ送信に用いられるかどうかにある。ＧＰが、図１３の（ｂ）に示される２つのＯＦＤＭシンボルをもつとき、より多くのリソースが、ＵＲＬＬＣ送信のために提供されることがある。
【０１１３】
７つのＯＦＤＭシンボルを含むダウンリンク優位スロットに関し、図１３の（ｄ）に示されるように、ｅＮＢは、第１のＯＦＤＭシンボルおよび第８のＯＦＤＭシンボル内でダウンリンクデータを送信し、第３から第７のＯＦＤＭシンボルおよび第１０から第１４のＯＦＤＭシンボル内でアップリンクデータを受信する。第２のＯＦＤＭシンボルおよび第９のＯＦＤＭシンボルの位置は、事前にＵＲＬＬＣサービスダウンリンク送信のために予約されている。これらの予約されたＯＦＤＭシンボルの位置は、規格において指定されてもよいし、ｅＮＢによってＵＲＬＬＣ  ＵＥに示されてもよい。
【０１１４】
本発明の実施形態４では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢダウンリンク送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【０１１５】
加えて、実施形態２と比較して、本発明の実施形態４では、ｅＭＢＢサービスに対する影響が減少され、スペクトル効率が改善される。
【０１１６】
本発明の実施形態１から実施形態４では、イントラ周波数モードでの種々のスロットタイプにおけるアイドルＯＦＤＭシンボルのスロットスケジューリングが、主に実装されている。以下は、隣接周波数モードでの種々のスロットタイプにおけるアイドルＯＦＤＭシンボルのスロットスケジューリングのプロセスについて説明する。
【０１１７】
［実施形態５］
ｅＭＢＢサービスデータを送信するための現在のスロットは、ダウンリンクのみのスロット、１４のＯＦＤＭシンボルを含むダウンリンク優位スロット、または７つのＯＦＤＭシンボルを含むダウンリンク優位スロットであり、ｅＮＢ側の受信／送信遷移のアイドル時間は、既存のＬＴＥ規格において受信／送信遷移アイドル時間６２４Ｔｓとして規定されることが仮定される。
【０１１８】
ｅＮＢは、ＵＲＬＬＣサービスデータが送信されるアップリンクリソース時間領域位置を決定する。ＵＲＬＬＣサービスデータが送信されるアップリンクリソース時間領域位置は、規格において予め規定されてもよいし、現在のスロットのタイプに一意に対応してもよい（現在のスロットは、ダウンリンクのみのスロット、１４のＯＦＤＭシンボルを含むダウンリンク優位スロット、または７つのＯＦＤＭシンボルを含むダウンリンク優位スロットである）。ダウンリンクのみのスロットでは、ｅＭＢＢサービスは、第７のＯＦＤＭシンボルまたは第１４のＯＦＤＭシンボル内で実行されない。１４のＯＦＤＭシンボルを含むダウンリンク優位スロットでは、ｅＭＢＢアップリンク送信が開始するＯＦＤＭシンボルの番号がＮである場合、ｅＭＢＢサービスは、（Ｎ−７）番目のＯＦＤＭシンボル内で実行されない。
【０１１９】
たとえば、本発明のこの実施形態では、第６のＯＦＤＭシンボルまたは第１３のＯＦＤＭシンボルが、ＵＲＬＬＣサービスデータが送信されるアップリンクリソース時間領域位置として用いられる。
【０１２０】
ｅＮＢは、ＵＲＬＬＣサービスデータが送信されるアップリンクリソース時間領域位置を決定し、シグナリングによってスロットタイプを示すことがあり、ｅＭＢＢダウンリンク送信およびＵＲＬＬＣアップリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢダウンリンク送信が実行される時間領域位置およびＵＲＬＬＣアップリンク送信が実行される時間領域位置を示し得る。
【０１２１】
任意選択で、１４のＯＦＤＭシンボルを含むダウンリンク優位スロット内で、ＵＲＬＬＣアップリンクリソースは、隣接周波数ｅＭＢＢアップリンク送信が開始するＯＦＤＭシンボルよりもＯＦＤＭシンボル７つ前の時間領域位置に位置づけられることが、規格によって指定される、またはｅＮＢシグナリングによって通知される。
【０１２２】
本発明のこの実施形態では、ｅＭＢＢダウンリンク送信およびＵＲＬＬＣアップリンク送信をスケジューリングするためのＯＦＤＭシンボルの番号位置が、図１４に示されている。
【０１２３】
ダウンリンクのみのスロットに関し、図１４の（ａ）に示されるように、ｅＮＢは、第１から第５のＯＦＤＭシンボル内でダウンリンクデータを送信し、第８から第１２のＯＦＤＭシンボル内でダウンリンクデータを送信する。第６のＯＦＤＭシンボル、第７のＯＦＤＭシンボル、第１３のＯＦＤＭシンボル、および第１４のＯＦＤＭシンボルの位置は、隣接周波数ＵＲＬＬＣアップリンク送信に影響することを回避するために、事前に予約されている。事前に予約されるＯＦＤＭシンボルの番号は、規格において指定されてもよいし、ｅＮＢがデータをスケジューリングする終了位置を用いることによって決定されてもよい。任意選択で、隣接周波数内にある第６のＯＦＤＭシンボルおよび第７のＯＦＤＭシンボル内で、１つから５つのＵＲＬＬＣアップリンクＯＦＤＭシンボルが送信されることがある。
【０１２４】
１４のＯＦＤＭシンボルを含むダウンリンク優位スロットに関し、図１４の（ｂ）に示されるように、ｅＮＢは、第１から第５のＯＦＤＭシンボル内でダウンリンクデータを送信し、第８から第１１のＯＦＤＭシンボル内でダウンリンクデータを送信し、第１４のＯＦＤＭシンボル内でアップリンクデータを受信する。第６のＯＦＤＭシンボルおよび第７のＯＦＤＭシンボルは、事前にＵＲＬＬＣアップリンク送信のために予約されている。加えて、第１２のＯＦＤＭシンボルおよび第１３のＯＦＤＭシンボルは、ｅＭＢＢサービスのためのＧＰである。ｅＭＢＢのために必要とされるＧＰは１つのＯＦＤＭシンボルよりも大きく、アップリンク送信は、第７のＯＦＤＭシンボル内で実行されることができないので、第７のＯＦＤＭシンボルは、空のままであることのみができる。予約され得るＯＦＤＭシンボルの位置は、規格において指定されてもよいし、ｅＮＢによってＵＲＬＬＣ  ＵＥに示されてもよい。
【０１２５】
７つのＯＦＤＭシンボルを含むダウンリンク優位スロットに関し、図１４の（ｃ）および（ｄ）に示されるように、２つの周波数帯域が同じｅＮＢによってスケジューリングされる場合、スロットタイプシグナリングがブロードキャストされるとき、同じシグナリングがブロードキャストされ得る。シグナリングは、図１４の（ｃ）および（ｄ）に示されるように、１５ｋＨｚサブキャリアスペーシングのための設定であり、６０ｋＨｚサブキャリアスペーシングのための別の設定である。
【０１２６】
本発明の実施形態５では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。加えて、本発明の実施形態５では、ｅＭＢＢサービスは、サブフレーム内の特定の位置にスケジューリングされず、それによって、隣接周波数ＵＲＬＬＣのための送信機会をもたらす。
【０１２７】
［実施形態６］
ｅＭＢＢサービスデータを送信するための現在のスロットは、アップリンクのみのスロット、１４のＯＦＤＭシンボルを含むアップリンク優位スロット、または７つのＯＦＤＭシンボルを含むアップリンク優位スロットであり、ｅＮＢ側の受信／送信遷移のアイドル時間は、既存のＬＴＥ規格において受信／送信遷移アイドル時間６２４Ｔｓとして規定されることが仮定される。
【０１２８】
ｅＮＢは、ＵＲＬＬＣサービスデータが送信されるダウンリンクリソース時間領域位置を決定する。ＵＲＬＬＣサービスデータが送信されるダウンリンクリソース時間領域位置は、規格において予め規定されてもよいし、現在のスロットのタイプに一意に対応してもよい（現在のスロットは、アップリンクのみのスロット、１４のＯＦＤＭシンボルを含むアップリンク優位スロット、または７つのＯＦＤＭシンボルを含むアップリンク優位スロットである）。アップリンクのみのスロットでは、ｅＭＢＢサービスは、第１のＯＦＤＭシンボルまたは第８のＯＦＤＭシンボル内で実行されない。１４のＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋７）番目のＯＦＤＭシンボル内で実行されない。
【０１２９】
ＵＲＬＬＣサービスデータが送信されるダウンリンクリソース時間領域位置を決定した後、ｅＮＢは、シグナリングによってスロットタイプを示し、ｅＭＢＢアップリンク送信およびＵＲＬＬＣダウンリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢアップリンク送信が実行される時間領域位置およびＵＲＬＬＣダウンリンク送信が実行される時間領域位置を示し得る。
【０１３０】
任意選択で、１４のＯＦＤＭシンボルを含むアップリンク優位スロット内で、ＵＲＬＬＣダウンリンクリソースは、隣接周波数ｅＭＢＢダウンリンク送信が終了するＯＦＤＭシンボルよりもＯＦＤＭシンボル７つ後の時間領域位置に位置づけられることが、規格によって指定される、またはｅＮＢシグナリングによって通知される。
【０１３１】
本発明のこの実施形態では、ｅＭＢＢアップリンク送信およびＵＲＬＬＣダウンリンク送信をスケジューリングするためのＯＦＤＭシンボルの番号位置が、図１５に示されている。
【０１３２】
アップリンクのみのスロットに関し、図１５の（ａ）に示されるように、ｅＮＢは、第３から第７のＯＦＤＭシンボルおよび第１０から第１４のＯＦＤＭシンボル内でアップリンクデータを受信する。第１のＯＦＤＭシンボル、第２のＯＦＤＭシンボル、第８のＯＦＤＭシンボル、および第９のＯＦＤＭシンボルの位置は、隣接周波数ＵＲＬＬＣダウンリンク送信に影響することを回避するために、事前に予約されている。事前に予約されるＯＦＤＭシンボルの番号は、規格において指定されてもよいし、ｅＮＢがデータをスケジューリングする開始位置および終了位置を用いることによって決定されてもよい。任意選択で、隣接周波数内にある第１のＯＦＤＭシンボルおよび第２のＯＦＤＭシンボル内で、１つから５つのＵＲＬＬＣダウンリンクＯＦＤＭシンボルが送信されることがある。
【０１３３】
１４のＯＦＤＭシンボルを含むアップリンク優位スロットに関し、図１５の（ｂ）に示されるように、ｅＮＢは、第４から第７のＯＦＤＭシンボルおよび第１０から第１４のＯＦＤＭシンボル内でアップリンクデータを受信し、第１のＯＦＤＭシンボル内でダウンリンクデータを送信する。第８のＯＦＤＭシンボルおよび第９のＯＦＤＭシンボルの位置は、隣接周波数ＵＲＬＬＣダウンリンク送信に影響することを回避するために、事前に予約されている。加えて、第２のＯＦＤＭシンボルおよび第３のＯＦＤＭシンボルは、ｅＭＢＢサービスのためのＧＰである。ｅＭＢＢのために必要とされるＧＰは１つのＯＦＤＭシンボルよりも大きく、ダウンリンク送信は、第８のＯＦＤＭシンボルおよび第９のＯＦＤＭシンボル内で実行さえることができないので、第８のＯＦＤＭシンボルおよび第９のＯＦＤＭシンボルは、空のままであることのみができる。ＧＰの持続時間が１つのＯＦＤＭシンボルよりも大きいとき、ＧＰ内のＯＦＤＭシンボルは、ＵＲＬＬＣアップリンク送信のために予約されてよく、ＧＰ内の予約されたＯＦＤＭシンボルの位置は、規格において指定されてもよいし、ｅＮＢによってＵＲＬＬＣ  ＵＥに示されてもよい。
【０１３４】
７つのＯＦＤＭシンボルを含むアップリンク優位スロットに関し、図１５の（ｃ）および（ｄ）に示されるように、２つの周波数帯域が同じｅＮＢによってスケジューリングされる場合、スロットタイプシグナリングがブロードキャストされるとき、同じシグナリングがブロードキャストされ得る。シグナリングは、１５ｋＨｚサブキャリアスペーシングのための設定であり、６０ｋＨｚサブキャリアスペーシングのための別の設定である。
【０１３５】
本発明の実施形態６では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢ送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。加えて、本発明の実施形態６では、ｅＭＢＢサービスは、サブフレーム内の特定の位置にスケジューリングされず、それによって、隣接周波数ＵＲＬＬＣのための送信機会をもたらす。
【０１３６】
［実施形態７］
ｅＭＢＢサービスデータを送信するための現在のスロットは、ダウンリンクのみのスロット、１４のＯＦＤＭシンボルを含むダウンリンク優位スロット、または７つのＯＦＤＭシンボルを含むダウンリンク優位スロットであり、ｅＮＢ側の受信／送信遷移のアイドル時間は、既存のＬＴＥ規格において５４８Ｔｓ以下の受信／送信遷移アイドル時間として規定されることが仮定される。受信／送信遷移時間が５４８Ｔｓ以下に減少されるとき、ｅＭＢＢダウンリンク送信のために予約されるアイドルＯＦＤＭシンボルの量が減少され、それによって、ｅＭＢＢ送信効率を改善することが留意されるべきである。
【０１３７】
ｅＮＢは、ＵＲＬＬＣサービスデータが送信されるアップリンクリソース時間領域位置を決定する。ＵＲＬＬＣサービスデータが送信されるアップリンクリソース時間領域位置は、規格において予め規定されてもよいし、現在のスロットのタイプに一意に対応してもよい（現在のスロットは、ダウンリンクのみのスロット、１４のＯＦＤＭシンボルを含むダウンリンク優位スロット、または７つのＯＦＤＭシンボルを含むダウンリンク優位スロットである）。ダウンリンクのみのスロットでは、ｅＭＢＢサービスは、第７のＯＦＤＭシンボルまたは第１４のＯＦＤＭシンボル内で実行されない。１４のＯＦＤＭシンボルを含むダウンリンク優位スロットでは、ｅＭＢＢアップリンク送信が開始するＯＦＤＭシンボルの番号がＮである場合、ｅＭＢＢサービスは、（Ｎ−７）番目のＯＦＤＭシンボル内で実行されない。
【０１３８】
ｅＮＢは、ＵＲＬＬＣサービスデータが送信されるアップリンクリソース時間領域位置を決定し、シグナリングによってスロットタイプを示すことがあり、ｅＭＢＢダウンリンク送信およびＵＲＬＬＣアップリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢダウンリンク送信が実行される時間領域位置およびＵＲＬＬＣアップリンク送信が実行される時間領域位置を示し得る。
【０１３９】
任意選択で、１４のＯＦＤＭシンボルを含むダウンリンク優位スロット内で、ＵＲＬＬＣアップリンクリソースは、隣接周波数ｅＭＢＢアップリンク送信が開始するＯＦＤＭシンボルよりもＯＦＤＭシンボル７つ前の時間領域位置に位置づけられることが、規格によって指定される、またはｅＮＢシグナリングによって通知される。
【０１４０】
本発明のこの実施形態では、ｅＭＢＢダウンリンク送信およびＵＲＬＬＣアップリンク送信をスケジューリングするためのＯＦＤＭシンボルの番号位置が、図１６に示されている。
【０１４１】
ダウンリンクのみのスロットに関し、図１６の（ａ）に示されるように、ｅＮＢは、第１から第６のＯＦＤＭシンボル内でダウンリンクデータを送信し、第８から第１３のＯＦＤＭシンボル内でダウンリンクデータを送信する。第７のＯＦＤＭシンボルおよび第１４のＯＦＤＭシンボルの位置は、隣接周波数ＵＲＬＬＣアップリンク送信に影響することを回避するために、事前に予約されている。事前に予約されるＯＦＤＭシンボルの番号は、規格において指定されてもよいし、ｅＮＢがデータをスケジューリングする終了位置を用いることによって決定されてもよい。任意選択で、第７のＯＦＤＭシンボルおよび第１４のＯＦＤＭシンボルに対応する隣接周波数上で、１つまたは２つのＵＲＬＬＣアップリンクＯＦＤＭシンボルが送信されることがある。
【０１４２】
１４のＯＦＤＭシンボルを含むダウンリンク優位スロットに関し、図１６の（ｂ）に示されるように、ｅＮＢは、第１から第６のＯＦＤＭシンボル内でダウンリンクデータを送信し、第８から第１２のＯＦＤＭシンボル内でダウンリンクデータを送信し、第１４のＯＦＤＭシンボル内でアップリンクデータを受信する。第７のＯＦＤＭシンボルは、事前にＵＲＬＬＣアップリンク送信のために予約されている。加えて、第１３のＯＦＤＭシンボルは、ｅＭＢＢサービスのためのＧＰである。予約されたＯＦＤＭシンボルの位置は、規格において指定されてもよいし、ｅＮＢによってＵＲＬＬＣ  ＵＥに示されてもよい。
【０１４３】
７つのＯＦＤＭシンボルを含むダウンリンク優位スロットに関し、図１６の（ｃ）に示されるように、２つの周波数帯域が同じｅＮＢによってスケジューリングされる場合、スロットタイプシグナリングがブロードキャストされるとき、同じシグナリングがブロードキャストされ得る。シグナリングは、１５ｋＨｚサブキャリアスペーシングのための設定であり、６０ｋＨｚサブキャリアスペーシングのための別の設定である。
【０１４４】
本発明の実施形態７では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢダウンリンク送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。さらに、本発明の実施形態７では、ｅＭＢＢサービスに対する影響が減少され、スペクトル効率が改善される。
【０１４５】
［実施形態８］
ｅＭＢＢサービスデータを送信するための現在のスロットは、アップリンクのみのスロット、１４のＯＦＤＭシンボルを含むアップリンク優位スロット、または７つのＯＦＤＭシンボルを含むアップリンク優位スロットであり、ｅＮＢ側の受信／送信遷移のアイドル時間は、既存のＬＴＥ規格において５４８Ｔｓ以下の受信／送信遷移アイドル時間として規定されることが仮定される。受信／送信遷移時間が５４８Ｔｓ以下に減少されるとき、ｅＭＢＢダウンリンク送信のために予約されるアイドルＯＦＤＭシンボルの量が減少され、それによって、ｅＭＢＢ送信効率を改善することが留意されるべきである。
【０１４６】
ｅＮＢは、ＵＲＬＬＣサービスデータが送信されるダウンリンクリソース時間領域位置を決定する。ＵＲＬＬＣサービスデータが送信されるダウンリンクリソース時間領域位置は、規格において予め規定されてもよいし、現在のスロットのタイプに一意に対応してもよい（現在のスロットは、アップリンクのみのスロット、１４のＯＦＤＭシンボルを含むアップリンク優位スロット、または７つのＯＦＤＭシンボルを含むアップリンク優位スロットである）。アップリンクのみのスロットでは、ｅＭＢＢサービスは、第１のＯＦＤＭシンボルまたは第８のＯＦＤＭシンボル内で実行されない。１４のＯＦＤＭシンボルを含むアップリンク優位スロットでは、ｅＭＢＢダウンリンク送信が終了するＯＦＤＭシンボルの番号がＮである場合、ｅＭＢＢサービスは、（Ｎ＋７）番目のＯＦＤＭシンボル内で実行されない。
【０１４７】
ＵＲＬＬＣサービスデータが送信されるダウンリンクリソース時間領域位置を決定した後、ｅＮＢは、シグナリングによってスロットタイプを示し、ｅＭＢＢアップリンク送信およびＵＲＬＬＣダウンリンク送信をスケジューリングすることがある。ｅＮＢによって示されるスロットタイプは、予約されたアイドルＯＦＤＭシンボル位置を含む。シグナリングは、ＲＲＣシグナリングであってもよいし、ダウンリンク制御シグナリングであってもよい。本発明のこの実施形態では、同じシグナリングは、ｅＭＢＢアップリンク送信が実行される時間領域位置およびＵＲＬＬＣダウンリンク送信が実行される時間領域位置を示し得る。
【０１４８】
任意選択で、１４のＯＦＤＭシンボルを含むアップリンク優位スロット内で、ＵＲＬＬＣダウンリンクリソースは、隣接周波数ｅＭＢＢダウンリンク送信が終了するＯＦＤＭシンボルよりもＯＦＤＭシンボル７つ後の時間領域位置に位置づけられることが、規格によって指定される、またはｅＮＢシグナリングによって通知される。
【０１４９】
本発明のこの実施形態では、ｅＭＢＢアップリンク送信およびＵＲＬＬＣダウンリンク送信をスケジューリングするためのＯＦＤＭシンボルの番号位置が、図１７に示されている。
【０１５０】
アップリンクのみのスロットに関し、図１７の（ａ）に示されるように、ｅＮＢは、第２から第７のＯＦＤＭシンボルおよび第９から第１４のＯＦＤＭシンボル内でアップリンクデータを受信する。第１のＯＦＤＭシンボルおよび第８のＯＦＤＭシンボルの位置は、隣接周波数ＵＲＬＬＣダウンリンク送信に影響することを回避するために、事前に予約されている。事前に予約されるＯＦＤＭシンボルの位置は、規格において指定されてもよいし、ｅＮＢがデータをスケジューリングする開始位置および終了位置を用いることによって決定されてもよい。任意選択で、隣接周波数内にある第１のＯＦＤＭシンボルおよび第８のＯＦＤＭシンボル内で、１つまたは２つのＵＲＬＬＣダウンリンクＯＦＤＭシンボルが送信されることがある。
【０１５１】
１４のＯＦＤＭシンボルを含むアップリンク優位スロットに関し、図１７の（ｂ）に示されるように、ｅＮＢは、第３から第７のＯＦＤＭシンボルおよび第９から第１４のＯＦＤＭシンボル内でアップリンクデータを受信し、第１のＯＦＤＭシンボル内でダウンリンクデータを送る。第８のＯＦＤＭシンボルの位置は、隣接周波数ＵＲＬＬＣダウンリンク送信に影響することを回避するために、事前に予約されている。加えて、第２のＯＦＤＭシンボルは、ｅＭＢＢサービスのためのＧＰである。予約されたＯＦＤＭシンボルの位置は、規格において指定されてもよいし、ｅＮＢによってＵＲＬＬＣ  ＵＥに示されてもよい。
【０１５２】
７つのＯＦＤＭシンボルを含むアップリンク優位スロットに関し、図１７の（ｃ）に示されるように、２つの周波数帯域が同じｅＮＢによってスケジューリングされる場合、スロットタイプシグナリングがブロードキャストされるとき、同じシグナリングがブロードキャストされ得る。シグナリングは、１５ｋＨｚサブキャリアスペーシングのための設定であり、６０ｋＨｚサブキャリアスペーシングのための別の設定である。
【０１５３】
本発明の実施形態８では、ｅＭＢＢサービスは、サブフレーム内の特定の位置にスケジューリングされず、それによって、ＵＲＬＬＣのための送信機会をもたらす。加えて、ＵＲＬＬＣアップリンク送信およびｅＭＢＢダウンリンク送信の時間領域位置は重複せず、それによって、相互干渉を回避する。加えて、ＵＲＬＬＣアップリンク送信の２つの隣接する送信機会間の間隔は０．５ｍｓを超えず、それによって、ＵＲＬＬＣ待ち時間要件を満たす。
【０１５４】
実施形態６と比較して、本発明の実施形態８では、ｅＭＢＢサービスに対する影響が減少され、スペクトル効率が改善される。
【０１５５】
本発明の実施形態では、空間多重化機会は、アイドル時間が予約される前述のスロットスケジューリング解決策を用いることによって増加される。したがって、システムスペクトル効率が改善されることができ、異なる要件をもつ種々のサービスがサポートされることができる。
【０１５６】
前述の実施形態におけるスロットスケジューリング方法に基づいて、本発明の実施形態は、スロットスケジューリング装置をさらに提供する。前述の機能を実装するために、スロットスケジューリング装置は、機能を実行するための対応するハードウェア構造および／またはソフトウェアモジュールを含むことが理解できる。本発明の実施形態は、本発明に開示されている実施形態において説明される例のユニットおよびアルゴリズムステップを参照して、ハードウェアの形で、またはハードウェアとコンピュータソフトウェアの組み合わせの形で、実装されることができる。機能がハードウェアによって実行されるか、ハードウェアを駆動するコンピュータソフトウェアによって実行されるかは、技術的解決策の特定の適用例および設計制約に依存する。当業者は、異なる方法を用いて、各特定の適用例のための説明される機能を実装してよいが、実装は本発明の実施形態の技術的解決策の範囲を超えることが考慮されるべきではない。
【０１５７】
機能ユニット分割は、本発明の実施形態における前述の方法例に基づいて、スロットスケジューリング装置上で実行されてよい。たとえば、機能ユニットは、機能に基づいた分割を通じて取得されてもよいし、２つ以上の機能が１つの処理ユニットへと統合されてもよい。前述の統合されたユニットは、ハードウェアの形で実装されてもよいし、ソフトウェア機能ユニットの形で実装されてもよい。本発明の実施形態におけるユニット分割は例であり、論理的機能分割にすぎず、実際の実装において他の分割であってよいことが留意されるべきである。
【０１５８】
統合されたユニットを用いるケースでは、図１８は、本発明の実施形態によるスロットスケジューリング装置の概略構造図である。図１８を参照すると、スロットスケジューリング装置１００は、処理ユニット１０１と、通信ユニット１０２とを含む。処理ユニット１０１は、前述の方法実施形態における任意の構造のスロットを決定するように構成される。通信ユニット１０２は、処理ユニット１０１によって決定されたスロットを送るように構成される。
【０１５９】
本発明のこの実施形態では、処理ユニット１０１および通信ユニット１０２の機能は、前述の方法実施形態における機能に対応してよく、確実に、上記で説明された機能に限定されない。たとえば、処理ユニット１０１は、スロットの構成情報に基づいてスロット内で搬送されるデータを処理してよい。通信ユニット１０２は、隣接周波数帯域内のデータ送信の通信方向に基づいて、現在の周波数帯域のスロット構成情報を取得するように構成されてよい。
【０１６０】
ハードウェアの形が実装に用いられるとき、本発明のこの実施形態では、処理ユニット１０１はプロセッサであってよく、通信ユニット１０２は、通信インタフェース、受信機、送信機、トランシーバ回路などであってよい。通信インタフェースは、集合名称であり、１つまたは複数のインタフェースを含んでよい。
【０１６１】
処理ユニット１０１がプロセッサであり、通信ユニット１０２が受信機と送信機とを含むとき、本発明のこの実施形態におけるスロットスケジューリング装置１００は、図１９に示されるネットワークデバイスであってよい。図１９に示されるネットワークデバイスは、ｅＮＢであってよい。
【０１６２】
図１９は、本発明の実施形態によるネットワークデバイス１０００の概略構造図である。図１９を参照すると、ネットワークデバイス１０００は、受信機１００１と、送信機１００２と、プロセッサ１００３と、メモリ１００４とを含む。受信機１００１、送信機１００２、プロセッサ１００３、およびメモリ１００４は、バスを通じて接続されてもよいし、別の様式で接続されてもよい。図１９では、例として、バス接続が用いられている。
【０１６３】
メモリ１００４は、読み出し専用メモリおよびランダムアクセスメモリを含み、命令およびデータをプロセッサ１００３に提供し得る。メモリ１００４の一部は、不揮発性ランダムアクセスメモリ（Ｎｏｎ−Ｖｏｌａｔｉｌｅ  Ｒａｎｄｏｍ  Ａｃｃｅｓｓ  Ｍｅｍｏｒｙ、ＮＶＲＡＭ）をさらに含んでよい。メモリ１００４は、オペレーティングシステムおよび操作命令、ならびに実行可能モジュールもしくはデータ構造、またはそれらのサブセットもしくは拡張セットを記憶する。操作命令は、種々の操作命令を含んでよく、種々の動作を実装するために用いられる。オペレーティングシステムは、種々のシステムプログラムを含んでよく、システムプログラムは、種々の基本サービスを実装し、ハードウェアベースのタスクを処理するために用いられる。
【０１６４】
プロセッサ１００３は、スロットスケジューリングの前述の機能およびスロット構成を実施するように構成される。プロセッサ１００３は、中央処理ユニット（Ｃｅｎｔｒａｌ  Ｐｒｏｃｅｓｓｉｎｇ  Ｕｎｉｔ、ＣＰＵ）と呼ばれることもある。特定の適用例では、すべての構成要素が、バスシステムを通じて互いに結合される。バスシステムは、データバスに加えて、電源バス、制御バス、ステータス信号バスなどを含む。しかしながら、明瞭な説明のために、図における種々のタイプのバスは、バスシステムと呼ばれる。
【０１６５】
本発明の前述の実施形態に開示されている方法は、プロセッサ１００３に適用されてもよいし、プロセッサ１００３によって実装されてもよい。プロセッサ１００３は、集積回路チップであってよく、信号処理能力をもつ。実装プロセスでは、前述の方法におけるステップは、プロセッサ１００３内のハードウェア集積論理回路を用いることによって実装されてもよいし、ソフトウェアの形で命令を用いることによって実施されてもよい。前述のプロセッサ１００３は、汎用プロセッサ、デジタル信号プロセッサ（ｄｉｇｉｔａｌ  ｓｉｇｎａｌ  ｐｒｏｃｅｓｓｉｎｇ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）もしくは別のプログラマブル論理デバイス、ディスクリートゲートもしくはトランジスタ論理デバイス、またはディスクリートハードウェア構成要素であってよい。プロセッサは、本発明の実施形態に開示されている方法、ステップ、および論理ブロック図を実装または実行し得る。汎用プロセッサはマイクロプロセッサであってもよいし、プロセッサは、任意の従来のプロセッサなどであってもよい。本発明の実施形態を参照しながら開示される方法のステップは、ハードウェア復号プロセッサによって直接的に実行および完了されてもよいし、復号プロセッサ内のハードウェアとソフトウェアモジュールの組み合わせを用いることによって実行および完了されてもよい。ソフトウェアモジュールは、ランダムアクセスメモリ、フラッシュメモリ、読み出し専用メモリ、プログラマブル読み出し専用メモリ、電気消去可能プログラマブルメモリ、またはレジスタなどの、当技術分野における成熟した記憶媒体内に位置づけられてよい。記憶媒体はメモリ１００４内に位置づけられ、プロセッサ１００３は、メモリ１００４内の情報を読み取り、プロセッサのハードウェアと組み合わせて、前述の方法におけるステップを完了する。
【０１６６】
本発明のこの実施形態では、プロセッサ１００３は、前述の実施形態におけるスロットスケジューリング方法を実行し、スロット構造を構成するように構成される。構成されたスロット構造は、メモリ１００４に格納されてよい。詳細については、前述の実施形態におけるスロット構造構成およびスケジューリングの実装プロセスを参照されたい。詳細は、本明細書では再度説明されない。
【０１６７】
加えて、説明された装置実施形態は例にすぎないことが留意されるべきである。別個の部分として説明されるユニットは、物理的に別個であってもなくてもよく、ユニットとして表示される部分は、物理ユニットであってもなくてもよく、１つの場所に位置づけられてもよいし、複数のネットワークユニット上に分散されてもよい。いくつかまたはすべてのモジュールは、実施形態の解決策の目的を達成するために、実際の必要に基づいて選択されてよい。加えて、本発明において提供される装置実施形態の添付の図面では、モジュール間の接続関係は、モジュールが互いとの通信接続をもち、通信接続は、具体的には、１つまたは複数の通信バスまたは信号ケーブルとして実装され得ることを示す。当業者は、創意工夫なしに本発明の実施形態を理解および実装し得る。
【０１６８】
さらに、本発明の実施形態において用いられる用語は、特定の実施形態を示すためにすぎず、本発明を限定することを意図したものではないことが留意されるべきである。本発明の実施形態および添付の特許請求の範囲において用いられる単数形の「１つの（ａ）」および「その（ｔｈｅ）」という用語は、文脈において別途明確に指定されない限り、複数形を含むことも意図する。本明細書で用いられる「および／または」という用語は、１つまたは複数の関連づけられた列挙された項目のいずれかまたはすべての可能な組み合わせを示し、これを含むことも理解されるべきである。加えて、本明細書における「／」という文字は、一般に、関連づけられた対象間の「または」関係を表す。
【０１６９】
「第１の」、「第２の」などの用語は、本発明の実施形態において、類似の対象を区別するために用いられ得るが、必ずしも特定の順番または順序を示すものではないことが理解されるべきである。たとえば、本発明の実施形態における第１のアイドル時間および第２のアイドル時間は、説明の容易さおよび異なるアイドル時間を区別するために用いられるにすぎず、アイドル時間に対する限定を構成しない。そのようにして用いられるデータは、適切な環境において互換性があり、したがって、本明細書において説明される本発明の実施形態は、本明細書において例示または説明される順番とは異なる順番で実装されることができることが理解されるべきである。
【０１７０】
文脈に応じて、たとえば、本明細書において用いられる「場合」という単語は、「間または「とき」または「決定したことに応答して」または「検出に応答して」と説明されることがある。同様に、文脈に応じて、「決定した場合」または「（述べられた条件またはイベント）を検出した場合」という表現は、「決定したとき」または「決定したことに応答して」または「（述べられた条件またはイベント）を検出したとき」または「（述べられた条件またはイベント）を検出したことに応答して」と説明されることがある。
【０１７１】
当業者は、実施形態の前述の方法におけるステップのすべてまたはいくつかは、プロセッサに命令するプログラムによって実装されてよいことを理解し得る。プログラムは、コンピュータ可読記憶媒体に記憶されてよい。記憶媒体は、ランダムアクセスメモリ、読み出し専用メモリ、フラッシュメモリ、ハードディスク、ソリッドステートドライブ、磁気テープ（英語：ｍａｇｎｅｔｉｃ  ｔａｐｅ）、フロッピーディスク（英語：ｆｌｏｐｐｙ  ｄｉｓｋ）、光ディスク（英語：ｏｐｔｉｃａｌ  ｄｉｓｃ）、またはそれらの任意の組み合わせなどの、非一時的な（英語：ｎｏｎ−ｔｒａｎｓｉｔｏｒｙ）媒体である。
【０１７２】
本発明は、本発明の実施形態における方法およびデバイスのそれぞれのフローチャートおよびブロック図を参照しながら説明される。コンピュータプログラム命令は、フローチャートおよびブロック図内の各プロセスおよび各ブロックならびにフローチャートおよびブロック図内のプロセスおよびブロックの組み合わせを実装するために用いられてよいことが理解されるべきである。これらのコンピュータプログラム命令は、機械を生成するために、汎用コンピュータ、特殊目的コンピュータ、埋め込みプロセッサ、または別のプログラマブルデータ処理デバイスのプロセッサに提供されてよく、したがって、コンピュータまたは別のプログラマブルデータ処理デバイスのプロセッサによって実行される命令は、フローチャート内の１つもしくは複数のプロセスにおいて、またはブロック図内の１つもしくは複数のブロックにおいて、特殊な機能を実装するための装置を生成する。
【０１７３】
前述の説明は、本発明の例示的な実装にすぎず、本発明の保護範囲を限定することを意図したものではない。当業者によって容易に理解される、本発明に開示されている技術的範囲内のいかなる変形または置き換えも、本発明の保護範囲に含まれるものとする。したがって、本発明の保護範囲は、特許請求の範囲の保護範囲の対象となるものとする。
【国際調査報告】
2020504478.tif 000022
2020504478.tif 000023
2020504478.tif 000024
2020504478.tif 000025